(57)【特許請求の範囲】
【請求項１】
支持部と、
前記支持部に支持されたＬＥＤ基板と、
前記ＬＥＤ基板に搭載されたＬＥＤモジュールと、を備える照明装置であって、
軸方向視において環状であり、内周側に前記ＬＥＤモジュールからの光が入射し且つ  前記軸方向視において多角形状である入射部と、前記ＬＥＤモジュールからの光を前記  軸方向一方側に出射する出射部と、を有する導光体と、
天井の給電部に取り付け可能な設置部品と、
前記給電部からの電力をＬＥＤモジュールの点灯に適した電力に変換する電源部と、 
前記軸方向一方側に位置する床面を照らすための床面照射用ＬＥＤモジュールと、を  備え、
前記床面照射用ＬＥＤモジュールは、前記ＬＥＤモジュールよりも床面側に配置され ており、
前記電源部は、前記設置部品の周囲に配置されており、
前記設置部品を介して前記給電部に取り付けられることを特徴とする、照明装置。
【請求項２】
前記床面照射用ＬＥＤモジュールを覆う透光カバーをさらに備える、請求項１に記載  の照明装置。
【請求項３】
前記導光体の前記軸方向他方側に位置する反射層をさらに備える、請求項１または２  に記載の照明装置。
【請求項４】
前記出射部は、粗面である、請求項１ないし３のいずれかに記載の照明装置。
【請求項５】
前記軸方向視において前記導光体よりも径方向内側に配置され、前記ＬＥＤモジュー  ルに電力を供給する電源部をさらに備える、請求項１ないし４のいずれかに記載の照明  装置。
【発明の詳細な説明】
【技術分野】
【０００１】
本発明は、待機電力の低減化を図った照明装置に関する。
【０００２】
本発明のバリエーションにかかる発明は、光源としてＬＥＤ（発光ダイオード）を使用したＬＥＤ照明装置に関する。
【０００３】
本発明のバリエーションにかかる発明は、発光ダイオード（ＬＥＤ）を光源とし、遠隔操作可能に構成されたＬＥＤ照明器具に関する。
【０００４】
本発明のバリエーションにかかる発明は、ＬＥＤチップを備えるＬＥＤ照明器具に関する。
【背景技術】
【０００５】
使用電力の削減、省電力化の要請は近年に限ったものではなく以前から要請されてきている。しかし、近年、使用電力の削減、省電力化の要請はこれまで以上に高まってきている。こうした要請に伴い、家庭内を中心にＬＥＤ（Light Emitting Diode）を用いたいわゆるＬＥＤ照明が多用されている。ＬＥＤ照明は、低消費電力、低発熱性、長寿命、高信頼性、高速応答性などの点で白熱電球照明、蛍光灯などに比べ優れている。
【０００６】
特許文献１（特開平１１−２３３２８３号公報）は、照明装置にかかり、交流電源を整流器とチョッパーとインバータを介してランプに接続し、チョッパーは、整流器または交流電源に接続した他の整流器から接続された起動回路を備え、チョッパー制御部に直流電源が供給されていない状態では起動回路の動作を無効とするとしている。これにより、待機電力を低減できるとしている。
【０００７】
特許文献２は、（特開平１１−３１２５９１号公報）は、照明装置にかかり、光源と、光源を駆動する点灯装置と、点灯装置を制御することにより光源の状態を制御するマイコンと、リモコン信号を受信することによりマイコンに信号を与える受信部と、受信部からの信号を検出する信号検出部とを備える。そして、光源の消灯時において、マイコンには直流電源が供給されずに待機しており、受信部と信号検出部には直流電源が間欠的に供給されて待機しており、リモコン信号を受信することにより受信部から信号が出力された場合に、信号検出部からの出力信号によりマイコンに直流電源が供給されるとともに、受信部と信号検出部には直流電源が連続的に供給されるものである。
【０００８】
特許文献３は、（特開２００９−４２０６号公報）は、点灯装置、照明器具および照明装置にかかり、放電灯を点灯制御するマイクロコンピュータが動作中と動作終了後における第１のスイッチ素子の操作中だけ電圧の供給を受け、その他の待機中には電圧の供給を受けないため、点灯装置の待機電力をほぼ０Ｗにすることができるとしている。
【０００９】
特許文献４は、（特開２００７−２６５８１８号公報）は、照明器具にかかり、色温度の低いＬＥＤと色温度の高いＬＥＤとの組み合わせからなり、少なくとも片方の明るさを変化させることで、電球色・温白色・白色・昼白色・昼光色の白色５色が実現可能な照明器具を提供するとしている。
【００１０】
特許文献５は、（特開２００７−１２２９５０号公報）は、演色性が高い照明装置を提供するために、ＬＥＤのみを実装したランプ及びＬＥＤ素子とその光により励起される蛍光体とを有するランプからなる群から選択された２個以上のランプと、これらランプの光出力が調整可能な制御装置を示す。
【００１１】
図１２は、従来のシーリングライトすなわち照明装置に適用される回路構成図を示す。シーリングライトは、部屋の天井に直付けし、部屋全体を明るくする照明装置である。部屋全体を１灯で照らすためには部屋の大きさに応じたサイズと光度をもった照明装置が必要となる。
【００１２】
照明装置１２００は主電源１１、制御回路１２、昼白色光源ドライバ２１、電球色光源ドライバ２２、及び、第１光源部３１、第２光源部３２を備える。制御回路１２は、ＡＣ／ＤＣコンバータ１３、トランス１４、ＤＣ／ＤＣコンバータ１５、信号処理回路１６、及び、リモコン受信部１７を備える。
【００１３】
主電源１１はたとえば商用電源であり、その交流電圧ＡＣ１はたとえば１００Ｖである。ＡＣ／ＤＣコンバータ１３、トランス１４、ＤＣ／ＤＣコンバータ１５は信号処理回路１６を駆動するための直流電圧を生成するために用意されており、信号処理回路１６にはリモコン受信部１７が付設されている。リモコン受信部１７は、図示しないリモコン送信部からの送信信号に応動する。シーリングライトの照明部すなわち第１光源部３１、第２光源部３２は、リモコン受信部１７に到来した指示信号に応じて点灯または消灯させる。
【００１４】
信号処理回路１６は、昼白色光源ドライバ２１及び電球色光源ドライバ２２にパルス幅変調（ＰＷＭ：Pulse Width Modulation）信号を供給する。
【００１５】
昼白色光源ドライバ２１及び電球色光源ドライバ２２は、色温度がそれぞれ５０００Ｋ（ケルヴィン）及び２９００Ｋ(ケルヴィン)である第１光源部３１及び第２光源部３２を駆動する。第１光源部３１、第２光源部３２はたとえばＬＥＤ単体または複数のＬＥＤがたとえば直列に接続されて構成されている。
【００１６】
図１２に示した従来の照明装置１２００は、第１光源部３１、第２光源部３２をオフすなわちシーリングライトを消灯するにしても昼白色光源ドライバ２１及び電球色光源ドライバ２２の動作は待機しているための待機電力が必要となる。たとえば、制御回路１２での待機電力が０．５Ｗ、昼白色光源ドライバ２１及び電球色光源ドライバ２２の待機電力をそれぞれ０．５Ｗであるとすると、照明装置１２００全体では１．５Ｗの待機電力が必要となる。
【００１７】
図１２に示した照明装置１２００は説明の便宜上、昼白色光源ドライバ２１と電球色光源ドライバ２２の２つのものを示したが、こうした光源ドライバの段数が増加するにつれて、待機電力は増加する。
【００１８】
住宅等の室内の照明に用いられる照明装置として、従来、白熱電球、蛍光灯等の光源を備える照明装置が用いられている。近年、発光ダイオード（以下ＬＥＤという）の高輝度化に伴い、従来の光源に代えて、小型、低消費電力、長寿命等の特性を有するＬＥＤを光源として備える照明装置が種々提案されている。
【００１９】
例えば、白熱電球の代替製品として、ＬＥＤチップが搭載されたＬＥＤ電球が提案されている。また、調光・調色機能を備えたＬＥＤ照明装置がある。このＬＥＤ照明装置では、色温度の異なる白色系ＬＥＤランプを併用し、各ＬＥＤランプの輝度を調節することによって所望の色調の光が得られる。上記のようなＬＥＤ照明装置として、例えば、ダウンライトやシーリングライトがある。
【００２０】
このようなＬＥＤ照明装置では、適切な色温度をもち、演色性が高い合成光を得るために、例えば特許文献６に示すように、白色ＬＥＤの発光色の色度の範囲を設定し、白色ＬＥＤと赤色ＬＥＤとの合成光を形成したものがある。
【００２１】
しかしながら、上記従来のＬＥＤ照明装置では、色温度の異なる白色系ＬＥＤを多数用いているために、製造過程でＬＥＤのバラツキが発生し、輝度のバラツキが発生する。ＬＥＤの輝度のバラツキにより、輝度にムラが発生する。また、輝度ムラが発生するので、色温度の異なるＬＥＤを使用している場合は、合成光の色についてもバラツキが発生し、色にムラが発生する。そこで、製造されたＬＥＤを実装する前に、明るさと色との組み合わせについて、９ランク程度に分類し、バラツキが一定の範囲に収まっている所定のランクのＬＥＤを用いて実装が行われる。
【００２２】
しかし、上記の方法では、ランク分けする場合には、個々のＬＥＤを測定して所定のランクに分類する作業が必要であり、手間もコストもかかる。また、このように分類して、バラツキを所定の範囲に収めたとしても、ユーザ側で満足できる明度や色度となっているかわかりにくい。
【００２３】
ＬＥＤチップを備えたＬＥＤ照明器具は、たとえば蛍光灯を取り付けるタイプの照明器具の代替製品として開発されている。天井に取り付けられるタイプの照明器具では、点灯、消灯、あるいは調光が遠隔操作によって行われることがある（たとえば、特許文献７参照）。
【００２４】
図２６には、天井に取り付けられて室内を照明するように構成されたＬＥＤ照明器具の一例を簡略に示している。図２６に示すＬＥＤ照明器具９０は、天井に固定される本体部９１と、本体部９１を操作するための遠隔操作装置９２とを備えている。本体部９１は複数のＬＥＤチップと、遠隔操作装置９２からの信号に従って複数のＬＥＤチップの点灯を制御する制御手段とを有している。ＬＥＤ照明器具９０においては、本体部９１の明るさを調整したり、本体部９１から出射される光の色合いを調整したりすることができるようになっている。このため、遠隔操作装置９２には、点灯を指示するためのボタンの他に、調光用のボタン９２ａや調色用のボタンなどが設けられている。
【００２５】
ＬＥＤ照明器具９０においては、たとえば、調光用のボタン９２ａが１．２５秒より短い時間押された場合には本体部９１の明るさが予め設定された一段階分だけ明るくなるように構成されている。調光用のボタン９２ａが１．２５秒より長い時間押された場合には、本体部９１の明るさが連続的に明るくなるようになっている。このようにすることで、段階的に明るさを変化させる操作と、連続的に明るさを変化させる操作との両方をボタン９２ａで行うことが可能となっており、遠隔操作装置９２の簡素化が図られている。
【００２６】
しかしながら、時間に対する感じ方には個人差があり、連続的に明るさを変化させる操作を行うつもりで調光用のボタン９２ａを十分な時間押したはずが、実際には１．２５秒経っておらずに段階的に明るさが変化してしまうことが起こり得る。このような場合、ユーザは思い通りの操作が行われないことにストレスを感じてしまうこともある。
【００２７】
ＬＥＤチップを備えたＬＥＤ照明器具は、たとえば蛍光灯を取り付けるタイプの照明器具の代替製品として開発されている。天井に取り付けられる照明器具は、一般的にシーリングライトと称される。たとえば、特許文献８にはシーリングライトとして用いられる従来のＬＥＤ照明器具が開示されている。
【００２８】
図４７は、シーリングライトの一例を示している。同図に示されたＬＥＤ照明器具９００は、全体として薄い円盤状であり、天井に取り付けて用いられる。ＬＥＤ照明器具９００は、複数のＬＥＤチップ９１０Ｄと、複数の基板９２０Ｄと、複数のＬＥＤチップ９１０Ｄを覆うカバー９３０とを備えている。図４７に示すように、各基板９２０Ｄは円周方向に沿って湾曲する形状となっている。各基板９２０Ｄは、矩形状の基板材料を切断することによって製造される。矩形状の基板材料から湾曲した基板９２０を切り出す際には、たとえば矩形状の基板を切り出す場合に比べて取れ数が少なくなる。また、矩形状の基板を切り出す場合と比較して、湾曲した基板９２０Ｄを切り出す際には、不良が生じやすくなる。不良発生時には基板９２０Ｄを廃棄することになり、その分だけ無駄になり、製造コストの増大を招くことになる。
【００２９】
一方で、平面視円形の領域に矩形状の基板を単純に配列した場合にはＬＥＤチップ９１０Ｄの配置が偏り、ＬＥＤ照明器具９００の一部が暗くなることが起こり得る。
【００３０】
ＬＥＤチップを備えたＬＥＤ照明器具は、たとえば蛍光灯を取り付けるタイプの照明器具の代替製品として開発されている。天井に取り付けられる照明器具は、一般的にシーリングライトと称される。
【００３１】
図６５は、シーリングライトとして用いられる従来のＬＥＤ照明器具の一例を示している（たとえば、特許文献８参照）。同図に示されたＬＥＤ照明器具９００は、全体として薄い円盤状であり、天井８００に取り付けて用いられる。ＬＥＤ照明器具９００は、複数の光源部９１０、反射面９２０、およびカバー９３０を備えている。光源部９１０は、各々がＬＥＤチップ（図示略）を内蔵しており、円状に配置されている。反射面９２０は、たとえば白色塗装が施された金属板部材の表面である。同図に示すように、反射面９２０は、円状に配置された光源部９１０の径方向における内側に配置されている。光源部９１０からの光は、反射面９２０によって反射されることにより、図中下方へと進行する。カバー９３０は、たとえば光を拡散しながら透過する樹脂からなり、反射面９２０によって反射された光を、拡散しながら図中下方へと透過する。
【００３２】
ＬＥＤ照明器具９００では、光源部９１０および反射面９２０を覆うカバー９３０を透して光が出射される。このため、ＬＥＤ照明器具９００は、全体として比較的厚い形状となっている。ＬＥＤ照明器具９００が設置されるたとえばリビングルームをすっきりとした見栄えとするためには、ＬＥＤ照明器具９００のさらなる薄型化が望まれる。また、天井８００に沿って設けられるシーリングライトとして用いられるＬＥＤ照明器具９００のほかに、天井８００からある程度床面側に離間した位置から光を照射するペンダントライトと称されるタイプのＬＥＤ照明器具も望まれる。
【００３３】
ＬＥＤチップを備えたＬＥＤ照明器具は、たとえば蛍光灯を取り付けるタイプの照明器具の代替製品として開発されている。天井に取り付けられる照明器具は、一般的にシーリングライトと称される。
【００３４】
図７７は、シーリングライトとして用いられる従来のＬＥＤ照明器具の一例を示している（たとえば、特許文献８参照）。同図に示されたＬＥＤ照明器具９００は、天井８００に取り付けて用いられる。ＬＥＤ照明器具９００は、複数の光源部９１０、反射面９２０、およびカバー９３０を備えている。光源部９１０は、各々がＬＥＤチップ（図示略）を内蔵している。反射面９２０は、たとえば白色塗装が施された金属板部材の表面である。光源部９１０からの光は、反射面９２０によって反射されることにより、図中下方へと進行する。カバー９３０は、たとえば光を拡散しながら透過する樹脂からなり、反射面９２０によって反射された光を、拡散しながら図中下方へと透過する。ＬＥＤ照明器具９００は、天井に沿ったスマートな外観と、室内を均一に照らすことを両立することが意図されている。
【００３５】
しかしながら、ＬＥＤ照明器具９００の厚さを薄くするほど、反射面９２０の形状が制約を受ける。この制約は、ＬＥＤ照明器具９００によって均一に照らすことを阻害しうる。
【００３６】
ＬＥＤチップを備えたＬＥＤ照明器具は、たとえば蛍光灯を取り付けるタイプの照明器具の代替製品として開発されている。天井に取り付けられる照明器具は、一般的にシーリングライトと称される。たとえば、特許文献８には、シーリングライトとして用いられるＬＥＤ照明器具が開示されている。
【００３７】
図８８は、シーリングライトの一例を示している。同図に示されたＬＥＤ照明器具９００は、全体として薄い円盤状であり、天井に取り付けて用いられる。ＬＥＤ照明器具９００は、複数のＬＥＤ基板９１０Ｇと、各ＬＥＤ基板９１０Ｇに搭載された複数のＬＥＤチップ９２０Ｇと、複数のＬＥＤ基板９１０Ｇを覆うカバー９３０とを備えている。複数のＬＥＤ基板９１０Ｇは、互いの端部が対向するように配置されることにより、環状に配置されている。隣接するＬＥＤ基板９１０Ｇの互いの端部には、対をなしてコネクタ９４０，９５０が設けられている。
【００３８】
各コネクタ９４０，９５０には、たとえば、単芯線からなる配線９６０の接続用端部が接続されている。対をなすコネクタ９４０，９５０は、互いの接続部分が対面しており、コネクタ９４０に対する接続用端部の接続方向（第１の接続方向）と、コネクタ９５０に対する接続用端部の接続方向（第２の接続方向）は、いずれも複数のＬＥＤ基板９１０Ｇの周方向ｎ１に沿っている。なお、配線９６０は、各コネクタ９４０，９５０に対する接続を適切に行う観点から、多少のゆとりをもたせる必要があり、図８８に表れているように、ＬＥＤ基板９１０Ｇに沿って湾曲した形状とされている。
【００３９】
しかしながら、上記したようなコネクタ９４０，９５０が対面した構成によれば、コネクタ９４０，９５０と配線９６０との間に回転モーメントが作用すると、配線９６０が回転しやすい。このため、ＬＥＤ照明器具９００の使用時には、配線９６０の湾曲部分が意図しない位置に移動する場合があり、上記湾曲部分がＬＥＤチップ９２０Ｇからの光の進行を妨げて、ＬＥＤ照明器具９００の一部が暗くなることが起こり得た。
【先行技術文献】
【特許文献】
【００４０】
【特許文献１】特開平１１−２３３２８３号公報
【特許文献２】特開平１１−３１２５９１号公報
【特許文献３】特開２００９−４２０６号公報
【特許文献４】特開２００７−２６５８１８号公報
【特許文献５】特開２００７−１２２９５０号公報
【特許文献６】特開２００８−３００１２４号公報
【特許文献７】特開２００８−１０８５９８号公報
【特許文献８】特開２００８−３００２０３号公報
【発明の概要】
【発明が解決しようとする課題】
【００４１】
本発明の技術的思想は上記特許文献に関連するが、待機電力の低減化が図れる照明装置を提供するものであり、特に、光源ドライバの段数が多い、いわゆる高消費電力の照明装置での待機電力を削減することができる照明装置を提供するものである。
【００４２】
本発明のバリエーションにかかる発明は、上述した課題を解決するために創案されたものであり、ＬＥＤを実装する前に、ＬＥＤのバラツキを厳しく調整しなくても、ＬＥＤの実装後に明度や色度のバラツキを調整することができるＬＥＤ照明装置を提供することを目的としている。
【００４３】
本発明のバリエーションにかかる発明は、上記した事情のもとで考え出されたものであって、より使用者の意に沿う操作が行われるＬＥＤ照明器具を提供することをその課題とする。
【００４４】
本発明のバリエーションにかかる発明は、上記した事情のもとで考え出されたものであって、矩形状の基板を用いてより均一な照明を提供可能なＬＥＤ照明器具を提供することをその課題とする。
【００４５】
本発明のバリエーションにかかる発明は、上記した事情のもとで考え出されたものであって、薄型化を図ることが可能なＬＥＤ照明器具を提供することをその課題とする。また、シーリングライトあるいはペンダントライトとして用いることが可能なＬＥＤ照明器具を提供することをその課題とする。
【００４６】
本発明のバリエーションにかかる発明は、上記した事情のもとで考え出されたものであって、スマートな外観であるとともに、より均一に照らすことが可能なＬＥＤ照明器具を提供することをその課題とする。
【００４７】
本発明のバリエーションにかかる発明は、上記した事情のもとで考え出されたものであって、より均一に照らすのに適したＬＥＤ照明器具を提供することをその課題とする。
【課題を解決するための手段】
【００４８】
本発明の照明装置（１００）は、主電源（１１）と、第１端子(１９１)、第２端子（１９２）、及び制御端子（１９３）を有し、第１端子（１９１）が主電源（１１）に接続されるパワースイッチ（１９）と、パワースイッチ（１９）の第２端子（１９２）に接続される光源ドライバ（２１，２２）と、光源ドライバ（２１，２２）によって駆動される光源部（３１，３２）と、パワースイッチ（１９）の制御端子（１９３）にパワースイッチ（１９）をオンオフさせる省電力スイッチ信号を供給する信号処理回路（１６）とを備える。
【００４９】
また、本発明の照明装置は、光源ドライバは第１光源ドライバ及び第２光源ドライバを有するとともに、光源部は第１光源部及び第２光源部を有し、第１光源ドライバは第１光源部を第２光源ドライバは第２光源部をそれぞれ駆動する。
【００５０】
また、本発明の照明装置は、第１光源ドライバ及び第２光源ドライバはパワースイッチの第２端子に共通に接続される。
【００５１】
また、本発明の照明装置は、第１光源部及び第２光源部は、昼光色、昼白色、白色、温白色、電球色から選ばれた少なくとも２つの白色光源部を備えている。
【００５２】
また、本発明の照明装置は、第１光源部は昼白色用ＬＥＤを有し、第２光源部は電球色用ＬＥＤを有する。
【００５３】
また、本発明の照明装置において、パワースイッチには、機械式リレーまたは半導体式リレーのいずれかを採用することができる。
【００５４】
また、本発明の照明装置において、光源ドライバは信号処理回路から出力されたパルス幅変調（ＰＷＭ）信号によって駆動される。
【００５５】
本発明の別の照明装置は、交流電源（１１）と、第１端子（１９１）、第２端子（１９２）及び制御端子（１９３）を有し第１端子（１９１）が交流電源（１１）に接続されるパワースイッチ（１９）と、パワースイッチ（１９）の第２端子（１９２）に接続されるＡＣ／ＤＣコンバータ（ＤＢ）と、ＡＣ／ＤＣコンバータ（ＤＢ）の出力に接続され第１端子（＋）及び第２端子（−）を有し第１電源電圧（ＤＣ１）を生成する平滑コンデンサ（Ｃ１）と、平滑コンデンサ（Ｃ１）の第１端子（＋）と第２端子（−）との間に生じた第１電源電圧（ＤＣ１）が入力され、第１電源電圧（ＤＣ１）よりも小さな第２直流電圧（ＤＣＬＥＤ）を生成する降圧チョッパー回路（４０）と、第２直流電圧（ＤＣＬＥＤ）が供給され、複数のＬＥＤ（ＬＥＤ１〜ＬＥＤ４）の接続体からなる光源部（３１）と、を有し、ＡＣ／ＤＣコンバータ（ＤＢ）の導通、非導通はパワースイッチ（１９）の制御端子（１９３）に印加される省電力スイッチ信号によって行われる。
【発明の効果】
【００５６】
上記構成によれば、パワースイッチを、主電源と、比較的消費電力の大きな光源ドライバとの間に配設するようにしたので、パワースイッチを遮断することによって光源ドライバ及び光源ドライバに接続される光源部で消費電力を遮断できるので待機電力の消費を削減し、照明装置全体の省電力化を図ることができる。
【図面の簡単な説明】
【００５７】
【図１】本発明の第１の実施形態にかかる照明装置を示す回路図である。
【図２】本発明の第２の実施形態にかかる照明装置を示す図である。
【図３】本発明の光源ドライバに適用される回路構成図である。
【図４】本発明のスイッチ駆動回路を示す回路図である。
【図５】本発明に適用されるパワースイッチの他の回路を示す。
【図６】本発明に適用されるパワースイッチのもう１つの他の回路構成図を示す。
【図７】本発明にかかる光源ドライバを導通及び遮断するときを示すタイミングチャートである。
【図８】本発明の第３の実施形態にかかる照明装置を示す図である。
【図９】本発明の第４の実施形態にかかる照明装置を示す図である。
【図１０】本発明の第５の実施形態にかかる照明装置を示す図である。
【図１１】本発明の第３〜第５の実施形態に用いる第１照明部３１０の回路図である。
【図１２】従来の照明装置を示す回路図である。
【図１３】本発明のバリエーションにかかる発明の１Ｂ実施形態に基づくＬＥＤ照明装置における調光・調色マップの定格出力範囲を示す図である。
【図１４】調光・調色マップの定格出力範囲を可変するパターンを示す図である。
【図１５】図１３の調光・調色マップの最大−最小の範囲と定格出力範囲に対応したＰＷＭ信号のデューティ比を示す図である。
【図１６】本バリエーション発明のＬＥＤ照明装置の昼白色ＬＥＤと電球色ＬＥＤの配置例を示す図である。
【図１７】ＬＥＤ照明装置の従来の点灯動作と消灯動作のタイムチャートを示す図である。
【図１８】本バリエーション発明のＬＥＤ照明装置の点灯動作と消灯動作のタイムチャートを示す図である。
【図１９】本バリエーション発明のＬＥＤ照明装置の点灯動作と消灯動作のタイムチャートを示す図である。
【図２０】本バリエーション発明のＬＥＤ照明装置の構成例を示すブロック図である。
【図２１】本バリエーション発明のＬＥＤ照明装置の昼白色ＬＥＤと電球色ＬＥＤにおけるＰＷＭ信号の例を示す図である。
【図２２】本発明のバリエーションにかかる発明の１Ｃ実施形態に基づくＬＥＤ照明器具を示す図である。
【図２３】図２２に示す本体部の概略構成図である。
【図２４】図２２に示す遠隔操作装置の拡大平面図である。
【図２５】図２２に示すＬＥＤ照明器具における制御の一例を示す図である。
【図２６】従来のＬＥＤ照明器具を示す図である。
【図２７】本発明のバリエーションにかかる発明の１Ｄ実施形態に基づくＬＥＤ照明器具を示す平面図である。
【図２８】図２７のＬＥＤ照明器具を示す側面図である。
【図２９】図２７のＬＥＤ照明器具を示す底面図である。
【図３０】図２９のＩＶ−ＩＶ線に沿う断面図である。
【図３１】図３０に示す支持部の拡大側面図である。
【図３２】図３１に示す支持部の要部拡大斜視図である。
【図３３】図３２のＶＩＩ−ＶＩＩ線に沿う断面図である。
【図３４】図３２のＶＩＩＩ−ＶＩＩＩ線に沿う断面図である。
【図３５】図３３に示す導電部を説明するための図である。
【図３６】図３２に示す基板を説明するための図である。
【図３７】図３６に示す基板の別の例を説明するための図である。
【図３８】図３３に示す導電部の一部と互換可能なスペーサ部材を説明するための図である。
【図３９】本バリエーション発明の２Ｄ実施形態に基づくＬＥＤ照明器具を示す断面図である。
【図４０】図３９に示すＬＥＤ照明器具の要部底面図である。
【図４１】図３９に示すＬＥＤ照明器具の要部側面図である。
【図４２】図３９に示す支持部の周方向に垂直な断面を示す図である。
【図４３】図３９に示すＬＥＤ照明器具の別の実施例を示す要部底面図である。
【図４４】図３９に示すＬＥＤ照明器具の別の実施例を示す要部底面図である。
【図４５】図３９に示すＬＥＤ照明器具の別の実施例を示す要部底面図である。
【図４６】本バリエーション発明の３Ｄ実施形態に基づくＬＥＤ照明器具を示す断面図である。
【図４７】従来のＬＥＤ照明器具を示す断面図である。
【図４８】本発明のバリエーションにかかる発明の１Ｅ実施形態に基づくＬＥＤ照明器具を示す正面図である。
【図４９】図４８のＩＩ−ＩＩ線に沿う断面図である。
【図５０】図４８のＬＥＤ照明器具に用いられるＬＥＤモジュールの一例を示す断面図である。
【図５１】図４８のＬＥＤ照明器具の他の使用例を示す断面図である。
【図５２】図４８のＬＥＤ照明器具を示す分解断面図である。
【図５３】図５１の使用例におけるＬＥＤ照明器具を構成するための分解断面図である。
【図５４】図４８のＬＥＤ照明器具の拡散反射板の変形例を示す要部拡大断面図である。
【図５５】図４８のＬＥＤ照明器具の拡散反射板の他の変形例を示す要部拡大断面図である。
【図５６】図４８のＬＥＤ照明器具の拡散反射板の他の変形例を示す要部拡大断面図である。
【図５７】図４８のＬＥＤ照明器具の拡散反射板の他の変形例を示す要部拡大断面図である。
【図５８】本バリエーション発明の２Ｅ実施形態に基づくＬＥＤ照明器具を示す断面図である。
【図５９】図５８に示すＬＥＤ照明器具を示す要部拡大断面図である。
【図６０】本バリエーション発明の２Ｅ実施形態に基づくＬＥＤ照明器具の変形例を示す断面図である。
【図６１】本バリエーション発明の２Ｅ実施形態に基づくＬＥＤ照明器具の変形例を示す要部拡大断面図である。
【図６２】本バリエーション発明の２Ｅ実施形態に基づくＬＥＤ照明器具の他の変形例を示す要部拡大断面図である。
【図６３】本バリエーション発明の２Ｅ実施形態に基づくＬＥＤ照明器具の他の変形例を示す要部拡大断面図である。
【図６４】本バリエーション発明の２Ｅ実施形態に基づくＬＥＤ照明器具の他の変形例を示す要部拡大断面図である。
【図６５】従来のＬＥＤ照明器具の一例を示す断面図である。
【図６６】本発明のバリエーションにかかる発明の１Ｆ実施形態に係るＬＥＤ照明器具を示す平面図である。
【図６７】図６６のＬＥＤ照明器具を示す側面図である。
【図６８】図６６のＬＥＤ照明器具を示す底面図である。
【図６９】図６６のＩＶ−ＩＶ線に沿う断面図である。
【図７０】図６６のＬＥＤ照明器具のカバーを除いた状態を示す平面図である。
【図７１】図６６のＬＥＤ照明器具に用いられるＬＥＤモジュールの一例を示す断面図である。
【図７２】本バリエーション発明の２Ｆ実施形態に係るＬＥＤ照明器具を示す図６９と同様の断面図である。
【図７３】図７２のＬＥＤ照明器具のカバーを除いた状態を示す平面図である。
【図７４】図７２のＬＥＤ照明器具のＬＥＤ搭載領域の周方向に沿った要部縦断面図である。
【図７５】本バリエーション発明の３Ｆ実施形態に係るＬＥＤ照明器具を示す図６９と同様の断面図である。
【図７６】図７５のＬＥＤ照明器具のＬＥＤ搭載領域の周方向に沿った要部縦断面図である。
【図７７】従来のＬＥＤ照明器具を示す断面図である。
【図７８】本発明のバリエーションにかかる発明に係るＬＥＤ照明器具の一例を示す平面図である。
【図７９】図７８のＬＥＤ照明器具を示す側面図である。
【図８０】図７８のＬＥＤ照明器具を示す底面図である。
【図８１】図７８のＩＶ−ＩＶ線に沿う断面図である。
【図８２】図７８のＬＥＤ照明器具のカバーを除いた状態を示す平面図である。
【図８３】図８２の要部拡大図である。
【図８４】隔壁の一部をＬＥＤ基板の径方向視において展開して示した図である。
【図８５】図７８のＬＥＤ照明器具に用いられるＬＥＤモジュールの一例を示す断面図である。
【図８６】本バリエーション発明の他の例に係るＬＥＤ照明器具を示し、図８１と同様の断面のおける要部拡大図である。
【図８７】本バリエーション発明の他の例を示す図８３と同様の要部平面図である。
【図８８】従来のＬＥＤ照明器具を示す平面図である。
【発明を実施するための形態】
【００５８】
（第１の実施形態）
図１は本発明にかかる照明装置を示す。照明装置１００は、図１２に示した従来の照明装置１２００とは、スイッチ駆動回路１８及びパワースイッチ１９を備えていることで相違する。スイッチ駆動回路１８は、信号処理回路１６とパワースイッチ１９との間に配設される。スイッチ駆動回路１８は信号処理回路１６から出力される指示信号Ｓ１６に応動する。
【００５９】
パワースイッチ１９には、機械式リレーまたは半導体式リレーのいずれかを用いることができる。機械式リレーにはたとえば電磁リレーが知られている。また、半導体式リレーとしてはたとえばフォトトライアックリレーやフォトＭＯＳリレーが知られている。いずれの方式のリレーを用いるにしても交流１００Ｖまたはそれ以上の比較的高い電圧をオンオフさせるに好適なリレーを用意しなければならない。
【００６０】
パワースイッチ１９の第１端子１９１と第２端子１９２との接続は、昼白色光源ドライバ２１及び電球色光源ドライバ２２の動作を遮断するとき、すなわち、第１光源部３１、第２光源部３２を遮断（消灯）するときには開放状態におかれる。図１に示した状態は、第１端子１９１と第２端子１９２との接続が遮断すなわち開放された状態を示している。第１端子１９１と第２端子１９２とを接続させるか遮断するかの選択は図示しないリモコン送信部から送信されリモコン受信部１７に到達した信号によって行われる。
【００６１】
信号処理回路１６から出力される指示信号Ｓ１６とスイッチ駆動回路１８から出力される省電力スイッチ信号Ｓ１８との信号極性は必ずしも一致させる必要はない。すなわち、指示信号Ｓ１６がハイレベルであるとき、省電力スイッチ信号Ｓ１８も同じハイレベルである必要はない。また、指示信号Ｓ１６がローレベルであるとき、省電力スイッチ信号Ｓ１８も同じローレベルである必要もない。なぜならば、指示信号Ｓ１６の極性に関わらず、スイッチ駆動回路１８から出力される省電力スイッチ信号Ｓ１８の極性はハイレベルまたはローレベルのいずれにも設定できるからである。また、スイッチ駆動回路１８から出力される信号の極性に関わらず、パワースイッチ１９の導通、非導通の動作はいずれにも設定することができる。
【００６２】
パワースイッチ１９の第１端子１９１にはたとえば商用電源である交流電圧ＡＣ１が印加されている。第１端子１９１と第２端子１９２が接続すなわち短絡されると、第２端子１９２にも交流電圧ＡＣ１が伝達される。この交流電圧ＡＣ１は、昼白色光源ドライバ２１及び電球色光源ドライバ２２の両者に共通に供給される。
【００６３】
昼白色光源ドライバ２１及び電球色光源ドライバ２２には交流電圧ＡＣ１のほかに信号処理回路１６からＰＷＭ信号Ｓｐｗｍ１，Ｓｐｗｍ２が供給される。すなわち、それぞれ、昼白色光源ドライバ２１には信号線１６１を介し、電球色光源ドライバ２２には信号線１６２を介してＰＷＭ信号が供給される。なお、本発明に用いられるＰＷＭ信号の周波数は５００Ｈｚ以上であることが望ましい。
【００６４】
第１光源部３１、第２光源部３２は、それぞれ昼白色光源ドライバ２１及び電球色光源ドライバ２２によってたとえばデューティ制御されて点灯する。
【００６５】
一般的に、照明装置においてのデューティ制御方式は、たとえばＬＥＤの明るさを制御する方法の１つである。もちろん、デューティ制御方式を採用せずにＬＥＤの明るさはそれに流す順方向電流の大きさを変えることでも調整することが可能である。しかし、この方法ではわずかな順方向電流の変化によって明るさが大きく変化するために明るさを微調整することが難しい。このためＬＥＤに流す電流を一定電流に設定しておいて、ＬＥＤを高速に点滅させるいわゆるデューティ制御方式を採用している。
【００６６】
なお、第１光源部３１、第２光源部３２にはＬＥＤを用いることができるが、それ以外にたとえば、有機ＥＬ（Electro Luminescence）、高輝度放電ランプ（ＨＩＤ）、蛍光ランプ、電球などであってもよい。
【００６７】
図１の照明装置１００は、第１光源部３１はＪＩＳ規格  Ｚ９１１２で決められた昼白色を、第２光源部３２は電球色を発光させ、両者の光を各別に調光してこの２つの間の明るさに調整する。
【００６８】
図１に示す本発明にかかる照明装置の特徴を要約すると、次のとおりである。すなわち、照明装置１００は、主電源１１と、第１端子１９１、第２端子１９２、及び制御端子１９３を有し、第１端子１９１が主電源１１に接続されるパワースイッチ１９と、パワースイッチ１９の第２端子１９２に接続される光源ドライバ２１（２２）と、光源ドライバ２１（２２）によって駆動される光源部３１（３２）と、パワースイッチ１９の制御端子１９３にパワースイッチ１９をオンオフさせる省電力スイッチ信号Ｓ１８を供給する信号処理回路１６とを備えていることである。
【００６９】
また、図１に示した照明装置１００は、光源ドライバは昼白色光源ドライバ２１に対応する第１光源ドライバと、電球色光源ドライバ２２に対応する第２光源ドライバを有する。さらに光源部は第１光源部３１及び第２光源部３２を有する。さらに第1光源ドライバ
２１は第１光源部３１を、第２光源ドライバ２２は第２光源部３２をそれぞれ駆動する。こうした回路構成においては、第１光源ドライバ及び第２光源ドライバの電源電圧はパワースイッチ１９の第２端子１９２側から共通に供給される。したがって、パワースイッチ１９を制御することで、両者の電源電圧供給を同時に供給または遮断することができるので待機電力の削減に効果的である。
【００７０】
（第２の実施形態）
図２は本発明の照明装置にかかる第２の実施形態を示す。第２の実施形態は図１に示した第１の実施形態とは光源ドライバ及び光源部の段数が増加していることで相違する。したがって、第２の実施形態は第１の実施形態に比べて光源ドライバでの消費電力はさらに増加することになる。
【００７１】
図２において、光源ドライバは第１の実施形態で採用した昼白色光源ドライバ２１及び電球色光源ドライバ２２に加えて、昼光色光源ドライバ２３、白色光源ドライバ２４、及び、温白色光源ドライバ２５を備えている。
【００７２】
また、第２の実施形態では、第１の実施形態で採用した第１光源部３１、第２光源部３２に加えて、第３光源部３３、第４光源部３４、及び第５光源部３５を備えている。
【００７３】
図２に示した第２の実施形態は、日本工業規格（ＪＩＳ）  Ｚ９１１２を意図して考案した照明装置を示す。すなわち、ＪＩＳ  Ｚ９１１２には、昼光色、昼白色、白色、温白色及び電球色の５つの白色が規定されている。第２の実施形態はこうした５色の白色を有する光源部とそれらを各別に駆動する光源ドライバを備えるようにしたものである。昼光色、昼白色、白色、温白色及び電球色の色温度はそれぞれ、６５００Ｋ(ケルヴィン)、５０００Ｋ、４２００Ｋ、３５００Ｋ、及び２９００Ｋである。
【００７４】
図２に示した照明装置２００での待機電力は、図１に示したものと同様に制御回路１２での待機電力を０．５Ｗとし、各光源ドライバでの待機電力をそれぞれ０．５Ｗとすると照明装置２００全体で３．０Ｗの電力を消費する。したがって、図１に示した第１の実施形態の２倍の待機電力が必要となる。
【００７５】
しかし、本発明によれば、パワースイッチ１９は、５段の光源ドライバを一気に遮断することができるので、制御回路１２の待機電力だけで済み、図１に示した照明装置１００と同じ待機電力で済む。すなわち、本発明の照明装置は光源ドライバの段数に関わらず待機電力は制御回路１２だけで済むので照明装置が大型になればなるほど、また、電力が高くなればなるほど効果を発揮する。
【００７６】
図３は、図１及び図２に示したパワースイッチ１９、昼白色光源ドライバ２１、及び第１光源部３１をより具体的に示したものである。なお、図３には説明の便宜上、昼白色光源ドライバ２１、及び第１光源部３１を例示したが、パワースイッチ１９、電球色光源ドライバ２２、及び第２光源部３２による回路構成にも同様に適用することができる。また、図２に示したパワースイッチ１９、昼光色光源ドライバ２３、及び第３光源部３３による回路構成、また、パワースイッチ１９、白色光源ドライバ２４、及び第４光源部３４による回路構成、また、パワースイッチ１９、温白色光源ドライバ２５、及び第５光源部３５による回路構成にも図３の回路を適用することができる。
【００７７】
なお、図３に示した第１光源部３１には作図上、ＬＥＤ１〜ＬＥＤ４の４つのＬＥＤを示したがこの数に限定されない。
【００７８】
図３において、主電源１１は、交流電圧ＡＣ１をパワースイッチ１９の第１端子１９１に供給する。パワースイッチ１９の第２端子１９２には、ダイオードブリッジ回路ＤＢが接続される。ダイオードブリッジ回路ＤＢは４つの整流ダイオードＤ１〜Ｄ４で構成されている。こうした構成は当業者に全波整流型のダイオードブリッジ回路としてよく知られている。すなわち、パワースイッチ１９はダイオードブリッジ回路ＤＢの後段ではなく、主電源１１のすぐ後段に配設している。換言すると、パワースイッチ１９はダイオードブリッジ回路ＤＢの前段に配設している。パワースイッチ１９を主電源１１のすぐ後段に設けることによって、照明装置全体の待機電力の消費を大幅に削減している。
【００７９】
ダイオードブリッジ回路ＤＢの出力は整流ダイオードＤ３とＤ４の共通カソード側に取り出される。この共通カソード側には平滑コンデンサＣ１の第１端子すなわち正極（＋）及び電源電圧供給線４２が接続されている。電源電圧供給線４２は、後段のチョッパー回路４０及び第１光源部３１に第１電源電圧ＤＣ１を供給する。第１電源電圧ＤＣ１はたとえば、直流１４０Ｖ程度で取り出すことができる。ダイオードブリッジ回路ＤＢは本発明においてＡＣ／ＤＣコンバータの１つを成している。正確にはダイオードブリッジ回路ＤＢと平滑コンデンサＣ１の組み合わせによってＡＣ／ＤＣコンバータを構成している。
【００８０】
昼白色光源ドライバ２１は、ダイオードブリッジ回路ＤＢの他に光源点灯電源回路（チョッパー回路４０）を備えている。チョッパー回路４０は、第１電源電圧ＤＣ１をそれよりも小さな直流電圧に変換するいわゆる降圧型のＤＣ−ＤＣコンバータの１つであり、一般的にはチョッパー回路と称される。
【００８１】
チョッパー回路４０は、スイッチングトランジスタＴＲ１、電流検出抵抗Ｒ１、コイルＬ１、コンデンサＣ２、及びダイオードＤ５を備える。チョッパー回路４０は、前に述べたように端的に言えば、第１電源電圧ＤＣ１が第１光源部３１を駆動するために好適なＬＥＤ印加電圧ＤＣＬＥＤに降圧される。
【００８２】
コンデンサＣ２とコイルＬ１とは直列に接続され、この直列接続体とダイオードＤ５が並列に接続されている。すなわち、ダイオードＤ５のアノードはコンデンサＣ２とコイルＬ１との共通接続ノードに接続され、カソードは電源電圧供給線４２に接続されている。
【００８３】
コイルＬ１とダイオードＤ５との共通接続ノードはスイッチングトランジスタＴＲ１のドレインＤに接続されている。
【００８４】
いま、スイッチングトランジスタＴＲ１のゲートＧにスイッチング信号Ｓｐｗｍのハイレベルが印加されると、スイッチングトランジスタＴＲ１は導通する。このとき、電源電圧供給線４２を介して第１光源部３１、コイルＬ１、スイッチングトランジスタＴＲ１、及び電流検出抵抗Ｒ１に電流が流れる。このときスイッチングトランジスタＴＲ１と電流検出抵抗Ｒ１に生じる電圧は小さいため、コイルＬ１の両端には第１電源電圧ＤＣ１からＬＥＤ印加電圧ＤＣＬＥＤを差し引いた、いわゆる、（ＤＣ１−ＤＣＬＥＤ）の電圧が印加される。たとえば、平滑コンデンサＣ１の両端に生じる第１電源電圧ＤＣ１が１４０Ｖであり、第１光源部３１の印加電圧ＤＣＬＥＤが４０Ｖとすると、コイルＬ１には（１４０−４０＝）１００Ｖの電圧が印加されることになる。
【００８５】
スイッチングトランジスタＴＲ１が非導通であるとき、すなわち、スイッチング信号Ｓｐｗｍがローレベルであるとき、コイルＬ１に逆起電力が生じ、この逆起電力によってコイルＬ１からダイオードＤ５を介して第１光源部３１に電流が供給される。このようにして、スイッチングトランジスタＴＲ１の導通、非導通の状態に関わらず第１光源部３１には電流が供給され、点灯し続ける。
【００８６】
なお、第１光源部３１への印加電圧ＤＣＬＥＤの大きさは、第１光源部３１を構成するたとえば、ＬＥＤの数によって定まる。ＬＥＤ１個の順方向電圧をたとえば３Ｖとすると、ＬＥＤが直列に１０個接続されている場合、ＬＥＤ印加電圧ＤＣＬＥＤ＝３Ｖ×１０＝３０Ｖとなる。また、ＬＥＤの数を２０個直列に接続した場合には、印加電圧ＤＣＬＥＤ＝３Ｖ×２０＝６０Ｖとなる。また、本発明にかかるＬＥＤ光源の接続方法は直列接続に限るものではなく、並列接続を組み合わせて接続し、駆動することができる。並列接続を組み合わせて接続する方法としては、たとえば先述のようにＬＥＤの数を２０個用意した場合には、１０個のＬＥＤを直列に接続したストリングを２つ並列に接続する方法（１０直×２並）、５個のＬＥＤを直列に接続したストリングを４つ並列に接続する方法（５直×４並）などが考えられ、これらの接続方法は照明装置の仕様によって適宜選択されうる。
【００８７】
スイッチングトランジスタＴＲ１のゲートＧに印加するスイッチング信号Ｓｐｗｍのデューティは、第１電源電圧ＤＣ１とＬＥＤ印加電圧ＤＣＬＥＤの大きさによって決定される。たとえば、第１電源電圧ＤＣ１＝１４０Ｖとし、ＬＥＤ印加電圧ＤＣＬＥＤ＝４０Ｖとすると、スイッチング信号Ｓｐｗｍのデューティは、４０／１４０＝０．２８６、すなわち、２８．６％となる。また、第１電源電圧ＤＣ１＝１４０Ｖとし、ＬＥＤ印加電圧ＤＣＬＥＤ＝６０Ｖとすると、スイッチング信号Ｓｐｗｍのデューティは、６０／１４０＝０．４２９、すなわち４２．９％となる。
【００８８】
図３において、パワースイッチ１９を導通、非導通する省電力スイッチ信号Ｓ１８は信号処理回路１６から印加される。
【００８９】
信号処理回路１６は、スイッチングトランジスタＴＲ１をオンオフ制御するためにフリップフロップ１６１０、コンパレータ１６２０及び発振器１６３０を有する。フリップフロップ１６１０はセット端子Ｓ、リセット端子Ｒ、及び出力端子Ｑを有しており、セット端子Ｓにセット信号が入力されると、出力端子Ｑからオン信号を出力し、リセット端子Ｒにリセット信号が入力されると出力端子Ｑからの出力を停止させる。
【００９０】
コンパレータ１６２０は、電流検出抵抗Ｒ１で検出された電圧Ｖｓと基準電圧Ｖｒｅｆとを比較し、電圧Ｖｓが基準電圧Ｖｒｅｆに達したときにフリップフロップ１６１０のリセット端子Ｒにリセット信号を印加する。
【００９１】
発振器１６３０は、フリップフロップ１６１０のセット端子Ｓに所定の周期でセット信号を出力する。なお、第１電源電圧ＤＣ１の大きさに応じてその発振周波数を変化させる場合には電圧制御型発振器（ＶＣＯ）を用いる。
【００９２】
図４は、図１、図２に示した本発明にかかるスイッチ駆動回路１８の具体的な回路構成を示す。スイッチ駆動回路１８は、たとえば、トランジスタＴＲ２，ＴＲ３及び抵抗Ｒ２，Ｒ３，Ｒ４，Ｒ５，Ｒ６で構成される。トランジスタＴＲ２，ＴＲ３はバイポーラトランジスタで構成したが、ＭＯＳトランジスタであってもかまわない。
【００９３】
トランジスタＴＲ２のベース・エミッタ間には抵抗Ｒ３が並列に接続されている。抵抗Ｒ３はトランジスタＴＲ２のベース側に流れる電流の大きさを決定する。トランジスタＴＲ２のエミッタは接地電位ＧＮＤに接続されている。
【００９４】
トランジスタＴＲ２のコレクタは抵抗Ｒ４の第１端子に、抵抗Ｒ４の第２端子はトランジスタＴＲ３のベースと抵抗Ｒ５の第１端子にそれぞれ接続されている。抵抗Ｒ５の第２端子はトランジスタＴＲ３のエミッタと抵抗Ｒ６の第１端子に、抵抗Ｒ６の第２端子は電源電圧ＶＤＤにそれぞれ接続されている。電源電圧ＶＤＤはたとえば５Ｖに設定されている。
【００９５】
抵抗Ｒ６，Ｒ５，Ｒ４はトランジスタＴＲ２に流れる電流を決定する。
【００９６】
トランジスタＴＲ２のベースには信号処理回路１６から抵抗Ｒ２を介して指示信号Ｓ１６が印加される。トランジスタＴＲ２は指示信号Ｓ１６がハイレベルのときに導通し、ローレベルのときに非導通におかれる。すなわち、トランジスタＴＲ２は指示信号Ｓ１６のハイレベルまたはローレベルに応動する。
【００９７】
トランジスタＴＲ２，ＴＲ３の導通、非導通状態は同期している。すなわち、トランジスタＴＲ２が導通状態であるときトランジスタＴＲ３も導通する。同様にトランジスタＴＲ２が非導通のときにはトランジスタＴＲ３も非導通状態におかれる。
【００９８】
信号処理回路１６から出力された指示信号Ｓ１６がローレベルのときはコイルＬ２には電流が流れない。このとき、パワースイッチ１９の第１端子１９１と第２端子１９２が開放状態におかれる。こうした方式をここではノーマルオープン方式と称する。一方、コイルＬ２に電流が流れていないとき、第１端子１９１と第２端子１９２が短絡状態すなわち両者が電気的に接続されるように設定される方式をここではノーマルクローズ方式と称する。
【００９９】
上記ノーマルオープン方式では、指示信号Ｓ１６をハイレベルにすると、コイルＬ２に電流が流れ、第１端子１９１と第２端子１９２が開放状態から短絡状態に遷移する。一方、ノーマルクローズ方式では、第１端子１９１と第２端子１９２が短絡状態から開放状態に遷移する。
【０１００】
本発明の照明装置に用いるパワースイッチ１９は、ノーマルオープン方式であってもよいし、ノーマルクローズ方式であってもかまわない。
【０１０１】
また、指示信号Ｓ１６がハイレベルのときにコイルＬ２に電流が流れないようにすることも可能であり、ローレベルのときに流れるようにすることも容易に可能である。なぜならば、指示信号Ｓ１６のハイレベル及びローレベルの状態に関わらずコイルＬ２への電流の供給及び遮断の選択は、スイッチ駆動回路１８の回路構成を簡単に変更することで可能であるからである。
【０１０２】
いずれにしても、照明装置１００，２００での待機電力を削減するには、図１、図２に示した昼白色光源ドライバ２１、電球色光源ドライバ２２、昼光色光源ドライバ２３、白色光源ドライバ２４、及び温白色光源ドライバ２５への電力供給を遮断しなければならず、パワースイッチ１９の第１端子１９１と第２端子１９２との接続が開放状態になるように設定しなければならない。
【０１０３】
図５は本発明の照明装置に用いられるパワースイッチ１９としてフォトＭＯＳリレーを用いた一例を示す。フォトＭＯＳリレーはよく知られた半導体方式リレーの１つである。
【０１０４】
パワースイッチ１９は、トランジスタＴＲ４，ＴＲ５、及びダイオードＤ６，Ｄ７を有する。トランジスタＴＲ４，ＴＲ５はたとえば、ｎチャンネル型のＭＯＳトランジスタからなる。もちろん、ＮＰＮ型バイポーラトランジスタを用いることもできる。トランジスタＴＲ４，ＴＲ５のソースＳ同士は共通に接続される。
【０１０５】
トランジスタＴＲ４のドレインＤは、ダイオードＤ６のカソードと共通接続され、その共通接続ノードはパワースイッチ１９の第１端子１９１に接続される。第１端子１９１には主電源１１から交流電圧ＡＣ１が印加される。
【０１０６】
ダイオードＤ６，Ｄ７のアノード同士は共通接続され、その共通接続ノードは、トランジスタＴＲ４，ＴＲ５のソースＳ同士に接続される。
【０１０７】
トランジスタＴＲ５のドレインＤは、ダイオードＤ７のカソードと共通接続され、その共通接続ノードはパワースイッチ１９の第２端子１９２に接続される。
【０１０８】
トランジスタＴＲ４，ＴＲ５のゲートＧ同士は共通接続される。この共通に接続されたゲートＧは制御端子１９３に接続される。実際には共通ゲートＧ側には図示しない光発電セルが配設され、光発電セルは発光ダイオードＬＥＤ５が光るとゲートＧとソースＳとの間の電圧を高くして導通させる。
【０１０９】
制御端子１９３には発光ダイオードＬＥＤ５からの光を元に発生した図示しない電圧が印加されている。発光ダイオードＬＥＤ５には図１、図２に示したリモコン受信部１７で受信した信号を印加することができる。また、スイッチ駆動回路１８から出力される省電力スイッチ信号Ｓ１８や、信号処理回路１６から出力される指示信号Ｓ１６に基づき生成した光信号を印加することもできる。
【０１１０】
なお、フォトＭＯＳリレーにはメーク型とブレーク型の２種類存在する。メーク型は前に述べたノーマルオープン方式と同じであり、発光ダイオードＬＥＤ５が光っていないときにトランジスタＴＲ４，ＴＲ５は非導通状態におかれ、発光ダイオードＬＥＤ５が光るとトランジスタＴＲ４，ＴＲ５のゲートＧとソースＳ間の電圧が高くなり導通する方式である。
【０１１１】
また、ブレーク型は前に述べたノーマルクローズ方式と同じであり、発光ダイオードＬＥＤ５が光っていないときにトランジスタＴＲ４，ＴＲ５は導通状態におかれ、発光ダイオードＬＥＤ５が光るとトランジスタＴＲ４，ＴＲ５のゲートＧとソースＳ間を逆方向にして非導通する方式である。
【０１１２】
本発明のパワースイッチ１９としてはメーク型及びブレーク型のいずれの方式のフォトＭＯＳリレーをも用いることができる。
【０１１３】
図５に示したフォトＭＯＳリレーは、パワースイッチ１９の制御端子１９３に印加される電圧に応動してトランジスタＴＲ４，ＴＲ５が応動し、パワースイッチ１９の第１端子１９１と第２端子１９２との間の導通、非導通が制御される。このようにして、本発明の照明装置１００，２００に用いるパワースイッチ１９は機械方式リレーだけではなく半導体方式のリレーも用いることができる。
【０１１４】
図６は、パワースイッチ１９にフォトトライアック方式リレーを用いた一例を模式的に示す。フォトトライアック方式リレーは半導体方式リレーの１つである。トライアックは２個のサイリスタを逆並列に接続し双方向に電流を流すことができる半導体素子である。本発明に用いるフォトトライアック方式リレーは、いわゆる、トライアックとフォトトライアックを組み合わせたものである。
【０１１５】
パワースイッチ１９はトライアックＴＲＩＡＣを有する。トライアックＴＲＩＡＣの第１端子Ｔ１はパワースイッチ１９の第１端子１９１に接続され、第２端子Ｔ２は第２端子１９２に接続される。トライアックＴＲＩＡＣを制御するためのいわゆるトリガ電極は制御端子１９３に接続される。
【０１１６】
図６に示したフォトトライアック方式リレーは比較的簡単に示しており、実際は制御端子１９３側には赤外の発光ダイオードＬＥＤ６と光結合されるフォトトライアックやフォトカプラが配設されている。また、制御端子１９３側にはトライアックＴＲＩＡＣをトリガするためのトリガ回路やゼロクロス回路が接続されることが多い。また、トライアックＴＲＩＡＣの第１端子Ｔ１と第２端子Ｔ２との間にサージ吸収回路を配設する方法もよく知られている。
【０１１７】
図７は図１、図２に示した昼白色光源ドライバ２１、電球色光源ドライバ２２、昼光色光源ドライバ２３、白色光源ドライバ２４、及び温白色光源ドライバ２５を導通及び非導通させ、スイッチ駆動回路１８から出力される省電力スイッチ信号Ｓ１８を模式的に示す。
【０１１８】
省電力スイッチ信号Ｓ１８は、時刻ｔ１で交流電圧ＡＣ１が投入されると同時にハイレベルＨＩとなり、このときに第１光源部３１〜第５光源部３５が点灯される状態を模式的に示している。時刻ｔ２ではこれらの光源部を消灯するために省電力スイッチ信号Ｓ１８はハイレベルＨＩからローレベルＬＯに切り換える。消灯期間は時刻ｔ３まで続き、時刻ｔ３では再点灯させるという状態を示している。
【０１１９】
図７に示したものは省電力スイッチ信号Ｓ１８がハイレベルＨＩで各光源部が点灯し、ローレベルＬＯで消灯するものとしたが、前にも述べたように、この状態は逆転させることも容易に可能である。すなわち、省電力スイッチ信号Ｓ１８がローレベルＬＯのときに各光源部が点灯し、ハイレベルＨＩで消灯することも容易に設定することができる。
【０１２０】
（第３の実施形態）
図８は本発明にかかる照明装置の第３の実施形態を示す。図１、図２に示したものとの共通点は、主電源１１、制御回路１２、スイッチ駆動回路１８、及びパワースイッチ１９を備えていることである。しかし、これらと大きく異なる第１の相違点は第１ＬＥＤ照明部３１０、第２ＬＥＤ照明部３２０、及び第３ＬＥＤ照明部３３０を有していることである。
【０１２１】
第１ＬＥＤ照明部３１０は第１定電流回路３１１と第１ＬＥＤ回路３１２を有する。第１定電流回路３１１は、第１ＬＥＤ回路３１２に定電流ＣＣ１を供給する。第２ＬＥＤ照明部３２０は第２定電流回路３２１と第２ＬＥＤ回路３２２を有する。第２定電流回路３２１は、第２ＬＥＤ回路３２２に定電流ＣＣ１を供給する。第３ＬＥＤ照明部３３０は第３定電流回路３３１と第３ＬＥＤ回路３３２を有する。第３定電流回路３３１は、第３ＬＥＤ回路３３２に定電流ＣＣ１を供給する。これら３つの照明部は、ある１つの色温度だけに設定することができる。たとえば、３つのＬＥＤ照明部すべてが昼白色光源用であってもよいし、または３つのすべてが、電球色光源用でもあってもかまわない。または、ＪＩＳ規格  Ｚ−９９１２に規定された昼光色、白色、温白色のいずれか１つの白色の色温度に設定されたものであってもよい。もちろん、図１、図２に示した第１の実施形態、第２の実施形態のように色温度の異なる光源色を複数段用意するものであってもよい。
【０１２２】
なお、図８には第１ＬＥＤ照明部３１０、第２ＬＥＤ照明部３２０、及び第３ＬＥＤ照明部３３０の３つのＬＥＤ照明部を示したが、これ以下であってもかまわないし、これ以上であってもかまわない。
【０１２３】
図８に示した第３の実施形態が図１、図２に示した第１の実施形態、第２の実施形態との第２の大きな相違点は、パワースイッチ１９のすぐ後段にＡＣ／ＤＣコンバータ１３０及びＤＣ／ＤＣコンバータ１５０を配設したことである。ＡＣ／ＤＣコンバータ１３０は交流電圧ＡＣ１を直流電圧ＤＣ１０に変換し、ＤＣ／ＤＣコンバータ１５０では直流電圧ＤＣ１０を直流電圧ＤＣ２０に変換するものを示す。直流電圧ＤＣ２０は第１定電流回路３１１を介して第１ＬＥＤ回路３１２に供給される。また、直流電圧ＤＣ２０は第２定電流回路３２１を介して第２ＬＥＤ回路３２２に供給される。また、直流電圧ＤＣ２０は第３定電流回路３３１を介して第３ＬＥＤ回路３３２に供給される。
【０１２４】
図８に示した照明装置８００は、作図及び説明の都合上ＡＣ／ＤＣコンバータ１３０及びＤＣ／ＤＣコンバータ１５０は、第１ＬＥＤ照明部３１０、第２ＬＥＤ照明部３２０、及び第３ＬＥＤ照明部３３０の３つのＬＥＤ照明部に共用させるものとしたが、各照明部に各別にＡＣ／ＤＣコンバータ１３０及びＤＣ／ＤＣコンバータ１５０を用意してもかまわない。
【０１２５】
（第４の実施形態）
図９は本発明の第４の実施形態にかかる照明装置９００を示す。図８に示した第３の実施形態の一部を変容したものである。すなわち、図８では、信号処理回路１６を駆動するための電源電圧を生成するために、制御回路１２を用意し、制御回路１２の中にＡＣ／ＤＣコンバータ１３、トランス１４、ＤＣ／ＤＣコンバータ１５を配設したが、図９ではこれらの回路部を用いずに、直流電圧源ＶＢＡＴを用意したことである。直流電圧源ＶＢＡＴはたとえば、３．３Ｖまたは５．０Ｖのバッテリーとすることができる。第４の実施形態は第１、第２、及び第３の実施形態に比べて照明装置全体を小型化及び低コスト化することができる。
【０１２６】
（第５の実施形態）
図１０は本発明の第５の実施形態にかかる照明装置１０００を示す。図９に示した第４の実施形態では、パワースイッチ１９には主電源１１から交流電圧ＡＣ１が供給される方式であったが、図１０では直流電圧の主電源１１ａを用意している。すなわち、第１〜第４の実施形態では主電源１１がいずれも交流電圧ＡＣ１を供給するものとしてきたが、図１０に示した第５の実施形態は主電源１１ａが直流電圧である場合を示している。昨今、部屋の天井に直接取り付けるシーリングライトは商用電源の交流電圧ＡＣ１を元にして点灯されることが多いが、今後は家庭内で発電した直流電源を元にしてＬＥＤ照明、有機ＥＬ照明、蛍光ランプ、または高輝度放電ランプ(ＨＩＤ)などを点灯させることが増えることが予測できる。本発明の照明装置はこうしたものにも適用することが可能である。
【０１２７】
図１１は、図８、図９、及び図１０に示した第１ＬＥＤ照明部３１０の具体的な回路構成を示す。なお、第２ＬＥＤ照明部３２０、及び第３ＬＥＤ照明部３３０の具体的な回路構成も基本的には図１１に示したものと同じである。
【０１２８】
図１１に示す第１ＬＥＤ照明部３１０には、直流電圧供給線３４０より直流電圧Ｖ４０が供給されている。直流電圧供給線３４０からは第１定電流回路３１２で生成された定電流ＣＣ１が発光ダイオードＬＥＤ１、ＬＥＤ２、ＬＥＤ３、及びＬＥＤ４の順序に流れるように配設されている。発光ダイオードＬＥＤ１〜ＬＥＤ４の直列接続体にはトランジスタＴＲ６のコレクタが接続され、トランジスタＴＲ６のベースには発光ダイオードＬＥＤ１〜ＬＥＤ４の明るさを調整するためにパルス幅が制御されるパルス信号が印加されている。発光ダイオードＬＥＤ１〜ＬＥＤ４が発光する明るさはＰＷＭ信号Ｓｐｗｍのパルス幅によって制御される。すなわち、図１１には定電流でかつデューティ制御方式の明るさ調整方法が採用されている。なお、図３の説明で先述のように、本発明にかかるＬＥＤ光源の接続方法は直列接続に限るものではなく、並列接続を組み合わせて接続し、駆動することができる。
【０１２９】
なお、図１１に点線で示すように、定電流ＣＣ１に替えて抵抗Ｒ７に置き換えることもできる。こうした構成は、定電圧のデューティ制御方式の明るさ調整方法として知られている。こうした方法は発光ダイオードＬＥＤ１〜ＬＥＤ４の順方向電圧が偏倚すると発光する明るさが変化するという不具合が生じるが、定電流方式に比べて回路構成が簡単になるというメリットが得られる。
【産業上の利用可能性】
【０１３０】
以上説明したように本発明の照明装置は待機電力の大幅な削減を図ることができ、特に高い明るさを要求される照明装置や消費電力が大きな大型の照明装置に好適であるので、産業上の利用可能性は高い。
【０１３１】
（１Ｂ実施形態）
以下、図面を参照して本発明のバリエーションにかかる発明の１Ｂ実施形態を説明する。以下の図面の記載において、同一又は類似の部分には、同一又は類似の符号を付している。図面は模式的なものであり、図面相互間において互いの寸法の関係や比率が異なる部分が含まれている場合がある。
【０１３２】
図１３は、本バリエーション発明のＬＥＤ照明装置における輝度及び／又は色度を補正する方法を説明するための調色・調光マップを示す。本バリエーション発明のＬＥＤ照明装置は、図１６に示すように、色温度（色調）が異なる２つの白色系ＬＥＤ（発光ダイオード）の組み合わせで構成される。
【０１３３】
白色域には、ＪＩＳ規格にも定められるように、色温度の高い方から順に昼光色の色域（色温度：約５７００Ｋ〜約７１００Ｋ）、昼白色の色域（色温度：約４６００Ｋ〜約５４００Ｋ）、白色の色域（色温度：約３９００Ｋ〜約４５００Ｋ）、温白色の色域（色温度：約３２００Ｋ〜約３７００Ｋ）、及び電球色の色域（色温度：約２６００Ｋ〜約３１５０Ｋ）が並んでいる。これらの中のいずれの色調のＬＥＤを用いてもよい。言い換えれば、昼光色ＬＥＤ群、昼白色ＬＥＤ群、白色ＬＥＤ群、温白色ＬＥＤ群、及び電球色ＬＥＤ群の中から任意に選択される２つのＬＥＤランプ群によって本バリエーション発明の発光部を構成することができる。
【０１３４】
好ましい例としては、昼白色ＬＥＤランプ群と電球色ＬＥＤランプ群からなる発光部とする。
【０１３５】
具体的には、図１６に示すように、複数の電球色（Ｌ色）ＬＥＤと複数の昼白色（Ｎ色）ＬＥＤが交互に、例えば円形状に配置されている。すなわち、Ｌ色のＬＥＤとＮ色のＬＥＤとが１対になって、中央の電源カバーと略同心円状に配置されている。電球色ＬＥＤと昼白色ＬＥＤの一方のＬＥＤのみの輝度を変えれば、色度も輝度も変化する。また、電球色ＬＥＤの輝度と昼白色ＬＥＤの輝度の相対的な割合を変化させずに、両方のＬＥＤの光出力を上げると色度が変化せずに輝度が上昇し、両方のＬＥＤの光出力を下げると色度が変化せずに輝度が低くなる。
【０１３６】
ここで、ＬＥＤ素子は、例えばＧａＮ系半導体からなるｎ型半導体層、ｐ型半導体層、およびこれらに挟まれた活性層からなる。ＬＥＤ素子からは、例えば青色光が発せられる。
【０１３７】
また、ＬＥＤ素子は封止樹脂により覆われており、封止樹脂は、例えば透明なエポキシ樹脂またはシリコーン樹脂に蛍光体材料が混入された材質からなる。この蛍光体材料は、例えばＬＥＤ素子から発せられた青色光によって励起されることにより黄色光を発する。この黄色光とＬＥＤ素子からの青色光とが混色することにより、白色系の光が得られる。なお、封止樹脂には、青色光によって励起されることにより赤色光を発する蛍光体材料と緑色光を発する蛍光体材料とが混入されたものを用いてもよい。
【０１３８】
図１３の調色・調光マップでは、電球色（Ｌ色）ＬＥＤの輝度と昼白色（Ｎ色）ＬＥＤの輝度を変化させた場合に、色度がどのように変化するのかが示されている。調色・調光マップのＡ点は、Ｌ色のＬＥＤの光出力が最大の状態で、Ｎ色のＬＥＤの光出力が最大の状態を示す。すなわち、Ａ点では、両方のＬＥＤによる輝度は最大となり、Ｌ色とＮ色の色温度の比は１：１となる。Ｂ点は、Ｌ色のＬＥＤの光出力が最大の状態で、Ｎ色のＬＥＤの光出力が０（消灯）の状態を示す。すなわち、Ｂ点の輝度はＡ点の輝度の１／２になり、最も色温度（色度）が低い状態（２９００Ｋ）となる。
【０１３９】
また、Ｃ点は、Ｌ色のＬＥＤの光出力が０（消灯）の状態で、Ｎ色のＬＥＤの光出力が最大の状態を示す。すなわち、Ｃ点の輝度はＢ点の輝度と同じでＡ点の輝度の１／２になり、最も色温度（色度）が高い状態（５０００Ｋ）となる。Ｄ点は、Ｌ色のＬＥＤの光出力が０（消灯）の状態で、Ｎ色のＬＥＤの光出力が０（消灯）の状態を示す。すなわち、Ｄ点では、両方のＬＥＤによる輝度は最小（消灯）となり、色温度（色度）はＡ点と同じでＢ点とＣ点のちょうど中間となる。
【０１４０】
ここで、Ｌ色のＬＥＤの光出力とＮ色のＬＥＤの光出力をそれぞれ０（消灯）〜最大値まで変化させた場合の領域がＡＢＣＤの４点で囲まれた実線の正方形である。しかし、Ｌ色のＬＥＤ及びＮ色のＬＥＤともに、光出力にバラツキがある。このため、ＡＢＣＤの４点で囲まれた正方形内の輝度・色度を網羅することはできず、照明装置によって色度、輝度の範囲が図１３のＡＢＣＤの４点で囲まれた正方形とずれてしまう。
【０１４１】
そこで、ＬＥＤの光出力範囲のバラツキを考慮して、あらかじめ最大光出力範囲までのＡＢＣＤの領域を調色、調光の定格出力範囲として設定するのではなく、バラツキの最大値を考慮してＡＢＣＤ領域の内側のＡ’Ｂ’Ｃ’Ｄ’の点線で囲まれた領域を、定格出力範囲として設定する。
【０１４２】
通常、ＬＥＤは定電流源と接続され、電流によるＰＷＭ（パルス幅変調）信号で駆動されるため、ＬＥＤの光出力を変化させる場合には、ＬＥＤドライバから出力されるＰＷＭ信号のオン期間のデューティ比を変化させて用いる。ＬＥＤの光出力を最大にする場合は、デューティ比１００％で駆動させている。一方、ＬＥＤの光出力を最小（消灯）の場合は、デューティ比０％で駆動させている。しかし、Ａ’Ｂ’Ｃ’Ｄ’の各点では、Ｌ色のＬＥＤの光出力とＮ色のＬＥＤの光出力をどちらも最大、最小にせずに、使用するようにする。
【０１４３】
Ｌ色のＬＥＤの光出力とＮ色のＬＥＤの光出力と各ＰＷＭ信号との関係を図１５に示す。また、図２１に、Ｎ色のＬＥＤのＰＷＭ信号とＬ色のＬＥＤのＰＷＭ信号の例を示す。図２１のパルスＰ１はＮ色のＬＥＤのＰＷＭ信号であり、パルスＰ２はＬ色のＬＥＤのＰＷＭ信号である。
【０１４４】
パルスＰ１は、周期ｔのパルス信号であり、オン期間がｔ１で示される。パルスＰ１のデューティ比＝１００×（ｔ１／ｔ）％である。また、パルスＰ２は、周期ｔのパルス信号であり、オン期間がｔ２で示される。パルスＰ２のデューティ比＝１００×（ｔ２／ｔ）％である。ここで、Ｐ１では、オン期間ｔ１が点線で示されるパルス幅に変化する（パルス幅変調）ことで、Ｎ色のＬＥＤの光出力が変化する。Ｐ２では、オン期間ｔ２が点線で示されるパルス幅に変化する（パルス幅変調）ことで、Ｌ色のＬＥＤの光出力が変化する。
【０１４５】
例えば、Ｐ１のデューティ比が１００％であれば、Ｎ色のＬＥＤの光出力が最大となり、Ｐ１のデューティ比が０％であれば、Ｎ色のＬＥＤの光出力が最小となる。Ｐ２についても同様である。また、例えば、Ｐ２のオン期間ｔ２を直線的に増加させていくと、デューティ比も直線的に増加し、増光が直線的（段階的）に行われる。オン期間ｔ２を直線的に減少させていくと、デューティ比も直線的に減少し、減光が直線的（段階的）に行われる。Ｐ１についても同様である。
【０１４６】
また、例えば、Ｐ１のオン期間ｔ１を非線形的に増加させるようにすると、デューティ比も非線形的に増加し、増光が非直線的に行われる。オン期間ｔ１を非線形的に減少させるようにすると、デューティ比も非線形的に減少し、減光が非直線的に行われる。非直線的な増減の例としては、例えば、指数関数的な増減、２次関数的な増減等がある。Ｐ２についても同様である。
【０１４７】
次に、図１５を説明すると、ＬはＬ色を、ＮはＮ色を示す。図１５（ａ）は、ＡＢＣＤの４点におけるＬＥＤのＰＷＭ信号のデューティ比を示す。Ａ点ではＬ色及びＮ色ともに、１００％のデューティ比（最大出力）である。Ｂ点では、Ｌ色が１００％、Ｎ色が０％のデューティ比（最小出力）である。Ｃ点では、Ｌ色が０％、Ｎ色が１００％のデューティ比である。Ｄ点では、Ｌ色及びＮ色ともに０％のデューティ比である。
【０１４８】
図１５（ｂ）は、Ａ’Ｂ’Ｃ’Ｄ’の４点におけるＬＥＤのＰＷＭ信号のデューティ比を示す。各点において、Ｌ色のＬＥＤの光出力とＮ色のＬＥＤの光出力にα％の余裕（許容）を持たせている。ここで、α＞０である。Ａ’点では、Ｌ色及びＮ色ともに、（１００−α）％のデューティ比である。Ｂ’点では、Ｌ色が（１００−α）％、Ｎ色がα％のデューティ比である。Ｃ’点では、Ｌ色がα％、Ｎ色が（１００−α）％のデューティ比である。Ｄ’点では、Ｌ色及びＮ色ともにα％のデューティ比である。
【０１４９】
すなわち、Ａ’点では、Ａ点と比較して色度を変えずに、輝度を２α下げている。Ｂ’点では、Ｂ点と比較して輝度を変えずに、色度を２α高くなるようにしている。Ｃ’点では、Ｃ点と比較して輝度を変えずに、色度を２α低くなるようにしている。Ｄ’点では、Ｄ点と比較して色度を変えずに、輝度を２α上げている。
【０１５０】
このように、許容できる領域を設けておくと、必要に応じて、輝度と色度の定格出力範囲を微調整することができる。例えば、図１４のように調整することができる。図１４（ａ）は、図１３の位置で言えば、Ａ’Ｂ’Ｃ’Ｄ’の４点で囲まれた領域を上方向に２αまで平行移動できることを示しており、上限はＡ’点をＡ点に一致させた状態である。図１４（ｂ）は、Ａ’Ｂ’Ｃ’Ｄ’の４点で囲まれた領域を左方向に２αまで平行移動できることを示しており、上限はＢ’点をＢ点に一致させた状態である。図１４（ｃ）は、Ａ’Ｂ’Ｃ’Ｄ’の４点で囲まれた領域を右方向に２αまで平行移動できることを示しており、上限はＣ’点をＣ点に一致させた状態である。図１４（ｄ）は、Ａ’Ｂ’Ｃ’Ｄ’の４点で囲まれた領域を下方向に２αまで平行移動できることを示しており、上限はＤ’点をＤ点に一致させた状態である。
【０１５１】
すなわち、完成したＬＥＤ照明装置の発光部の照度及び色度を測定して輝度−色度マップを作成した場合、本来Ａ’Ｂ’Ｃ’Ｄ’の４点の位置になければならないが、輝度が全体に低下しており、測定時の輝度−色度マップがＤ点の位置に近づいていたとする。この場合は、図１４（ａ）のように上シフトを行い、Ａ’Ｂ’Ｃ’Ｄ’の４点に合わせるように補正する。このように、αの許容範囲で調整することにより、定格範囲に揃えることができる。
【０１５２】
また、許容範囲αは、Ｌ色のＬＥＤの光出力及びＮ色のＬＥＤの光出力のバラツキの範囲に合わせるのが、最も適切である。実際にいくつかのサンプルで確認したところ、Ｌ色のＬＥＤの光出力が最もばらついたサンプルでは、最大出力（デューティ比１００％）で比較してみると、最も輝度の高いＬＥＤを最も低い輝度のＬＥＤの輝度に合わせるためには、最も輝度の高いＬＥＤのデューティ比を７０％にする必要があった。一方、Ｌ色のＬＥＤの光出力が最もばらつかなかったサンプルでは、最大出力で比較してみると、最も輝度の高いＬＥＤを最も低い輝度のＬＥＤの輝度に合わせるためには、最も輝度の高いＬＥＤのデューティ比を８９％にする必要があった。なお、ＬＥＤの最小出力は、完全に消灯することになるので、ばらつくことがなく、デューティ比の最小値は０％である。また、Ｎ色のＬＥＤのサンプルについても、上記と同様の結果が得られた。これらの結果より、Ｌ色のＬＥＤの光出力及びＮ色のＬＥＤの光出力に最もばらつきがある場合を考慮すると、０＜α＜３０（％）とすることが望ましい。
【０１５３】
このように、Ｌ色のＬＥＤ及びＮ色のＬＥＤともに、光出力に所定の許容範囲αを持たせておき、工場出荷時に検査で微調整することで、ＬＥＤ照明装置のすべてを一定の輝度−色度の範囲で発光するように調整することができる。また、工場出荷時に調整した輝度−色度の範囲では、ユーザが満足できない場合、αの範囲をユーザの好みに合うようにユーザに設定してもらうようにすることができる。
【０１５４】
具体的には、ＣNをＮ色ＬＥＤの色度バラツキの平均値、ＣNMをＮ色ＬＥＤの色度バラ
ツキ最大値の絶対値、ＣLをＬ色ＬＥＤの色度バラツキの平均値、ＣLMをＬ色ＬＥＤの色
度バラツキ最大値の絶対値、ＩNをＮ色ＬＥＤの輝度バラツキの平均値、ＩNMをＮ色ＬＥ
Ｄの輝度バラツキ最大値の絶対値、ＩLをＬ色ＬＥＤの輝度バラツキの平均値、ＩLMをＬ
色ＬＥＤの輝度バラツキ最大値の絶対値、ＣＢをＮ色及びＬ色を合わせた全体の色度バラツキの平均値、ＣＢMをＮ色及びＬ色を合わせた全体の色度バラツキ最大値の絶対値、Ｉ
ＢをＮ色及びＬ色を合わせた全体の輝度バラツキの平均値、ＩＢMをＮ色及びＬ色を合わ
せた全体の輝度バラツキ最大値の絶対値とする。また、Ｃ１＝ＭＡＸ（ＣN，ＣL）、Ｉ１＝ＭＡＸ（ＩN，ＩL）、Ｃ２＝ＭＡＸ（ＣNM，ＣLM）Ｉ２＝ＭＡＸ（ＩNM，ＩLM）、−Ｃ２≦Ｃ１≦Ｃ２、−Ｉ２≦Ｉ１≦Ｉ２とする。ここで、実際には、Ｃ２は約４（％）、Ｉ２は約８（％）である。
【０１５５】
また、全体の色階調総数をａ、輝度階調総数をｂとし、Ｎ色及びＬ色のＬＥＤを点灯させたときの色階調をｘ、輝度階調をｙとする。ここで、例えば、ａは約７３、ｂは約７３とすることができる。さらに、図２１のように、Ｎ色ＬＥＤのＰＷＭ信号をＰ１、Ｌ色ＬＥＤのＰＷＭ信号をＰ２とし、Ｐ１のデューティ比をＰＮ、Ｐ２のデューティ比をＰＬとする。０≦ＰＮ≦１、０≦ＰＬ≦１である。Ｎ色ＬＥＤとＬ色ＬＥＤの相互の発光効率補正係数をωとすると、
ＰＮ＝（１−Ｃ２−Ｃ１）×ω×（ｘ／ａ）×（１−Ｉ２−Ｉ１）×（ｙ／ｂ）ＰＬ＝（１−Ｃ２−Ｃ１）×（（ａ−ｘ＋１）／ａ）×（１−Ｉ２−Ｉ１）×（ｙ／ｂ）と表すことができる。ここで、ωは、約０．９とすることができる。
【０１５６】
なお、上記ＰＮ及びＰＬにおける式の（１−Ｃ２−Ｃ１）×（１−Ｉ２−Ｉ１）の因子のうち、（−（Ｃ２＋Ｃ１＋Ｉ２＋Ｉ１）＋（Ｃ２＋Ｃ１）×（Ｉ２＋Ｉ１））の因子にかかる部分が、図１５の補正範囲又は調整範囲となるαに相当する。
【０１５７】
次に、従来、シーリングライト等のＬＥＤ照明装置では、点灯時及び消灯時の動作は、図１７のように行われる。最初、リモコン等の操作により、電源スイッチがオンされると、点灯開始から点灯完了までの増光動作期間Ｔ１１のように、４．５秒かけて直線的（段階的）に照度を上げて行く。そして、４．５秒後に図１３のＡ’点に到達する。一方、消灯する場合は、電源スイッチがオフされると（図のオフの時点）、消灯開始から消灯完了までの減光動作期間Ｔ１２のように、増光動作期間Ｔ１１と同じ時間をかけて直線的に減光して行き、最後に消灯する。このように、一定の時間をかけて、直線的に照度を上げたり、直線的に照度を下げたりしていくのは、まぶしさ軽減と高級感を演出するためである。
【０１５８】
図１７の場合、点灯されていない時点から直線的に増光して点灯を完了する場合は、その点灯動作は人間が感覚的に確認しやすい。しかし、点灯している時点から直線的に減光して消灯を完了する場合は、その消灯動作は一瞬感覚的に正しく動作しているかわかりにくい。このため、消灯動作に入っているにもかかわらず、もう一度、電源スイッチを押してしまい、点灯動作に戻ってしまうという誤操作が行われることがあった。
【０１５９】
そこで、まず、増光動作期間よりも減光動作期間の方を短くする。図１８に、増光動作期間と減光動作期間の例を示す。電源スイッチがオンされると、図１７と同じ増光動作期間Ｔ１１により、４．５秒をかけて増光動作が行われて、Ｔ１１の期間が経過すると点灯が完了する。他方、電源スイッチがオフされると、減光動作期間Ｔ２１のように、２秒かけて直線的（段階的）に照度を下げていき、最後に消灯が完了する。減光動作期間Ｔ２１は２秒と、増光動作期間Ｔ１１よりも小さい。このように、減光動作が段階的（直線的）に行われるとともに、短期間で行われる方が、人間の感覚にわかりやすい。より望ましいのは、減光動作期間Ｔ２１が増光動作期間Ｔ１１の１／２以下とするのが良い。すなわち、Ｔ２１≦（１／２）×Ｔ１１である。
【０１６０】
さらに、図１９のように消灯動作を行っても良い。増光動作期間は図１７、１８と同じである。減光動作期間Ｔ３１は、２．５秒である。図１９の場合、消灯動作は、図１８のように、直線的（段階的）に減光していくのではなく、Ｔ１の部分のように、電源スイッチがオフされた後の前半の期間で急激に減光を行う。そして、後半の期間で、Ｔ２のように、時間をかけてゆっくりと減光を行う。このように、指数関数的に減光が行われる非線形の減光動作期間Ｔ３１としても良い。この場合、前半の期間で、急激な減光が行われるので、消灯動作に入っていることが、感覚的に非常にわかりやすい。また、後半で減光の速度を長くしているので、全体の減光動作期間としては、やや長くすることができ、高級感も演出できる。
【０１６１】
上記、図１８、１９の消灯時の減光動作では、Ｌ色のＬＥＤとＮ色のＬＥＤをともに輝度を低下させ、すなわち両方のＬＥＤのＰＷＭ信号のデューティ比を小さくして、消灯を行うことを前提としていた。しかし、図１８、１９の消灯時の減光動作において、Ｌ色のＬＥＤとＮ色のＬＥＤをともに輝度を低下させるのではなく、Ｎ色のＬＥＤだけを減光するようにしても良い。この場合、青白い色に近いＮ色、すなわち色温度が高い方を減光させた方が、人間には減光の変化が感じやすいことがわかっているので、誤認による誤操作を防止する効果が高くなる。
【０１６２】
図２０は、本バリエーション発明のＬＥＤ照明装置の具体的な構成例を示す。ＬＥＤ照明装置１００Ｂは、口金３を受金２に取り付けることにより、ＡＣ電源１と接続される。ＬＥＤ照明装置１００Ｂは、ＡＣ／ＤＣコンバータ４、遅延器５、昼白色ＬＥＤに駆動信号を供給するための第１ＬＥＤドライバ６、昼白色のＬＥＤ７、電球色ＬＥＤに駆動信号を供給するための第２ＬＥＤドライバ８、電球色のＬＥＤ９、ＭＰＵ１０、フォトダイオード１１Ｂ、プリアンプ３０等で構成される。ＭＰＵ１０は、マイクロプロセッサーユニットであり、各部の制御や演算を行うとともに、第１ＬＥＤドライバ６、第２ＬＥＤドライバ８にＰＷＭ信号を供給する。
【０１６３】
第１ＬＥＤドライバ６及び第２ＬＥＤドライバ８は、ＬＥＤを定電流で駆動させてＰＷＭ（パルス幅変調）信号により、調光を行わせる素子である。
【０１６４】
ＡＣ／ＤＣコンバータ４で、入力されるＡＣ電圧をＤＣ電圧に変換し、遅延器５、第１ＬＥＤドライバ６、第２ＬＥＤドライバ８、ＭＰＵ１０、フォトダイオード１１Ｂ、プリアンプ３０にそれぞれ供給する。図２０で、ＡＣ／ＤＣコンバータ４から伸びている実線のラインは基本的に電力ラインを示す。また、ブロックとブロックとを繋いでいる点線のラインは、基本的に信号ラインを示す。
【０１６５】
プリアンプ３０は、アンプ１２Ｂ、リミッタ１３Ｂ、バンドパスフィルター１５Ｂ、検波回路１６Ｂ、波形整形回路１７Ｂにより構成される。
【０１６６】
ＡＣ電源１、受金２は、ＬＥＤ照明装置１００Ｂの外部に設けられている。赤外リモコン送信機２０は、ＬＥＤ照明装置１００Ｂをオン、オフしたり、照明光の輝度や色度の範囲を調整したりするために用いられる。赤外リモコン送信機２０には、赤外線を発光する発光ダイオードが設けられており、これにより、赤外線信号（ＩＲ信号）が送出される。ＩＲ信号は、例えば、パルス位置変調（ＰＰＭ）及び振幅変調された信号であり、この信号がＬＥＤ照明装置１００Ｂ側のフォトダイオード１１Ｂで受信される。
【０１６７】
最初に、赤外リモコン送信機２０の点灯開始（全灯）のスイッチを押したときには、赤外リモコン送信機２０からＩＲ信号が出力され、フォトダイオード１１Ｂで受信される。ＩＲ信号は、ＰＰＭ及び振幅変調されたシリアル信号であり、例えば約３８ｋＨｚの搬送波で振幅変調されている。このＩＲ信号をフォトダイオード１１Ｂで電流信号に変換した後、アンプ１２Ｂにより電圧信号に変換増幅する。アンプ１２Ｂから出力された信号振幅の異なる電圧信号は、リミッタ１３Ｂにより一定振幅の電圧出力信号に増幅される。
【０１６８】
次に、バンドパスフィルター１５Ｂにより、リミッタ１３Ｂから出力された信号のうち、搬送波の周波数帯域の信号のみを通過させ、パルス波の歪みや、雑音等を取り除き、きれいなデジタルレベルに変換する。
【０１６９】
これを、ＭＰＵ１０に送信する。ＭＰＵ１０では、Ｎ色のＬＥＤ７及びＬ色のＬＥＤ９を全灯させるために、第１ＬＥＤドライバ６に対してＰＷＭ信号Ｐ１を供給し、第２ＬＥＤドライバ８に対してＰＷＭ信号Ｐ２を供給する。ＰＷＭ信号Ｐ１及びＰＷＭ信号Ｐ２は、図２１で説明したＰＷＭ信号Ｐ１及びＰＷＭ信号Ｐ２と同じパルス形状の信号である。異なるのは、ＬＥＤは電流駆動となっているため、デジタル回路の電圧信号であるＰＷＭ信号Ｐ１及びＰＷＭ信号Ｐ２が、第１ＬＥＤドライバ６及び第２ＬＥＤドライバ８によりＬＥＤ駆動電流範囲の電流パルス信号に変換されていることである。
【０１７０】
点灯開始の場合は、図１８、１９に示すように、直線的（段階的）に照明の光出力を増光するようにしている。図２１でも説明したように、増光は、ＭＰＵ１０の制御により、ＰＷＭ信号Ｐ１及びＰＷＭ信号Ｐ２のデューティ比を段階的に線形に増加させて行くことにより行われる。最終的には、図１３、１５のＡ’点のデューティ比のＰＷＭ信号Ｐ１及びＰＷＭ信号Ｐ２が、ＭＰＵ１０から出力されると点灯完了となる。これにより、ＬＥＤ７及びＬＥＤ９を全灯させる。
【０１７１】
次に、消灯の場合を説明する。赤外リモコン送信機２０の消灯のスイッチを押したときには、赤外リモコン送信機２０からＩＲ信号が出力され、フォトダイオード１１Ｂで受信される。この後のＭＰＵ１０にデジタル信号が伝達されるまでは、上述の点灯開始のときと同じであるので、説明を省略する。消灯の場合は、図１８、１９で説明したように、線形的又は非線形的に減光が行われる。図２１でも説明したように、減光は、ＭＰＵ１０の制御により、ＰＷＭ信号Ｐ１及びＰＷＭ信号Ｐ２のデューティ比を線形に減少又は非線形的に減少させて行くことにより行われる。最終的には、図１３、１５のＤ’点のデューティ比のＰＷＭ信号Ｐ１及びＰＷＭ信号Ｐ２が、ＭＰＵ１０から出力されると消灯完了となる。
【０１７２】
しかし、図１４に示したように、補正の方法によっては、Ｄ’点のデューティ比では、デューティ比が０％とならない場合がある。このため、消灯完了とするためには、第１ＬＥＤドライバ６及び第２ＬＥＤドライバ８に供給されるＤＣ電源電圧をオフにすることが必要である。そこで、ＭＰＵ１０から遅延器５に対してオフ信号を出力する。遅延器５は、ＭＰＵ１０からのオフ信号を受信した時点から一定の時間遅れて電力ラインをオフするもので、第１ＬＥＤドライバ６及び第２ＬＥＤドライバ８に供給しているＤＣ電源電圧をオフにする。
【０１７３】
遅延器５は、いくつかの遅延ラインを有しており、図１８の場合の消灯であれば、ＭＰＵ１０からのオフ信号からＴ２１期間の時間遅れてＤＣ電源電圧をオフにする遅延ラインが選択される。一方、図１９の場合の消灯であれば、ＭＰＵ１０からのオフ信号からＴ３１期間の時間遅れてＤＣ電源電圧をオフにする遅延ラインが選択される。以上のようにして、消灯が完了する。
【０１７４】
また、ユーザが図１５のαの値を調整したい場合は、赤外リモコン送信機２０からの送信信号により、ＭＰＵ１０で、ＰＷＭ信号Ｐ１、ＰＷＭ信号Ｐ２のデューティ比の上限値及び下限値を変更して、定格出力範囲を変更するようにすれば良い。
【０１７５】
本バリエーション発明のまとめとして、以下に付記として列挙する。
（付記１）
色温度が異なる第１のＬＥＤと第２のＬＥＤが交互に配置された発光部と、
前記第１のＬＥＤを駆動させるための第１のＰＷＭ信号及び前記第２のＬＥＤを駆動させるための第２のＰＷＭ信号を生成する光出力制御部とを備え、
前記第１のＰＷＭ信号及び第２のＰＷＭ信号の各デューティ比の定格出力範囲を（０＋α）％〜（１００−α）％とし（０＜α＜３０）、αを補正用の出力範囲としたことを特徴とするＬＥＤ照明装置。
（付記２）
前記光出力制御部により前記第１のＰＷＭ信号及び前記第２のＰＷＭ信号の各デューティ比が直線的に制御されて点灯開始から点灯完了までの増光動作が直線的に行われるとともに、消灯開始から消灯完了までの減光動作時間の方が前記増光動作の時間よりも短いことを特徴とする付記１に記載のＬＥＤ照明装置。
（付記３）
前記第１のＬＥＤは昼白色ＬＥＤであり、前記第２のＬＥＤは電球色ＬＥＤであることを特徴とする付記１又は２に記載のＬＥＤ照明装置。
（付記４）  前記消灯開始から消灯完了までの減光動作は、直線的に行われることを特徴とする付記２又は３に記載のＬＥＤ照明装置。
（付記５）
前記減光動作時間は前記増光動作時間の１／２以下であることを特徴とする付記４に記載のＬＥＤ照明装置。
（付記６）
前記消灯開始から消灯完了までの減光動作を消灯開始直後は急激に行い、消灯完了直前はゆっくりと行うことを特徴とする付記２に記載のＬＥＤ照明装置。
（付記７）
前記減光動作は、指数関数的に行われることを特徴とする付記６に記載のＬＥＤ照明装置。
（付記８）
前記減光動作は、前記昼白色ＬＥＤについてのみ行われることを特徴とする付記３〜５のいずれか１項に記載のＬＥＤ照明装置。
（付記９）
前記光出力制御部は、第１のＬＥＤを駆動する第１ＬＥＤドライバ、第２のＬＥＤを駆動する第２ＬＥＤドライバ、前記消灯開始から消灯完了までの時間を形成する遅延器を備えていることを特徴とする付記２〜８のいずれか１項に記載のＬＥＤ照明装置。
（付記１０）
前記第１のＬＥＤと第２のＬＥＤは、同数で円形状に配置されていることを特徴とする付記１〜９のいずれか１項に記載のＬＥＤ照明装置。
【０１７６】
（１Ｃ実施形態）
図２２〜図２５は、本発明のバリエーションにかかる発明に基づくＬＥＤ照明器具の一例を示している。本実施形態のＬＥＤ照明器具１０１Ｃは、シーリングライトとして用いられることが意図されたものであり、天井に取り付けられる本体部１０Ｃと、本体部１０Ｃを操作するための遠隔操作装置２０Ｃとを備えている。図２３には、本体部１０Ｃの電気的な構成を簡略に示している。図２４は、遠隔操作装置２０Ｃの拡大平面図である。図２５には、ＬＥＤ照明器具１０１Ｃで行われる制御の一例を示している。
【０１７７】
本体部１０Ｃは、図２２に示すように、白色カバー１１Ｃと、光源部１２Ｃと、電源部１３Ｃと、を有している。白色カバー１１Ｃは、乳白色の半透明樹脂からなり、光源部１２Ｃを覆っている。白色カバー１１Ｃは、平面視円環状であり、中心部分において電源部１３Ｃの一部を露出させるように形成されている。この白色カバー１１Ｃは、ＬＥＤ照明器具１０１Ｃの外観のほとんどすべてを構成している。
【０１７８】
光源部１２Ｃは、複数のＬＥＤモジュール１２１，１２２を有している。各ＬＥＤモジュール１２１，１２２は、ＬＥＤチップと、ＬＥＤチップを封止する封止樹脂とを有している。各ＬＥＤチップは、たとえば青色光を発光可能とされている。封止樹脂はＬＥＤチップからの光によって励起されることにより黄色光を発する蛍光物質を含んでおり、各ＬＥＤモジュール１２１，１２２から出射される光は白色に見えるようになっている。ＬＥＤモジュールから出射される白色光の色温度はＬＥＤチップと封止樹脂中の蛍光物質とによって決まる。色温度は、光に含まれる青紫光と赤色光の相対的な強さを示す指標である。色温度が高い光ほど青紫光が多く含まれ、逆に色温度が低い光ほど赤色光が多く含まれる。複数のＬＥＤモジュール１２１は、色温度が５０００ｋ程度の昼白色の白色光を出射するように構成されている。複数のＬＥＤモジュール１２２は、色温度が３０００ｋ程度の電球色の白色光を出射するように構成されている。また、図示していないが、光源部１２Ｃは赤色の光を出射するＬＥＤモジュールを有している。このＬＥＤモジュールは、複数のＬＥＤモジュール１２１，１２２が消灯しているときに、常夜灯として使用されるものである。
【０１７９】
電源部１３Ｃは、天井の給電部から供給されるたとえば交流１００Ｖ電力を、ＬＥＤチップを点灯させるのに適した電圧の直流電力に変換し、これを複数のＬＥＤモジュール１２１，１２２に供給するためのものである。電源部１３Ｃは、図２３に示すように、制御手段１４Ｃと、受信部１５Ｃと、基準時間変更手段１６Ｃとを有している。
【０１８０】
制御手段１４Ｃは、たとえば、コンデンサ、抵抗器、ダイオード、ＩＣなどにより構成されており、複数のＬＥＤモジュール１２１，１２２に供給される電力の制御を行う。
【０１８１】
受信部１５Ｃは、たとえば赤外線センサを有しており、遠隔操作装置２０Ｃから送られてくる制御信号を受信し、制御手段１４Ｃへ送信する。
【０１８２】
基準時間変更手段１６Ｃは、図２２に示すように、電源部１３Ｃの白色カバー１１Ｃから露出する部分に設けられている。本実施形態では、基準時間変更手段１６Ｃは５つの設定用ボタン１６１を有している。５つの設定用ボタン１６１は、制御手段１４Ｃで使用される基準時間を変更するためのものである。５つの設定用ボタン１６１は、それぞれ、たとえば、０．７５秒、１．２５秒、１．７５秒、２．２５秒、２．７５秒に対応している。たとえば、０．７５秒に対応する設定用ボタン１６１が押されると、制御手段１４Ｃで行われる制御において使用される基準時間は０．７５秒となる。
【０１８３】
遠隔操作装置２０Ｃは、本バリエーション発明の遠隔操作手段であり、送信部２１Ｃと、電源ボタン２２Ｃと、常夜灯ボタン２３Ｃと、複数の操作ボタン２４Ｃ，２５Ｃ，２６Ｃ，２７Ｃ，２８Ｃと、を有している。送信部２１Ｃは、たとえば赤外線を出射するＬＥＤチップを有しており、電源ボタン２２Ｃ、常夜灯ボタン２３Ｃ、および、操作ボタン２４Ｃ，２５Ｃ，２６Ｃ，２７Ｃ，２８Ｃが押されたときに受信部１５Ｃに制御信号を送信する。以下、電源ボタン２２Ｃ、常夜灯ボタン２３Ｃ、および、操作ボタン２４Ｃ，２５Ｃ，２６Ｃ，２７Ｃ，２８Ｃが押されたときに制御手段１４Ｃが行う制御について説明する。
【０１８４】
電源ボタン２２Ｃは、点灯・消灯を指示するためのものである。電源ボタン２２Ｃが押されたとき、送信部２１Ｃは受信部１５Ｃを介して点灯・消灯を指示する制御信号を制御手段１４Ｃへ送信する。光源部１２Ｃが消灯しているときに、この制御信号を受信すると、制御手段１４Ｃは光源部１２ＣのＬＥＤモジュール１２１，１２２を点灯させる制御を行う。光源部１２Ｃが点灯しているときに、この制御信号を受信すると、制御手段１４Ｃは光源部１２Ｃを消灯させる制御を行う。
【０１８５】
常夜灯ボタン２３Ｃは、常夜灯用のＬＥＤモジュールの点灯・消灯を指示するためのものである。常夜灯ボタン２３Ｃが押されたとき、送信部２１Ｃは受信部１５Ｃを介して、常夜灯用のＬＥＤモジュールの点灯・消灯を指示する制御信号を制御手段１４Ｃへ送信する。常夜灯用のＬＥＤモジュールが消灯しているときに、この制御信号を受信すると、制御手段１４Ｃは常夜灯用のＬＥＤモジュールを点灯させる制御を行う。常夜灯用のＬＥＤモジュールが点灯しているときに、この制御信号を受信すると、制御手段１４Ｃは常夜灯用のＬＥＤモジュールを消灯させる制御を行う。
【０１８６】
操作ボタン２４Ｃおよび操作ボタン２５Ｃは、光源部１２Ｃの明るさを調整する調光用ボタンであり、光源部１２Ｃが点灯している際に機能する。光源部１２Ｃの明るさ調整は、たとえば、制御手段１４ＣがＬＥＤモジュール１２１，１２２に供給する電力を調整することにより行われる。操作ボタン２４Ｃは光源部１２Ｃをより明るくするためのボタンであり、操作ボタン２５Ｃは光源部１２Ｃをより暗くするためのボタンである。
【０１８７】
以下、図２５を参照にしつつ、操作ボタン２４Ｃが押されたときに制御手段１４が行う制御について説明する。
【０１８８】
操作ボタン２４Ｃが押されたとき、送信部２１Ｃは受信部１５Ｃを介して、操作ボタン２４Ｃが押されていることを示す制御信号を制御手段１４Ｃに送信する。制御手段１４Ｃは、操作ボタン２４Ｃが押されているか否かを判断するために、光源部１２Ｃが点灯しているとき、制御信号を受信しているかどうかの判定を行う（ステップＳ０１）。操作ボタン２４Ｃが押されていることを示す制御信号を受信していない場合には、制御手段１４Ｃは、光源部１２Ｃを明るくする処理を行わない。
【０１８９】
操作ボタン２４Ｃが押されていることを示す制御信号を受信している場合、制御手段１４Ｃは、操作ボタン２４Ｃが押されてからの時間を計数し（ステップＳ０２）、基準時間と比較する処理を行う（ステップＳ０３）。具体的にはまず、制御手段１４Ｃは、制御信号を受信し始めて受信し終えるまでの時間を計数することにより、操作ボタン２４Ｃが押されている時間を計数する。制御手段１４Ｃは、操作ボタン２４Ｃが押されている時間が基準時間以上の場合と、そうでない場合とで異なる制御を行う。なお、基準時間は、上述したように、基準時間変更手段１６Ｃで選択された値が使用される。ただし、使用者が基準時間変更手段１６Ｃを操作していないデフォルトの状態では、基準時間は１．２５秒となっている。
【０１９０】
操作ボタン２４Ｃが押されている状態から押されていない状態になるまでの時間が、基準時間より短い時間であった場合、制御手段１４Ｃは操作ボタン２４Ｃが短押しされたと判定する（ステップＳ０４）。制御手段１４Ｃは、操作ボタン２４Ｃが短押しされたとき、光源部１２Ｃを段階的に明るくする制御をする。具体的には、制御手段１４Ｃは、ＬＥＤモジュール１２１，１２２に供給する電力を、予め設定された一段階分だけ上昇させる（ステップＳ０５）。なお、既に光源部１２Ｃの最も明るい状態のときには、制御手段１４Ｃは現状を維持する処理を行う。
【０１９１】
操作ボタン２４Ｃが押されている状態から押されていない状態になるまでの時間が、基準時間より長い時間であった場合、制御手段１４Ｃは操作ボタン２４Ｃが長押しされたと判定する（ステップＳ０６）。制御手段１４Ｃは、操作ボタン２４Ｃが長押しされたとき、光源部１２Ｃを連続的に明るくする制御をする。具体的には、制御手段１４Ｃは、ＬＥＤモジュール１２１，１２２に供給する電力を連続的に上昇させ（ステップＳ０７）、操作ボタン２４Ｃの長押しが解除されたときに電力の上昇を停止させる（ステップＳ０９）。このような制御によれば、使用者が操作ボタン２４Ｃを押すのをやめたときに、光源部１２Ｃの明るさの変化が止まることになる。このため、使用者は光源部１２Ｃを好みに合う明るさにしやすくなっている。
【０１９２】
しかしながら、たとえば操作ボタン２４Ｃを長押ししているとき、意図せずに指が離れてしまうと、光源部１２Ｃの明るさが使用者の意図しないものとなることが起こり得る。また、ノイズが入って制御信号が途絶えた場合にも、光源部１２Ｃが使用者の意図しない明るさになってしまうことが起こり得る。このため、本実施形態では以下のような制御が行われる。
【０１９３】
制御手段１４Ｃは、操作ボタン２４Ｃが押されていることを示す制御信号が、予め設定された判定時間より長い時間途切れた場合に操作ボタン２４Ｃの長押しが解除されたと判定する。なお、判定時間はたとえば０．１秒である。換言すれば、制御手段１４Ｃは、操作ボタン２４Ｃが長押しされていると判定した後、操作ボタン２４Ｃが押されていることを示す制御信号が途絶えてもすぐには操作ボタン２４Ｃの長押しが解除されたという判定を行わない。具体的には、制御手段１４Ｃは、操作ボタン２４Ｃが押されていることを示す制御信号が途絶えた後、０．１秒以内に制御信号を受信するかの判定を行う（ステップＳ０８）。このとき、判定時間（０．１秒）以内に制御信号を受信した場合には、制御手段１４Ｃは、操作ボタン２４Ｃの長押しが続けられていたものとみなし、引き続き、連続的に電力を上昇させる。逆に、判定時間（０．１秒）以内に制御信号を受信しない場合には、制御手段１４Ｃは、長押しが解除されたと判定し、電力の上昇を停止させる（ステップＳ０９）。
【０１９４】
操作ボタン２５Ｃが押されたとき、送信部２１Ｃは受信部１５Ｃを介して、操作ボタン２５Ｃが押されていることを示す制御信号を制御手段１４Ｃに送信する。制御手段１４Ｃは、操作ボタン２５Ｃが押されているか否かを判断するために、光源部１２Ｃが点灯しているとき、制御信号を受信しているかどうかの判定を行う。操作ボタン２５Ｃが押されていることを示す制御信号を受信していない場合には、制御手段１４Ｃは、光源部１２Ｃを暗くする処理を行わない。
【０１９５】
操作ボタン２５Ｃが押されていることを示す制御信号を受信している場合、制御手段１４Ｃは、操作ボタン２５Ｃが押されてからの時間を計数し、基準時間と比較する処理を行う。具体的にはまず、制御手段１４Ｃは、制御信号を受信し始めて受信し終えるまでの時間を計数することにより、操作ボタン２５Ｃが押されている時間を計数する。制御手段１４Ｃは、操作ボタン２５Ｃが押されている時間が基準時間以上の場合と、そうでない場合とで異なる制御を行う。なお、基準時間は、操作ボタン２４Ｃが押されたときに行われる制御の場合と同様に、基準時間変更手段１６Ｃで選択された値が使用される。ただし、使用者が基準時間変更手段１６Ｃを操作していないデフォルトの状態では、基準時間は１．２５秒となっている。
【０１９６】
操作ボタン２５Ｃが押されている状態から押されていない状態になるまでの時間が、基準時間より短い時間であった場合、制御手段１４Ｃは操作ボタン２５Ｃが短押しされたと判定する。制御手段１４Ｃは、操作ボタン２５Ｃが短押しされたとき、光源部１２Ｃを段階的に暗くする制御をする。具体的には、制御手段１４Ｃは、ＬＥＤモジュール１２１，１２２に供給する電力を、予め設定された一段階分だけ下降させる。なお、既に光源部１２Ｃが最も暗い状態のときには、制御手段１４Ｃは現状を維持する処理を行う。
【０１９７】
操作ボタン２５Ｃが押されている状態から押されていない状態になるまでの時間が、基準時間より長い時間であった場合、制御手段１４Ｃは操作ボタン２５Ｃが長押しされたと判定する。制御手段１４Ｃは、操作ボタン２５Ｃが長押しされたとき、光源部１２Ｃを連続的に暗くする制御をする。具体的には、制御手段１４Ｃは、ＬＥＤモジュール１２１，１２２に供給する電力を連続的に下降させ、操作ボタン２５Ｃの長押しが解除されたときに電力の下降を停止させる。このような制御によれば、使用者が操作ボタン２５Ｃを押すのをやめたときに、光源部１２Ｃの明るさの変化が止まることになる。このため、使用者は光源部１２Ｃを好みに合う明るさにしやすくなっている。
【０１９８】
しかしながら、たとえば操作ボタン２５Ｃを長押ししているとき、意図せずに指が離れてしまうと、光源部１２Ｃの明るさが使用者の意図しないものとなることが起こり得る。また、ノイズが入って制御信号が途絶えた場合にも、光源部１２Ｃが使用者の意図しない明るさになってしまうことが起こり得る。このため、操作ボタン２４Ｃが押されたときに行われる制御の場合と同様に、本実施形態では以下のような制御が行われる。
【０１９９】
制御手段１４Ｃは、操作ボタン２５Ｃが押されていることを示す制御信号が、予め設定された判定時間より長い時間途切れた場合に操作ボタン２５Ｃの長押しが解除されたと判定する。なお、判定時間はたとえば０．１秒である。換言すれば、制御手段１４Ｃは、操作ボタン２５Ｃが長押しされていると判定した後、操作ボタン２５Ｃが押されていることを示す制御信号が途絶えてもすぐには操作ボタン２５Ｃの長押しが解除されたという判定を行わない。具体的には、制御手段１４Ｃは、操作ボタン２５Ｃが押されていることを示す制御信号が途絶えた後、０．１秒以内に制御信号を受信するかの判定を行う。このとき、判定時間（たとえば、０．１秒）以内に制御信号を受信した場合には、制御手段１４Ｃは、操作ボタン２５Ｃの長押しが続けられていたものとみなし、引き続き、連続的に電力を下降させる。逆に、判定時間（０．１秒）以内に制御信号を受信しない場合には、制御手段１４Ｃは、長押しが解除されたと判定し、電力の下降を停止させる。
【０２００】
操作ボタン２６Ｃおよび操作ボタン２７Ｃは、光源部１２Ｃの色合いを調整する調色用ボタンであり、光源部１２Ｃが点灯している際に機能する。操作ボタン２６Ｃは昼白色の色合いを大きくするためのボタンであり、操作ボタン２７Ｃは電球色の色合いを大きくするためのボタンである。光源部１２Ｃの色合いの調整は、たとえば、制御手段１４ＣがＬＥＤモジュール１２１，１２２に供給する電力の比率を調整することにより行われる。
【０２０１】
操作ボタン２６Ｃが押されたとき、送信部２１Ｃは受信部１５Ｃを介して、操作ボタン２６Ｃが押されていることを示す制御信号を制御手段１４Ｃに送信する。制御手段１４Ｃは、操作ボタン２６Ｃが押されているか否かを判断するために、光源部１２Ｃが点灯しているとき、制御信号を受信しているかどうかの判定を行う。操作ボタン２６Ｃが押されていることを示す制御信号を受信していない場合には、制御手段１４Ｃは、光源部１２Ｃの調色処理を行わない。
【０２０２】
操作ボタン２６Ｃが押されていることを示す制御信号を受信している場合、制御手段１４Ｃは、操作ボタン２６Ｃが押されてからの時間を計数し、基準時間と比較する処理を行う。具体的にはまず、制御手段１４Ｃは、制御信号を受信し始めて受信し終えるまでの時間を計数することにより、操作ボタン２６Ｃが押されている時間を計数する。制御手段１４Ｃは、操作ボタン２６Ｃが押されている時間が基準時間以上の場合と、そうでない場合とで異なる制御を行う。なお、基準時間は、操作ボタン２４Ｃ，２５Ｃが押されたときに行われる制御の場合と同様に、基準時間変更手段１６Ｃで選択された値が使用される。ただし、使用者が基準時間変更手段１６Ｃを操作していないデフォルトの状態では、基準時間は１．２５秒となっている。
【０２０３】
操作ボタン２６Ｃが押されている状態から押されていない状態になるまでの時間が、基準時間より短い時間であった場合、制御手段１４Ｃは操作ボタン２６Ｃが短押しされたと判定する。制御手段１４Ｃは、操作ボタン２６Ｃが短押しされたとき、光源部１２Ｃの昼白色の色合いを段階的に大きくする。具体的には、制御手段１４Ｃは、ＬＥＤモジュール１２１に供給する電力を予め設定された一段階分だけ上昇させ、ＬＥＤモジュール１２２に供給する電力を予め設定された一段階分だけ下降させる制御を行う。このような制御を行うと、昼白色のＬＥＤモジュール１２１が明るくなり、逆に電球色のＬＥＤモジュール１２２は暗くなる。その結果、光源部１２Ｃの色合いは、操作が行われる前よりも昼白色が強いものとなる。
【０２０４】
操作ボタン２６Ｃが押されている状態から押されていない状態になるまでの時間が、基準時間より長い時間であった場合、制御手段１４Ｃは操作ボタン２６Ｃが長押しされたと判定する。制御手段１４Ｃは、操作ボタン２６Ｃが長押しされたとき、光源部１２Ｃの昼白色の色合いを連続的に大きくする。具体的には、制御手段１４Ｃは、ＬＥＤモジュール１２１に供給する電力を連続的に上昇させ、ＬＥＤモジュール１２２に供給する電力を連続的に下降させる制御を行う。このような制御を行うと、昼白色のＬＥＤモジュール１２１が徐々に明るくなり、逆に電球色のＬＥＤモジュール１２２は徐々に暗くなる。その結果、光源部１２Ｃの色合いは、操作が行われる前よりも昼白色が強いものとなる。また、このような制御によれば、光源部１２Ｃの色合いを使用者の好みの色合いとすることにすることができる。
【０２０５】
しかしながら、たとえば操作ボタン２６Ｃを押しているときに、意図せずに指が離れてしまうと、光源部１２Ｃの色合いが使用者の意図しないものとなることが起こり得る。また、ノイズが入って制御信号が途絶えた場合にも、光源部１２Ｃが使用者の意図しない色合いになってしまうことが起こり得る。このため、操作ボタン２４Ｃ，２５Ｃの場合と同様に、制御手段１４Ｃは、操作ボタン２６Ｃが押されていることを示す制御信号が、予め設定された判定時間（たとえば、０．１秒）より長い時間途切れた場合に操作ボタン２６Ｃの長押しが解除されたと判定する。
【０２０６】
操作ボタン２７Ｃが押されたとき、送信部２１Ｃは受信部１５Ｃを介して、操作ボタン２７Ｃが押されていることを示す制御信号を制御手段１４Ｃに送信する。制御手段１４Ｃは、操作ボタン２７Ｃが押されているか否かを判断するために、光源部１２Ｃが点灯しているとき、制御信号を受信しているかどうかの判定を行う。操作ボタン２７Ｃが押されていることを示す制御信号を受信していない場合には、制御手段１４Ｃは、光源部１２Ｃの調色処理を行わない。
【０２０７】
操作ボタン２７Ｃが押されていることを示す制御信号を受信している場合、制御手段１４Ｃは、操作ボタン２７Ｃが押されてからの時間を計数し、基準時間と比較する処理を行う。具体的にはまず、制御手段１４Ｃは、制御信号を受信し始めて受信し終えるまでの時間を計数することにより、操作ボタン２７Ｃが押されている時間を計数する。制御手段１４Ｃは、操作ボタン２７Ｃが押されている時間が基準時間以上の場合と、そうでない場合とで異なる制御を行う。なお、基準時間は、操作ボタン２４Ｃ〜２６Ｃが押されたときに行われる制御の場合と同様に、基準時間変更手段１６Ｃで選択された値が使用される。ただし、使用者が基準時間変更手段１６Ｃを操作していないデフォルトの状態では、基準時間は１．２５秒となっている。
【０２０８】
操作ボタン２７Ｃが押されている状態から押されていない状態になるまでの時間が、基準時間より短い時間であった場合、制御手段１４Ｃは操作ボタン２７Ｃが短押しされたと判定する。制御手段１４Ｃは、操作ボタン２７Ｃが短押しされたとき、光源部１２Ｃの電球色の色合いを段階的に大きくする。具体的には、制御手段１４Ｃは、ＬＥＤモジュール１２２に供給する電力を予め設定された一段階分だけ上昇させ、ＬＥＤモジュール１２１に供給する電力を予め設定された一段階分だけ下降させる制御を行う。このような制御を行うと、電球色のＬＥＤモジュール１２２が明るくなり、逆に昼白色のＬＥＤモジュール１２１は暗くなる。その結果、光源部１２Ｃの色合いは、操作が行われる前よりも電球色が強いものとなる。
【０２０９】
操作ボタン２７Ｃが押されている状態から押されていない状態になるまでの時間が、基準時間より長い時間であった場合、制御手段１４Ｃは操作ボタン２７Ｃが長押しされたと判定する。制御手段１４Ｃは、操作ボタン２７Ｃが長押しされたとき、光源部１２Ｃの電球色の色合いを連続的に大きくする。具体的には、制御手段１４Ｃは、ＬＥＤモジュール１２２に供給する電力を連続的に上昇させ、ＬＥＤモジュール１２１に供給する電力を連続的に下降させる制御を行う。このような制御を行うと、電球色のＬＥＤモジュール１２２が徐々に明るくなり、逆に昼白色のＬＥＤモジュール１２１は徐々に暗くなる。その結果、光源部１２Ｃの色合いは、操作が行われる前よりも電球色が強いものとなる。また、このような制御によれば、光源部１２Ｃの色合いを使用者の好みの色合いとすることにすることができる。
【０２１０】
しかしながら、たとえば操作ボタン２７Ｃを押しているときに、意図せずに指が離れてしまうと、光源部１２Ｃの色合いが使用者の意図しないものとなることが起こり得る。また、ノイズが入って制御信号が途絶えた場合にも、光源部１２Ｃが使用者の意図しない色合いになってしまうことが起こり得る。このため、操作ボタン２４Ｃ，２５Ｃの場合と同様に、制御手段１４Ｃは、操作ボタン２７Ｃが押されていることを示す制御信号が、予め設定された判定時間（たとえば、０．１秒）より長い時間途切れた場合に操作ボタン２７Ｃの長押しが解除されたと判定する。
【０２１１】
操作ボタン２８Ｃは、光源部１２Ｃに対する制御状態を記憶し、記憶した状態を再現するためのメモリボタンである。操作ボタン２８Ｃが押されたとき、送信部２１Ｃは受信部１５Ｃを介して、操作ボタン２８Ｃが押されていることを示す制御信号を制御手段１４Ｃに向けて送信する。制御手段１４Ｃは、操作ボタン２８Ｃが押されているか否かを判断するために、操作ボタン２８Ｃが押されていることを示す制御信号を受信しているかどうかの判定を行う。
【０２１２】
操作ボタン２８Ｃが押されていることを示す制御信号を受信している場合、制御手段１４Ｃは、操作ボタン２８Ｃが押されてからの時間を計数し、基準時間と比較する処理を行う。具体的にはまず、制御手段１４Ｃは、制御信号を受信し始めて受信し終えるまでの時間を計数することにより、操作ボタン２８Ｃが押されている時間を計数する。制御手段１４Ｃは、操作ボタン２８Ｃが押されている時間が基準時間以上の場合と、そうでない場合とで異なる制御を行う。なお、基準時間は、操作ボタン２４Ｃ〜２７Ｃが押されたときに行われる制御の場合と同様に、基準時間変更手段１６Ｃで選択された値が使用される。ただし、使用者が基準時間変更手段１６Ｃを操作していないデフォルトの状態では、基準時間は１．２５秒となっている。
【０２１３】
操作ボタン２８Ｃが押されている状態から押されていない状態になるまでの時間が、基準時間より長い時間であった場合、制御手段１４Ｃは操作ボタン２８Ｃが長押しされたと判定する。このとき、制御手段１４Ｃは光源部１２Ｃに対する制御状態を記憶する。具体的には、操作ボタン２８Ｃが長押しされたときのＬＥＤモジュール１２１，１２２に供給する電力の比率および強度を記憶する。
【０２１４】
操作ボタン２８Ｃが押されている状態から押されていない状態になるまでの時間が、基準時間より短い時間であった場合、制御手段１４Ｃは操作ボタン２８Ｃが短押しされたと判定する。このとき、制御手段１４Ｃは、操作ボタン２８Ｃが長押しされたときに記憶した制御状態を再現する。具体的には、操作ボタン２８Ｃが長押しされたときに記憶した比率および強度でＬＥＤモジュール１２１，１２２に電力を供給する。
【０２１５】
さらに、遠隔操作装置２０にタイマー機能を設けてもよい。この場合、たとえば遠隔操作装置２０に液晶画面を設け、時刻を表示するようにする。さらに、遠隔操作装置２０にタイマー機能を操作するための操作ボタンを用意しておく。この操作ボタンを操作することにより、使用者は光源部１２Ｃが消灯する時間を設定する。このとき、たとえば、上述した操作ボタン２４Ｃ〜２８Ｃにおけるのと同様の長押し操作を行ったときには、分単位で時刻を変化するようにしておく。また、上述した操作ボタン２４Ｃ〜２８Ｃにおけるのと同様の短押し操作を行ったときには、時間単位で時刻が変化するようにしておく。このように設定しておくことで、使用者は好きな時刻に光源部１２Ｃが消灯するように設定することが可能となる。
【０２１６】
次に、ＬＥＤ照明器具１０１Ｃの作用について説明する。
【０２１７】
上述したＬＥＤ照明器具１０１Ｃでは、操作ボタン２４Ｃ〜２８Ｃを長押ししたときと、短押ししたときとで、制御手段１４Ｃが行う制御が異なっている。制御手段１４Ｃは基準時間を用いて、操作ボタン２４Ｃ〜２８Ｃが長押しされているか、短押しされているかの判定を行っている。使用者の時間感覚には個人差があるため、長押ししたつもりでもデフォルトの基準時間に達していないことが起こり得る。また、逆に短押ししたつもりでもデフォルトの基準時間よりも長い時間押してしまうことが起こり得る。そこで、本実施形態では、基準時間変更手段１６Ｃを用い、基準時間を５つの中から選択できるようにしている。
【０２１８】
たとえば、長押ししたつもりでも短押しの操作になってしまう場合、基準時間が使用者の時間感覚では長すぎる時間となっているということになる。このため、基準時間をデフォルトの１．２５秒よりも短い０．７５秒に変更することで問題の解消を図ることができる。
【０２１９】
逆に、短押ししたつもりで長押しの操作になってしまう場合、基準時間が使用者の時間感覚では短すぎる時間ということになる。このため、基準時間をデフォルトの１．２５秒よりも長い１．７５秒、２．２５秒、または、２．７５秒に変更することで問題の解消を図ることができる。従って、ＬＥＤ照明器具１０１Ｃでは、基準時間を選択可能とすることにより、使用者の意に沿う操作が行われやすくなっている。
【０２２０】
本バリエーション発明に基づくＬＥＤ照明器具は、上述した実施形態に限定されるものではない。本バリエーション発明に基づくＬＥＤ照明器具の各部の具体的な構成は、種々に設計変更自在である。たとえば、上述した実施形態では、基準時間変更手段１６Ｃは本体部１０Ｃに設けられているが、遠隔操作装置２０に設けてもよい。また、上述した実施形態における基準時間変更手段１６Ｃは５つのボタンにより構成されているが、ツマミを回転させることで基準時間の変更を行う構成としてもよい。
【０２２１】
上述した実施形態では、操作ボタン２４Ｃ〜２８Ｃが押されていることを示す制御信号が途絶えた後、０．１秒以内に同じ操作ボタンが押されていることを示す制御信号を受信したとき、制御手段１４Ｃは操作ボタン２４Ｃ〜２８Ｃが押され続けていたと判定する。この判定に用いる時間は０．１秒に限定されず、他の値を用いても構わない。
【０２２２】
たとえば、上述の実施形態におけるＬＥＤモジュール１２１，１２２は、青色のＬＥＤチップと黄色光を発する蛍光物質を含む封止樹脂とを有しているが、他の色のＬＥＤチップを用いてもよい。また、たとえば、上記蛍光物質としては、黄色光を発するものに代えて、赤色光を発するものと緑色光を発するものとを混合して用いてもよい。
【０２２３】
また、上述した実施形態では、光源部１２Ｃが色温度の異なる白色光を供給する２種類のＬＥＤモジュール１２１，１２２を有しており、両者の光の強度を調整することで光源部１２Ｃの調色が行われているが、調色の方法はこのような方法に限られない。たとえば、光源部１２Ｃに、赤青緑の３色の光を出射するＬＥＤモジュールを配し、３色のＬＥＤモジュールの光の強度を調整することで調色を行ってもよい。
【０２２４】
本バリエーション発明のまとめとして、以下に付記として列挙する。
（付記１）
少なくとも１以上のＬＥＤチップを含む光源部と、
１または複数の操作ボタンを有する遠隔操作手段と、
上記操作ボタンが基準時間よりも長い時間押されているときと、上記操作ボタンが上記基準時間よりも短い時間押されているときとで異なる制御を行う制御手段と、
を備えたＬＥＤ照明器具であって、
上記基準時間を変更する基準時間変更手段を備えていることを特徴とする、ＬＥＤ照明器具。
（付記２）  上記遠隔操作手段は制御信号を送信する送信部を有しており、
上記光源部を有し、かつ、天井に取り付けられる本体部を備えており、
上記本体部は、上記光源部に電力を供給する電源部を有しており、
上記電源部は、上記制御手段および上記遠隔操作手段からの信号を受信する受信部を有している、付記１に記載のＬＥＤ照明器具。
（付記３）
上記電源部が上記基準時間変更手段を有している、付記２に記載のＬＥＤ照明器具。
（付記４）
上記送信部は、上記操作ボタンが押されたとき、上記操作ボタンが押されていることを示す制御信号を上記受信部に向けて送信し、
上記制御手段は、上記操作ボタンが押されてからの時間を計数し、上記基準時間と比較する処理を行う、付記２または３に記載のＬＥＤ照明器具。
（付記５）
上記制御手段は、上記操作ボタンが押されてから押されていない状態になるまでの時間が、上記基準時間より短い時間であった場合に上記操作ボタンが短押しされたと判定し、上記操作ボタンが押されてから押されていない状態になるまでの時間が、上記基準時間より長い時間であった場合に上記操作ボタンが長押しされたと判定する、付記４に記載のＬＥＤ照明器具。
（付記６）
上記複数の操作ボタンは、上記光源部の明るさを調整するための調光用ボタンを含んでおり、
上記制御手段は、上記調光用ボタンが短押しされたとき、上記光源部を段階的に調光し、上記調光用ボタンが長押しされたとき、上記光源部を連続的に調光する、付記５に記載のＬＥＤ照明器具。
（付記７）
上記制御手段は、上記調光用ボタンが短押しされたとき、上記光源部に供給する電力を段階的に上昇させる制御を行い、上記調光用ボタンが長押しされたとき、上記光源部に供給する電力を連続的に上昇させる制御を行う、付記６に記載のＬＥＤ照明器具。
（付記８）
上記制御手段は、上記調光用ボタンが押されていることを示す制御信号が予め設定された判定時間よりも長い時間途切れた場合に上記調光用ボタンの長押しが解除されたと判定する、付記７に記載のＬＥＤ照明器具。
（付記９）
上記複数の操作ボタンは、上記光源部の明るさを調整するための追加の調光用ボタンを含んでおり、
上記制御手段は、上記追加の調光用ボタンが短押しされたとき、上記光源部に供給する電力を段階的に下降させる制御を行い、上記追加の調光用ボタンが長押しされたとき、上記光源部に供給する電力を連続的に下降させる制御を行う、付記７または８に記載のＬＥＤ照明器具。
（付記１０）
上記制御手段は、上記追加の調光用ボタンが押されていることを示す制御信号が予め設定された判定時間よりも長い時間途切れた場合に上記追加の調光用ボタンの長押しが解除されたと判定する、付記９に記載のＬＥＤ照明器具。
（付記１１）
上記複数の操作ボタンは、上記光源部の色合いを調整する調色用ボタンを含んでおり、
上記制御手段は、上記調色用ボタンが短押しされたとき、上記光源部を段階的に調色し、上記調色用ボタンが長押しされたとき、上記光源部を連続的に調色する、付記５ないし１０のいずれかに記載のＬＥＤ照明器具。
（付記１２）
上記光源部は、上記複数のＬＥＤチップのいずれかである第１のＬＥＤチップを含み、第１の色温度の光を出射するように構成された第１のＬＥＤモジュールと、上記複数のＬＥＤチップのいずれかである第２のＬＥＤチップを含み、第２の色温度の光を出射するように構成された第２のＬＥＤモジュールと、を有しており、
上記制御手段は、上記調色用ボタンが短押しされたとき、上記第１のＬＥＤモジュールに供給する電力を段階的に上昇させ、上記第２のＬＥＤモジュールに供給する電力を段階的に下降させる制御を行い、上記調色用ボタンが長押しされたとき、上記第１のＬＥＤモジュールに供給する電力を連続的に上昇させ、上記第２のＬＥＤモジュールに供給する電力を連続的に下降させる制御を行う、付記１１に記載のＬＥＤ照明器具。
（付記１３）
上記制御手段は、上記調色用ボタンが押されていることを示す制御信号が予め設定された判定時間よりも長い時間途切れた場合に上記調色用ボタンの長押しが解除されたと判定する、付記１２に記載のＬＥＤ照明器具。
（付記１４）
上記複数の操作ボタンは、上記光源部の色合いを調整する追加の調色用ボタンを含んでおり、
上記制御手段は、上記追加の調色用ボタンが短押しされたとき、上記第２のＬＥＤモジュールに供給する電力を段階的に上昇させ、上記第１のＬＥＤモジュールに供給する電力を段階的に下降させる制御を行い、上記追加の調色用ボタンが長押しされたとき、上記第２のＬＥＤモジュールに供給する電力を連続的に上昇させ、上記第１のＬＥＤモジュールに供給する電力を連続的に下降させる制御を行う、付記１２または１３に記載のＬＥＤ照明器具。
（付記１５）
上記制御手段は、上記追加の調色用ボタンが押されていることを示す制御信号が予め設定された判定時間よりも長い時間途切れた場合に上記追加の調色用ボタンの長押しが解除されたと判定する、付記１４に記載のＬＥＤ照明器具。
（付記１６）
上記複数の操作ボタンは、制御状態の記憶と制御状態の再現を行うためのメモリボタンを含んでおり、
上記制御手段は、上記メモリボタンが長押しされたときに制御状態を記憶し、上記メモリボタンが短押しされたときに制御状態を再現する、付記５ないし１５のいずれかに記載のＬＥＤ照明器具。
（付記１７）
上記基準時間変更手段は、互いに異なる複数の基準時間に対応する複数の設定用ボタンを有している、付記１ないし１６のいずれかに記載のＬＥＤ照明器具。
【０２２５】
（１Ｄ実施形態）
図２７〜図３６は、本発明のバリエーションにかかる発明に係るＬＥＤ照明器具の一例を示している。本実施形態のＬＥＤ照明器具１０１Ｄは、支持部２Ｄと、複数の基板３Ｄと、複数のＬＥＤモジュール４Ｄと、電源部５Ｄと、拡散反射板６Ｄと、透光カバー７Ｄと、を備えている。ＬＥＤ照明器具１０１Ｄは、たとえば天井８００の給電部８０１に対して設置部品８０２を介して取り付けられることにより、シーリングライトとして用いられることが意図されている。図２８に示すｚ方向は、床から天井に向かう方向であり、本バリエーション発明における軸方向に相当する。また、図２８におけるｚ方向下方が照射側であり、ｚ方向上方が設置側である。図２７に示すｘ，ｙ方向は互いに直交しており、双方ともｚ方向と直交している。図２７に示すように、ＬＥＤ照明器具１０１Ｄはｚ方向視円形に形成されている。ｚ方向と直交し、かつ、ＬＥＤ照明器具１０１Ｄの直径に沿う方向を径方向とする。図３０に示す断面においては、径方向はｘ方向に沿う方向となっている。二点鎖線で示した中心線Ｃよりもｘ方向における図中左側においては、図中左方が径方向における外方となっており、逆に、中心線Ｃよりもｘ方向における図中右側においては、図中右方が径方向における外方となっている。
【０２２６】
支持部２Ｄは、ｚ方向を軸方向とする環状であり、たとえば金属製であり、ＬＥＤ照明器具１０１Ｄの土台となっている。図２９および図３０に示すように、支持部２Ｄは、円筒状の中央部２１Ｄと、中央部２１Ｄを囲むように設けられた枠状の設置側支持体２２Ｄおよび照射側支持体２３Ｄと、中央部２１から径方向に延びだす連結部２４Ｄとを有している。図３０に示すように、ＬＥＤ照明器具１０１Ｄを天井８００に取り付けた際に、中央部２１Ｄの内部に設置部品８０２が入り込むようになっている。中央部２１Ｄのｚ方向における図３０中下方には電源部５Ｄが収容されている。連結部２４Ｄは、中央部２１Ｄと、設置側支持体２２Ｄおよび照射側支持体２３Ｄとを連結している。
【０２２７】
設置側支持体２２Ｄおよび照射側支持体２３Ｄの径方向における外周の輪郭は、支持部２Ｄの径方向における外周の輪郭を成しており、ｚ方向視において正三十二角形となっている。図３１では支持部２Ｄを拡大して示している。支持部２Ｄは、輪郭を成す正三十二角形の３２個の頂角に対応する３２個の屈曲部２０１Ａと、３２個の辺に対応する３２個の線状部２０１Ｂとを有している。設置側支持体２２Ｄおよび照射側支持体２３Ｄは中心線Ｃを軸として３２回対称である。図３２には、ｙ方向において１対の屈曲部２０１Ａに挟まれる線状部２０１Ｂを拡大して示している。なお、図３１および図３２では基板３ＤおよびＬＥＤモジュール４Ｄの細部を省略している。図３２に示すように、当該線状部２０１Ｂは、１対の屈曲部２０１Ａのそれぞれを介して他の線状部２０１Ｂと隣接している。以下、図３２に示す線状部２０１Ｂについて説明を行う。他の線状部２０１Ｂは、図３２に示す線状部２０１Ｂと回転対称であるため、説明を省略する。
【０２２８】
図３２に示すように、設置側支持体２２Ｄは、照射側支持体２３Ｄよりもｚ方向における上側に配置されている。図３３に示すように、設置側支持体２２Ｄは、ｘ方向において基板３Ｄを挟んで互いに離間する１対の設置側側板２２１，２２２と、設置側底板２２３とを有している。設置側底板２２３は、１対の設置側側板２２１，２２２のｚ方向における図中上側の端部を連結している。図３３に示すように、照射側支持体２３Ｄは、ｘ方向において基板３Ｄを挟んで互いに離間する１対の照射側側板２３１，２３２と、照射側底板２３３とを有している。照射側底板２３３は、１対の照射側側板２３１，２３２のｚ方向における図中下側の端部を連結している。
【０２２９】
さらに、図３４に示すように、支持部２は複数の導電部２５Ｄを有している。複数の導電部２５Ｄは、１対の設置側側板２２１，２２２の互いに向かう合う面および１対の照射側側板２３１，２３２の互いに向かう合う面に設置されている。図３５には、設置側側板２２１に設置された３つの導電部２５Ｄを示している。図３４および図３５に示すように、各導電部２５Ｄは、板状部２５１と、１対の膨出部２５２とを有している。板状部２５１は、たとえば銅製であり、屈曲部２０１Ａを跨ぐように形成されている。１対の膨出部２５２は、たとえば銀製であり、屈曲部２０１Ａを間に挟んで互いに離間するように形成されている。図３５に示すように、複数の導電部２５Ｄは屈曲部２０１Ａ毎に設けられており、互いに離間している。
【０２３０】
図３１に示すように、各線状部２０１Ｂに１個の基板３Ｄが支持されている。このため、複数の基板３Ｄは、ｚ方向を軸方向とする環状に配列されていることになる。図３３および図３４に示すように、各基板３Ｄは、ｚ方向において設置側底板２２３および照射側底板２３３に挟まれている。さらに、各基板３Ｄのｚ方向における図３３中上端部は、設置側側板２２１に設けられた導電部２５Ｄと、設置側側板２２２に設けられた導電部２５Ｄとに挟まれて固定されている。各基板３Ｄのｚ方向における図３３中下端部は、照射側側板２３１に設けられた導電部２５Ｄと、照射側側板２３２に設けられた導電部２５Ｄとに挟まれて固定されている。複数の基板３Ｄは、設置場所が異なっているだけで個々は同一の構成を有している。図３６には、図３２における中央に配置された線状部２０１Ｂに支持される基板３Ｄを示している。以下、この基板３Ｄについて説明を行う。
【０２３１】
基板３Ｄは、図３６に示すように、ｘ方向視矩形状であり、基板本体３１Ｄと、基板本体３１Ｄに形成された金属配線３２Ｄ，３３Ｄと、互いに離間するパッド３４Ｄ，３５Ｄを有している。基板本体３１Ｄは、絶縁性の材料により板状に形成されている。基板本体３１Ｄの材料としては、たとえばガラスエポキシ樹脂またはセラミックが適当である。基板本体３１Ｄは、径方向において互いに反対側を向く支持面３１１Ｄおよび底面３１２Ｄを有している。金属配線３２Ｄ，３３Ｄは、たとえば銅製であり、互いに離間している。パッド３４Ｄ，３５Ｄは、図３６中上端付近にｙ方向において互いに離間するように配置されている。パッド３４Ｄ，３５Ｄは、たとえば金製であり膜状に形成されている。パッド３４Ｄは、金属配線３２Ｄ上に形成されており、パッド３５Ｄは金属配線３３Ｄ上に形成されている。
【０２３２】
本実施形態では、線状部２０１Ｂの周方向における長さ寸法が基板３Ｄの周方向における長さ寸法の２倍よりも短くなっている。各線状部２０１Ｂは１個の基板３Ｄを支持できるサイズであれば十分である。
【０２３３】
本実施形態では、各基板３Ｄが、支持面３１１Ｄが径方向における外方を向くように設置されている。たとえば、図３２に現れている３個の基板３Ｄのうち、中央の基板３Ｄの支持面３１１Ｄは、ｘ方向に垂直な面である。図３２に現れている３個の基板３Ｄのうち、図中左側の基板３Ｄの支持面３１１Ｄはｘ方向に対して１１．２５°傾斜する方向に対して垂直な面である。
【０２３４】
基板３Ｄを支持部２Ｄに取り付ける作業は、たとえば、基板３Ｄの長手方向における一方の端を１対の設置側側板２２１，２２２の間に斜めに押し込み、その後に他方の端を１対の照射側側板２３１，２３２の間に嵌め込むことで行うことができる。
【０２３５】
各基板３Ｄは、各線状部２０１Ｂにおいて、パッド３４Ｄが１対の膨出部２５２の片方に導通するように設置されている。各基板３Ｄのパッド３５Ｄは、パッド３４Ｄが導通する導電部２５Ｄとは別の導電部２５Ｄの１対の膨出部２５２の片方に導通している。換言すれば、隣接する２つの基板３Ｄの一方のパッド３４Ｄと、他方の基板３Ｄのパッド３５Ｄとが、同一の導電部２５Ｄに導通している。３２個の基板３Ｄ上のパッド３４Ｄ，３５Ｄは、屈曲部２０１Ａ毎に配置された導電部２５Ｄを介して一つの電気回路を構成している。
【０２３６】
図３１に示すように、各基板３Ｄに１個ずつＬＥＤモジュール４Ｄが設置されている。複数のＬＥＤモジュール４Ｄは向きが異なるだけで同一のものである。以下、図３３に示すＬＥＤモジュール４Ｄについて説明を行う。
【０２３７】
ＬＥＤモジュール４Ｄは、図３２に示すように、支持面３１１Ｄに支持されている。ＬＥＤモジュール４Ｄは、ｘ方向視長矩形状とされている。図３３に示すようにＬＥＤモジュール４Ｄは、１対のリード４１Ｄ，４２Ｄ、ＬＥＤチップ４３、封止樹脂４４、およびケース４５を備えている。１対のリード４１Ｄ，４２Ｄは、たとえばＣｕ合金からなり、互いに離間している。リード４１ＤにＬＥＤチップ４３が搭載されている。リード４１ＤのうちＬＥＤチップ４３が搭載された面と反対側の面は、金属配線３２Ｄに導通接続されている。リード４２Ｄは、ワイヤによってＬＥＤチップ４３に接続されている。リード４２Ｄのワイヤと接続された面と反対側の面は、金属配線３３Ｄに導通接続されている。ＬＥＤチップ４３は、ＬＥＤモジュール４Ｄの光源であり、たとえば青色光を発光可能とされている。封止樹脂４４は、ＬＥＤチップ４３を保護するためのものである。封止樹脂４４は、ＬＥＤチップ４３からの光によって励起されることにより黄色光を発する蛍光物質を含む透光樹脂を用いて形成されている。これにより、ＬＥＤモジュール４Ｄは、発する光の色温度を適宜設定可能である。上記蛍光物質としては、黄色光を発するものに代えて、赤色光を発するものと緑色光を発するものとを混合して用いてもよい。ケース４５はたとえば白色樹脂からなり、ＬＥＤチップ４３から図３３中上下方向に発された光を図３３中左方に反射するためのものである。なお、ＬＥＤチップ４３は、２つのワイヤによって１対のリード４１Ｄ，４２Ｄに接続される、いわゆる２ワイヤタイプのものでもよい。
【０２３８】
電源部５Ｄは、天井８００の給電部８０１から供給されるたとえば交流１００Ｖ電力を、ＬＥＤチップ４３を点灯させるのに適した電圧の直流電力に変換し、これを複数のＬＥＤモジュール４Ｄに供給するためのものである。電源部５Ｄは、たとえばトランス、コンデンサ、抵抗器、ダイオード、ＩＣなどを備える。
【０２３９】
拡散反射板６Ｄは、たとえばＬＥＤモジュール４Ｄからの光を反射する白色樹脂によって形成されており、支持部２Ｄのｚ方向における設置側に配置されている。図２７に示すように、拡散反射板６Ｄの外側の輪郭はｚ方向視円形である。この円の直径は、ＬＥＤ照明器具１０１Ｄの外側の輪郭を成す円の直径よりも小さくなっている。拡散反射板６Ｄには、図２９に示すように中央に円形の開口部６１が形成されている。この開口部６１は、設置部品８０２を設置側に露出させるためのものである。
【０２４０】
透光カバー７Ｄは、ＬＥＤ照明器具１０１Ｄの外観のほとんどすべてを構成するものであり、乳白色の半透明の樹脂により形成されている。透光カバー７Ｄは、照射側被覆部７１と、照射側被覆部７１よりもｚ方向における設置側（図２８中上側）に位置する設置側被覆部７２とを有している。図２７に示すように、照射側被覆部７１は、ｚ方向視円形に形成されている。設置側被覆部７２は、図３０に示すように、照射側被覆部７１の外周縁から径方向における内方に延出するように形成されている。図２９に示すように、設置側被覆部７２は、中央に円形の開口部７２１が形成されたｚ方向視円環状に形成されている。設置側被覆部７２は、拡散反射板６Ｄよりも、ｚ方向における設置側（図３０中上側）に位置している。
【０２４１】
図３０に示すように、照射側被覆部７１は、径方向において中心から遠ざかるにつれてｚ方向において天井８００に近付くように傾斜している。照射側被覆部７１のｚ方向における下端は、支持部２Ｄのｚ方向における照射側（図中下側）に配置されている。照射側被覆部７１はドーム状の形成されており、少なくともその一部が、径方向視においてＬＥＤモジュール４Ｄと重なるようになっている。開口部７２１の直径は、拡散反射板６Ｄの直径よりも小さくなっており、開口部７２１から拡散反射板６Ｄが露出するようになっている。
【０２４２】
次に、ＬＥＤ照明器具１０１Ｄの作用について説明する。
【０２４３】
本実施形態では、複数の基板３Ｄがｚ方向に離間する設置側支持体２２Ｄおよび照射側支持体２３Ｄとの間に挟まれて支持されている。設置側支持体２２Ｄおよび照射側支持体２３Ｄの輪郭はｚ方向視において正三十二角形となっており、複数の基板３Ｄは、それぞれが正三十二角形の各辺に沿うように配置されている。このような構成によれば、矩形状の基板３Ｄを円周方向に沿って均等に配列することが可能である。したがって、ＬＥＤ照明器具１０１Ｄは、矩形状の基板３Ｄを用いて周方向に沿ってより均一な照明を提供することができる。
【０２４４】
本実施形態では、各線状部２０１Ｂに１個の基板３Ｄが取り付けられている。このことは、各線状部２０１Ｂのサイズを小さくする上で好ましい構成である。線状部２０１Ｂのサイズを小さくすることは、支持部２Ｄの輪郭を成す多角形の辺の数を増やす上で好ましいことである。多角形の辺を増やすことで、多角形はより円に近い形状となり、より均一な照明を提供することができる。なお、本実施形態において、支持部２Ｄは正三十二角形であるが、これは一例に過ぎない。基板３Ｄの小型化を図ることにより、たとえば正六十四角形とすることも可能である。
【０２４５】
本実施形態では基板３Ｄが比較的小さな矩形状に形成されている。このことは、基板材料から基板３Ｄを切り出す上で好ましい構成である。基板３Ｄの単体が小さいことは、仮に不良が生じた場合に廃棄する分が少なくなるため、コスト削減を図る上で望ましいことである。
【０２４６】
本実施形態では、複数のＬＥＤモジュール４Ｄがそれぞれ径方向における外方に向けて光を出射するように設置されている。図３０に示すように、ＬＥＤモジュール４Ｄの径方向における外方には乳白色の透光カバー７Ｄが配置されており、ＬＥＤモジュール４Ｄからの光はこの透光カバー７Ｄによって散乱されてから透光カバー７の外側に出射されていく。これらの光は、ＬＥＤ照明器具１０１Ｄの径方向における遠方を照明する。また、ＬＥＤモジュール４Ｄから出射された光の一部は、拡散反射板６Ｄによって反射され、ｚ方向における照射側に向きを変更されてから透光カバー７Ｄの外側に出射されていく。これらの光は、ＬＥＤ照明器具１０１Ｄの直下を照明する。このような構成であるため、ＬＥＤ照明器具１０１Ｄは室内を満遍なく照明するのに好適である。
【０２４７】
ＬＥＤ照明器具１０１Ｄにおいては、点光源であるＬＥＤモジュール４Ｄが目立ち、複数の眩しい点があるように見えてしまうことがある。本実施形態では、このような問題に対処するために、支持部２Ｄを囲むように配置されたＬＥＤモジュール４Ｄからの光が乳白色の透光カバー７Ｄによって散乱されるように構成されている。ＬＥＤ照明器具１０１Ｄは、床から見上げたときに、透光カバー７Ｄの支持部２Ｄを囲む環状の領域が発光しているように見えるようになっている。このため、ＬＥＤ照明器具１０１Ｄでは、点光源である個々のＬＥＤモジュール４Ｄが目立ちにくくなっている。
【０２４８】
以下、図３７を参照にしつつ、基板３Ｄの好ましい別の実施例を説明する。なお、図３７において、図３６に示した基板３Ｄと同一または類似の要素には、上記実施形態と同一の符号を付しており、適宜説明を省略する。
【０２４９】
図３７に示す基板３Ｄ’では、パッド３５Ｄが、ｚ方向においてパッド３４Ｄの反対側に配置されている。このような基板３Ｄ’を用いるとき、パッド３５Ｄは、照射側側板２３１に設けられた導電部２５Ｄの膨出部２５２と導通する。
【０２５０】
基板３Ｄ’には、ＬＥＤモジュール４Ｄと、ＬＥＤモジュール４Ｄ’とが搭載されている。ＬＥＤモジュール４Ｄ’は、ＬＥＤモジュール４Ｄと同様の構成を備えている。ただし、ＬＥＤモジュール４Ｄ’における封止樹脂４４は、ＬＥＤモジュール４Ｄにおける封止樹脂４４とは異なる組成のものである。このようにすることで、ＬＥＤモジュール４Ｄと、ＬＥＤモジュール４Ｄ’とが、互いに異なる色温度の光を出射する構成とすることができる。たとえば、ＬＥＤモジュール４Ｄが、電球色の光を発し、ＬＥＤモジュール４Ｄ’が昼白色の光を発するようにすることができる。
【０２５１】
このような基板３Ｄ’を用いる場合、ＬＥＤモジュール４Ｄを点灯させるために、隣接する２つの線状部２０１Ｂに設置する基板３Ｄ’の向きを逆にする必要がある。片方の基板３Ｄ’をパッド３４Ｄがｚ方向における設置側にくる向きとした場合には、もう一方の基板３Ｄ’をパッド３４Ｄがｚ方向における照射側にくる向きにする。このように基板３Ｄ’を交互に向きを変えて設置することで全てのＬＥＤモジュール４Ｄを点灯させる電気回路が成立する。
【０２５２】
なお、本実施形態では、図３６および図３７に示した基板３Ｄおよび基板３Ｄ’の両方を利用可能なように設置側側板２２１および照射側側板２３１の双方に同じような導電部２５Ｄが設けられている。図３６に示す基板３Ｄのみを利用する場合には、照射側側板２３１に屈曲部２０１Ａに沿う導電部２５Ｄを設置する必要はない。たとえば、図３８に示すように、スペーサ部材２６Ｄを設けることで代用可能である。スペーサ部材２６Ｄは、板状部２６１と、板状部２６１に設けられた１対の膨出部２６２とを備えている。図３８に示すように板状部２６１は、線状部２０１Ｂの中央に配置されている。このような板状部２６１は、屈曲部２０１Ａに沿って形成される板状部２５１と比較して容易に形成可能である。さらに、膨出部２６２は比較的安価なハンダで形成してもよい。
【０２５３】
また、逆に、照射側側板２３１に導電部２５Ｄを設け、設置側側板２２１にはスペーサ部材２６Ｄを設けるようにしてもよい。この場合、基板３Ｄは、図３６に示す場合とは逆にｚ方向における照射側にパッド３４Ｄ，３５Ｄが設置された構成になる。
【０２５４】
また、さらに、本実施形態では、設置側側板２２２および照射側側板２３２にも導電部２５Ｄが設けられており、基板３Ｄの底面３１２Ｄ側にパッド３４Ｄ，３５Ｄが設けられている場合にも対応可能となっている。基板３Ｄの底面３１２Ｄ側にパッド３４Ｄ，３５Ｄを設けない場合には、設置側側板２２２および照射側側板２３２に導電部２５Ｄを設ける必要はない。図３８に示したようなスペーサ部材２６Ｄで代用可能である。
【０２５５】
図３９〜図４６は、本バリエーション発明の他の実施形態を示している。なお、これらの図において、上記実施形態と同一または類似の要素には、上記実施形態と同一の符号を付している。
【０２５６】
（２Ｄ実施形態）
図３９〜図４２には、本バリエーション発明の２Ｄ実施形態に基づくＬＥＤ照明器具を示している。図３９〜図４２に示すＬＥＤ照明器具１０２Ｄは、複数の透光部材４６を備えており、その他の構成はＬＥＤ照明器具１０１Ｄと同様となっている。
【０２５７】
透光部材４６は、たとえばアクリル樹脂製であり、ＬＥＤモジュール４Ｄからの光を透過するように形成されている。図４０および図４１に示すように、複数の透光部材４６は、ｚ方向を軸方向とする環状に配列されている。環状に配置された透光部材４６の中心軸は、支持部２Ｄの中心軸と同一である。各透光部材４６は、径方向視矩形状に形成されている。各透光部材４６の周方向における長さ寸法は、線状部２０１Ｂの周方向における長さ寸法よりも短くなっている。換言すれば、複数の透光部材４６は、それぞれ、各基板３Ｄに対応するように、線状部２０１Ｂごとに設置されている。
【０２５８】
図４２には、周方向に垂直な平面で切ったＬＥＤ照明器具１０２Ｄの要部断面を示している。図４２に示すように、透光部材４６は、底面４６１と、底面４６１と直交する１対の側面４６２，４６３と、底面４６１の反対側に設けられたレンズ面４６４および１対のテーパ面４６５、４６６とを有している。底面４６１は、設置側側板２２１および照射側側板２３１の外側の側面に当接している。透光部材４６は、さらに、底面４６１から膨出する凸部４６１ａを有している。この凸部４６１ａは、ｚ方向において、設置側側板２２１および照射側側板２３１に挟まれて支持されている。さらに、凸部４６１ａには、ｘ方向に凹む凹部４６１ｂが形成されている。図４２に示すように、透光部材４６は、ＬＥＤモジュール４Ｄを覆うように配置されており、凹部４６１ｂにＬＥＤモジュール４Ｄが収容されている。
【０２５９】
図４２に示すように、１対の側面４６２，４６３はｚ方向において互いに離間している。レンズ面４６４は、略円弧状の断面を有しており、径方向（図４２中ｘ方向）視においてＬＥＤモジュール４Ｄと重なる位置に設けられている。このレンズ面４６４は、ＬＥＤモジュール４Ｄから出射された光を、ｘ方向に沿うように屈曲させる作用を有している。
【０２６０】
１対のテーパ面４６５，４６６は、ｚ方向においてレンズ面４６４を挟むように配置されている。テーパ面４６５は、側面４６２の図４２中左端縁と、レンズ面４６４の図４２中上端縁とを結ぶ面であり、ｘ方向において基板３Ｄから遠ざかるにつれて、ｚ方向においてＬＥＤモジュール４Ｄから遠ざかるように傾斜している。テーパ面４６６は、側面４６３の図４２中左端縁と、レンズ面４６４の図４２中下端縁とを結ぶ面であり、ｘ方向において基板３Ｄから遠ざかるにつれて、ｚ方向においてＬＥＤモジュール４Ｄから遠ざかるように傾斜している。
【０２６１】
透光部材４６は、ＬＥＤモジュール４Ｄを保護するとともに、ＬＥＤモジュール４Ｄからの光を径方向に向けるために設けられている。レンズ面４６４は、ＬＥＤモジュール４Ｄから出射される光のより多くを径方向に沿って進行させることを意図したものである。ＬＥＤモジュール４Ｄから出射された光のうちレンズ面４６４に到達しない光は、１対の側面４６２，４６３に到達する。側面４６２に到達した光のうち、一部はｚ方向設置側に向けて出射されて拡散反射板６Ｄに反射されてｚ方向照射側に向けて反射される。側面４６２に到達した光のうち残りの光は、側面４６２で反射されてテーパ面４６５からｚ方向照射側に向けて出射される。テーパ面４６５が傾斜しているため、テーパ面４６５から出射される光は、径方向に沿うように屈曲する。側面４６３に到達した光のうち、一部はｚ方向照射側に向けて出射される。側面４６３に到達した光のうち残りの光は、側面４６３で反射されてテーパ面４６６からｚ方向設置側に向けて出射されて拡散反射板６Ｄによって反射される。テーパ面４６６が傾斜しているため、テーパ面４６６から出射される光は、径方向に沿うように屈曲する。
【０２６２】
本実施形態では、透光部材４６により、ＬＥＤモジュール４Ｄからの光が透光カバー７Ｄに向けて均一に照射されるように調整されている。このため、透光カバー７Ｄは周方向に沿ってより均一な明るさで光っているように見える。
【０２６３】
本実施形態では、線状部２０１Ｂ毎に透光部材４６が設けられている。このため、個々の透光部材４６は比較的小さなものとなっている。仮に、一つの透光部材４６で複数の線状部２０１Ｂを覆うようにした場合、レンズ面４６４の位置を複数のＬＥＤモジュール４Ｄのそれぞれに対して合わせる必要があり、要求される加工精度が上昇することになる。本実施形態のように、１つのＬＥＤモジュール４Ｄのみを覆うようにすることで、透光部材４６の不良が生じにくくなる。
【０２６４】
なお、前記の問題を考慮しない場合、透光部材４６を複数の線状部２０１Ｂに跨るように形成しても構わない。図４３〜図４５には、そのような透光部材４６の実施例を示している。
【０２６５】
図４３に示す８つの透光部材４６は、それぞれが４つの線状部２０１Ｂに跨るように形成されている。図４３に示す透光部材４６は、正三十二角形状の支持部２に沿う屈曲形状となっている。各透光部材４６は、複数の屈曲部２０１Ａのいずれかに当接している。このような透光部材４６では、図４１に示す透光部材４６と比べて、透光部材４６の外部に漏れ出る光の量を少なくすることができる。
【０２６６】
図４４に示す透光部材４６は、軸方向（ｚ方向）視において正三十二角形状である枠状に形成されており、支持部２Ｄを囲んでいる。この透光部材４６は、全ての屈曲部２０１Ａに当接している。このような透光部材４６には、各線状部２０１Ｂに配置されたＬＥＤモジュール４Ｄからの光を漏らしにくいという利点がある。
【０２６７】
図４５に示す４つの透光部材４６は、それぞれが８つの線状部２０１Ｂに跨るように形成されている。図４５に示す各透光部材４６は、軸方向（ｚ方向）視において円弧状に形成されている。このような透光部材４６は、線状部２０１Ｂと透光部材４６の内周部分との間に隙間が生じやすいものの、比較的製造しやすいという利点がある。
【０２６８】
（３Ｄ実施形態）
図４６には、本バリエーション発明の３Ｄ実施形態に基づくＬＥＤ照明器具を示している。図４６に示すＬＥＤ照明器具１０３Ｄでは、拡散反射板６Ｄおよび透光カバー７Ｄの形状がＬＥＤ照明器具１０２Ｄの場合と異なっており、その他の構成はＬＥＤ照明器具１０２Ｄの場合と同様になっている。また、ＬＥＤ照明器具１０３Ｄでは、ＬＥＤ照明器具１０２Ｄの場合よりも、連結部２４Ｄが中央部２１Ｄのｚ方向における照射側に配置されている。
【０２６９】
ＬＥＤ照明器具１０１ＤおよびＬＥＤ照明器具１０２Ｄにおいては、比較的扁平な拡散反射板６Ｄにドーム状の透光カバー７Ｄが取り付けられている。それに対してＬＥＤ照明器具１０３Ｄでは、拡散反射板６Ｄがドーム状の形成されており、ＬＥＤ照明器具１０１Ｄ，１０２Ｄの場合と比べて透光カバー７Ｄが扁平な形状となっている。本実施形態における拡散反射板６Ｄは、径方向において中心から遠ざかるほどにｚ方向における照射側に変位する斜面６２を有している。斜面６２は、径方向視において、ＬＥＤモジュール４Ｄと重なる位置に設けられている。
【０２７０】
本実施形態では、各ＬＥＤモジュール４Ｄからの光は、各透光部材４６を経た後に斜面６２によって反射されてから透光カバー７Ｄによって拡散される。拡散反射板６Ｄは白色樹脂製であるため、斜面６２によって反射される際にＬＥＤモジュール４Ｄからの光は散乱されることになる。このことは、ＬＥＤモジュール４Ｄが目立つのを防ぐ上で好ましい構成である。このような構成であるため、ＬＥＤ照明器具１０３Ｄでは、透光カバー７Ｄが周方向に沿って均一な明るさで光っているように見える。
【０２７１】
本バリエーション発明に基づくＬＥＤ照明器具は、上述した実施形態に限定されるものではない。本バリエーション発明に基づくＬＥＤ照明器具の各部の具体的な構成は、種々に設計変更自在である。
【０２７２】
たとえば、本実施形態では、設置側支持体２２Ｄおよび照射側支持体２３Ｄがｚ方向視において重なるように配置されているが、本バリエーション発明はこのような実施形態に限定されることはない。たとえば、設置側支持体２２Ｄが、照射側支持体２３Ｄよりも大きな枠状であってもよい。このようにすると、各基板３Ｄが、傾斜した状態で設置側支持体２２Ｄと照射側支持体２３Ｄとの間に支持されることになる。
【０２７３】
本実施形態では、１対の設置側側板２２１，２２２の間に基板３Ｄを斜めに挿入することで基板３Ｄを嵌め込む手法を例示しているが、基板３Ｄの設置方法は他の方法であっても構わない。たとえば、屈曲部２０１Ａ毎に、設置側側板２２１および照射側側板２２２の間にスリットを形成し、このスリットから基板３Ｄを差し込むようにすることもできる。
【０２７４】
本実施形態では、ＬＥＤモジュール４Ｄは１つのＬＥＤチップ４３を内蔵しているが、ＬＥＤモジュール４Ｄが２以上のＬＥＤチップ４３を内蔵していても構わない。また、基板３Ｄに３個以上のＬＥＤモジュール４Ｄが搭載されていても構わない。基板３Ｄに複数のＬＥＤモジュール４Ｄを搭載する場合には、たとえば、異なる色温度を出射可能なＬＥＤモジュール４Ｄを様々な組み合わせで設置するようにしてもよい。
【０２７５】
本実施形態では、線状部２０１Ｂ毎に１個ずつの基板３Ｄが支持されているが、本バリエーション発明がこのような構成に限定されるわけではない。１つの線状部２０１Ｂに複数の基板３Ｄを設置する構成であっても、支持部２Ｄの輪郭を成す多角形の辺の数が十分に多ければ、周方向に均一な照明を実現することは可能である。
【０２７６】
本バリエーション発明のまとめとして、以下に付記として列挙する。
（付記１）
複数のＬＥＤチップと、
上記複数のＬＥＤチップを支持する複数の基板と、
上記複数の基板を支持する環状の支持部と、
少なくとも一部が上記支持部の軸方向における上記支持部の一方側である照射側に配置され、上記複数のＬＥＤチップからの光を透過する透光カバーと、
を備えたＬＥＤ照明器具であって、
上記複数の基板は、上記支持部の軸方向と同じ軸方向を有する環状に配列されており、
上記各基板は、上記支持部の径方向における一方側である外方を向く支持面を有しており、
上記各支持面は上記複数のＬＥＤチップのいずれかを支持しており、
上記支持部は、複数の導電部と、照射側支持体と、上記照射側支持体よりも上記軸方向における他方側である設置側に配置された設置側支持体と、を有しており、
上記照射側支持体は、上記径方向において上記複数の基板を挟んで互いに離間する１対の照射側側板を有しており、
上記設置側支持体は、上記径方向において上記複数の基板を挟んで互いに離間する１対の設置側側板を有していることを特徴とする、ＬＥＤ照明器具。
（付記２）
上記照射側支持体は、上記１対の照射側側板の上記軸方向における照射側の端部を連結する照射側底板を有しており、
上記設置側支持体は、上記１対の設置側側板の上記軸方向における設置側の端部を連結する設置側底板を有しており、
上記複数の基板は、上記軸方向において上記照射側底板と上記設置側底板に挟まれている、付記１に記載のＬＥＤ照明器具。
（付記３）
上記各基板は、上記径方向視において矩形状である、付記１または２に記載のＬＥＤ照明器具。
（付記４）
上記各基板は、互いに離間する第１のパッドおよび第２のパッドを有しており、
上記各導電部は、隣り合う基板の一方の第１のパッドと、他方の基板の第２のパッドとを導通させている、付記３に記載のＬＥＤ照明器具。
（付記５）
上記軸方向視において、上記支持部の輪郭は多角形であり、
上記支持部は、上記支持部の輪郭における多角形の頂角に対応する複数の屈曲部と、上記支持部の輪郭における多角形の辺に対応する複数の線状部とを有しており、
上記複数の線状部は、上記複数の屈曲部のいずれかである第１の屈曲部を挟んで隣り合う第１の線状部および第２の線状部を含んでおり、
上記複数の基板は、上記第１の線状部に支持される第１の基板と、上記第２の線状部に支持される第２の基板とを含んでいる、付記４に記載のＬＥＤ照明器具。
（付記６）
上記各線状部の周方向における長さ寸法は、上記各基板の周方向における長さ寸法の２倍より短い、付記５に記載のＬＥＤ照明器具。（付記７）
上記各導電部が上記各屈曲部を跨ぐように設けられている、付記６に記載のＬＥＤ照明器具。
（付記８）
上記複数の導電部が、上記設置側支持体に設けられている、付記７に記載のＬＥＤ照明器具。
（付記９）
上記複数の導電部は、上記第１の基板の上記第１のパッドと、上記第２の基板の上記第２のパッドとを導通させる第１の導電部と、上記第１の基板の上記第２のパッドに導通する第２の導電部と、を含んでおり、
上記第１の導電部が、上記設置側支持体に設けられており、
上記第２の導電部が、上記照射側支持体に設けられている、付記７に記載のＬＥＤ照明器具。
（付記１０）
上記各導電部が、上記照射側支持体に設けられている、付記７に記載のＬＥＤ照明器具。
（付記１１）
上記軸方向と同じ軸方向を有する環状に配列された複数の透光部材を備えており、
上記複数の透光部材は、上記複数のＬＥＤチップのいずれかである第１のＬＥＤチップを覆う第１の透光部材を含んでいる、付記５ないし１０のいずれかに記載のＬＥＤ照明器具。
（付記１２）
上記第１の透光部材は、上記径方向視において上記第１のＬＥＤチップと重なるレンズ面を有している、付記１１に記載のＬＥＤ照明器具。
（付記１３）
上記第１の透光部材は、上記軸方向において、上記レンズ面を挟むように配置される１対のテーパ面を有しており、
上記１対のテーパ面は、それぞれ、上記軸方向において上記レンズ面から遠ざかるにつれて、上記径方向において上記第１のＬＥＤチップから遠ざかるように傾斜している、付記１２に記載のＬＥＤ照明器具。
（付記１４）
上記各透光部材の周方向における長さ寸法が、上記各線状部の周方向における長さ寸法よりも短くなっている、付記１１ないし１３のいずれかに記載のＬＥＤ照明器具。
（付記１５）
上記各透光部材が、上記支持部に沿った屈曲形状である、付記１１ないし１３のいずれかに記載のＬＥＤ照明器具。
（付記１６）
上記各透光部材が上記軸方向視において円弧状である、付記１１ないし１３のいずれかに記載のＬＥＤ照明器具。
（付記１７）
上記軸方向と同じ軸方向を有する環状に形成された透光部材を備えており、
上記透光部材が上記支持部を囲っている、付記５ないし１０のいずれかに記載のＬＥＤ照明器具。
（付記１８）
上記透光部材は、上記径方向視において上記複数のＬＥＤチップのいずれかである第１のＬＥＤチップと重なるレンズ面を有している、付記１７に記載のＬＥＤ照明器具。
（付記１９）
上記透光部材は、上記軸方向において、上記レンズ面を挟むように配置される１対のテーパ面を有しており、
上記１対のテーパ面は、それぞれ、上記軸方向において上記レンズ面から遠ざかるにつれて、上記径方向において上記第１のＬＥＤチップから遠ざかるように傾斜している、付記１８に記載のＬＥＤ照明器具。
（付記２０）
上記透光部材が、上記支持部に沿った多角形状である、付記１９に記載のＬＥＤ照明器具。
（付記２１）
上記透光カバーは、乳白色の半透明の樹脂により形成されている、付記１ないし２０のいずれかに記載のＬＥＤ照明器具。
（付記２２）
少なくとも一部が、上記軸方向において上記支持部の設置側に配置されている拡散反射板を備えている、付記１ないし２１のいずれかに記載のＬＥＤ照明器具。
（付記２３）
上記拡散反射板が白色樹脂により形成されている、付記２２に記載のＬＥＤ照明器具。（付記２４）
上記拡散反射板が、上記径方向において中心から遠ざかるほどに上記軸方向における照射側に変位する斜面を有しており、
上記斜面は上記径方向視において上記複数のＬＥＤチップのいずれかと重なっている、付記２３に記載のＬＥＤ照明器具。
（付記２５）
上記透光カバーは、少なくともその一部が上記径方向視において上記複数のＬＥＤモジュールのいずれかと重なるように形成されている、付記２１ないし２３のいずれかに記載のＬＥＤ照明器具。
【０２７７】
（１Ｅ実施形態）
図４８および図４９は、本発明のバリエーションにかかる発明の１Ｅ実施形態に基づくＬＥＤ照明器具を示している。本実施形態のＬＥＤ照明器具１０１Ｅは、支持部２０Ｅと、複数の光源部３０Ｅと、拡散反射板４０Ｅと、電源部５０と、化粧カバー６０と、透光板７０とを備えている。ＬＥＤ照明器具１０１Ｅは、シーリングライトとして用いられることが意図されたものであり、たとえば天井８００の給電部８０１に対して取り付け可能な設置部品８０２を備える。図４９に示すｚ方向は、天井から床に向かう方向であり、本バリエーション発明でいう第１の方向に相当する。また、図４９におけるｚ方向下方が照射側であり、ｚ方向上方が設置側である。図４８および図４９に示すｒ方向はｚ方向を軸方向とする径方向であり、本バリエーション発明で言う第２の方向に相当する。図４８に示すように、ＬＥＤ照明器具１０１はｚ方向視円形に形成されている。
【０２７８】
支持部２０Ｅは、たとえばアルミなどの金属製であり、ＬＥＤ照明器具１０１Ｅの土台となっている。支持部２０Ｅは、ｚ方向視においてたとえば正八角形となるように形成されているが、この形状に限定されるものではない。支持部２０Ｅは、正八角形の辺に沿う８つの側板２１Ｅを備えている。支持部２０Ｅの中心は、ＬＥＤ照明器具１０１Ｅの中心と一致している。８つの側板２１Ｅは、ｒ方向における一方側である外側と他方側である内側とを隔てている。各側板２１Ｅは、ｚ方向において照射側から設置側に向かうほどｒ方向外側に位置するように傾斜している。側板２１Ｅのｒ方向内側は、電源部５０を収容するための空間となっている。支持部２０Ｅは、全体としてｚ方向視リング状となっており、ＬＥＤ照明器具１０１Ｅを天井８００に取り付けた際に、設置部品８０２が入り込むようになっている。
【０２７９】
複数の光源部３０Ｅは、支持部２０Ｅの側板２１Ｅのｒ方向外側の面に搭載されている。光源部３０Ｅは、複数の基板３１Ｅ、複数のＬＥＤモジュール３２Ｅ、および保護部材３３Ｅを有している。基板３１Ｅは、たとえばガラスエポキシ樹脂からなる絶縁基板である。保護部材３３Ｅは、たとえば透明なアクリル樹脂製であり、ＬＥＤモジュール３２Ｅを覆うように形成されている。保護部材３３Ｅは、たとえば、断面が略半円である半管状に形成されている。
【０２８０】
複数のＬＥＤモジュール３２Ｅは、基板３１Ｅに搭載されており、図５０に示すように、１対のリード３２１Ｅ、ＬＥＤチップ３２２Ｅ、封止樹脂３２３、およびケース３２４を備えている。１対のリード３２１Ｅは、たとえばＣｕ合金からなり、その一方にＬＥＤチップ３２２Ｅが搭載されている。リード３２１ＥのうちＬＥＤチップ３２２Ｅが搭載された面と反対側の面は、ＬＥＤモジュール３２Ｅを面実装するために用いられる実装端子３２５とされている。ＬＥＤチップ３２２Ｅは、ＬＥＤモジュール３２Ｅの光源であり、たとえば青色光を発光可能とされている。封止樹脂３２３は、ＬＥＤチップ３２２Ｅを保護するためのものである。封止樹脂３２３は、ＬＥＤチップ３２２Ｅからの光によって励起されることにより黄色光を発する蛍光物質を含む透光樹脂を用いて形成されている。これにより、ＬＥＤモジュール３２Ｅは、発する光の色温度を適宜設定可能である。上記蛍光物質としては、黄色光を発するものに代えて、赤色光を発するものと緑色光を発するものとを混合して用いてもよい。ケース３２４はたとえば白色樹脂からなり、ＬＥＤチップ３２２Ｅから側方に発された光を上方に反射するためのものである。なお、ＬＥＤチップ３２２Ｅは、２つのワイヤによって１対のリード３２１Ｅに接続される、いわゆる２ワイヤタイプのものでもよい。
【０２８１】
透光板７０は、ＬＥＤ照明器具１０１Ｅのｚ方向照射側からの外観のほとんどすべてを構成するものであり、たとえば乳白色の半透明樹脂からなる。透光板７０は、ｚ方向視においてリング板状に形成されており、光源部３０Ｅよりもｚ方向照射側に設けられている。光源部３０Ｅから透光板７０に進行した光は、透光板７０によって拡散されつつ、透光板７０を透過する。そして、拡散されつつ透過した光は、透光板７０のｚ方向照射側の面から出射される。本実施形態においては、透光板７０の厚さは、ｒ方向外方ほど薄くなっている。
【０２８２】
化粧カバー６０は、支持部２０Ｅのｚ方向における照射側に配置されており、たとえばアルミニウム製あるいは樹脂製であり、ｚ方向視円形に形成されている。本実施形態においては、透光板７０は、化粧カバー６０とともにボルトによって支持部２０Ｅに取り付けられている。これにより、透光板７０は、支持部２０Ｅに対して脱着可能となっている。
【０２８３】
拡散反射板４０Ｅは、たとえばＬＥＤモジュール３２Ｅからの光を反射する白色樹脂によって形成されており、支持部２０Ｅのｚ方向における設置側に配置されている。図４８に示すように、拡散反射板４０Ｅの外側の輪郭はｚ方向視円形である。この円の直径は、透光板７０の直径よりも小さい。図４９に示すように、拡散反射板４０Ｅには、中央に円形の開口部４１Ｅが形成されている。この開口部４１Ｅは、設置部品８０２を設置側に露出させるためのものである。また、拡散反射板４０Ｅは、外縁部４２Ｅを有している。外縁部４２Ｅは、ｒ方向における外方ほど、ｚ方向における照射側に位置するように傾斜している。
【０２８４】
電源部５０は、たとえば商用の交流１００Ｖ電力を、ＬＥＤチップ３２２Ｅを発光させるのに適した直流電力へと変換するためのものである。電源部５０は、たとえば、トランス、コンデンサ、ＬＥＤドライバなどによって構成されている。
【０２８５】
図５１は、ＬＥＤ照明器具１０１Ｅの他の使用例を示している。この使用例においては、ＬＥＤ照明器具１０１Ｅの構成部品として、延長アダプタ８０３が追加されている。延長アダプタ８０３は、第１中間取り付け部８０４、第２中間取り付け部８０５、およびケーブル８０６を具備している。第１中間取り付け部８０４は、天井８００の給電部８０１に取り付け可能に構成されている。第２中間取り付け部８０５は、設置部品８０２に取り付け可能に構成されている。ケーブル８０６は、第１中間取り付け部８０４と第２中間取り付け部８０５とを連結している。給電部８０１と設置部品８０２とは、延長アダプタ８０３を介して導通している。また、この使用例においては、透光板７０が、図４８に示した使用例におけるものに比べて、小径のものに取り換えられている。このような使用例のＬＥＤ照明器具１０１Ｅは、天井８００からｚ方向下方に離間した位置からたとえばテーブルを照らすいわゆるペンダントライトとして用いられる。
【０２８６】
図５２は、図４８に示す使用例におけるＬＥＤ照明器具１０１Ｅから透光板７０を取り外す作業を示している。図示されたボルトを外すことにより、化粧カバー６０とともに透光板７０を取り外すことができる。そして、図５３は、図５１に示す使用例を構築するための作業を示している。図４８に示す透光板７０よりも小径の透光板７０と延長アダプタ８０３を用意する。そして、延長アダプタ８０３を給電部８０１および設置部品８０２に取り付ける。そして、図示されたボルトによって化粧カバー６０とともに透光板７０を支持部２０Ｅに取り付ける。これにより、図５１に示す使用例のＬＥＤ照明器具１０１Ｅを構築することができる。
【０２８７】
次に、ＬＥＤ照明器具１０１Ｅの作用について説明する。
【０２８８】
本実施形態によれば、図４９に示すように、ＬＥＤ照明器具１０１Ｅのｒ方向外縁付近は、透光板７０の厚さだけとなる。このため、ＬＥＤ照明器具１０１Ｅの外観をスマートな見栄えとすることができる。透光板７０は、ｒ方向外方ほど薄いため、ＬＥＤ照明器具１０１Ｅのｒ方向外縁部分をより薄いものとすることができる。また、光源部３０Ｅから透光板７０の各部に到達する光は、光源部３０Ｅから遠い部位に到達する光ほど光量が少ない。透光板７０は、ｒ方向外方ほど薄いため、受ける光量が少なくても比較的明るい光を出射することができる。これは、透光板７０全体を均一に光らせるのに都合がよい。
【０２８９】
図４９および図５１に示すように、延長アダプタ８０３を選択的に使用することにより、ＬＥＤ照明器具１０１Ｅをシーリングライトとして使用することと、ペンダントライトとして使用することを適宜選択することができる。また、透光板７０が支持部２０Ｅに対して脱着可能であることにより、シーリングライトやペンダントライトに適した大きさの透光板７０を適宜採用することができる。
【０２９０】
図５４〜図６４は、本バリエーション発明の変形例および他の実施形態を示している。なお、これらの図において、上記実施形態と同一または類似の要素には、上記実施形態と同一の符号を付している。
【０２９１】
図５４は、ＬＥＤ照明器具１０１Ｅの拡散反射板４０Ｅについての変形例を示している。本変形例においては、拡散反射板４０Ｅの外縁部４２Ｅが、波板状とされている。このような構成によれば、光源部３０Ｅから支持部２０Ｅおよび拡散反射板４０Ｅを伝ってきた熱を、外縁部４２Ｅからより多く放散することが可能である。
【０２９２】
図５５は、ＬＥＤ照明器具１０１Ｅの拡散反射板４０Ｅについての他の変形例を示している。本変形例においては、拡散反射板４０Ｅの外縁部４２Ｅに、複数の溝４２１が形成されている。このような変形例によっても、光源部３０Ｅから支持部２０Ｅおよび拡散反射板４０Ｅを伝ってきた熱を、外縁部４２Ｅからより多く放散することが可能である。
【０２９３】
図５６は、ＬＥＤ照明器具１０１Ｅの拡散反射板４０Ｅについての他の変形例を示している。本変形例においては、拡散反射板４０Ｅは、基材４０１とアルマイト層４０２によって構成されている。基材４０１は、アルミからなる。アルマイト層４０２は、基材４０１に対してアルマイト処理を施すことにより形成された層である。このような変形例によっても、光源部３０Ｅからの熱を効率よく放散することができる。
【０２９４】
図５７は、ＬＥＤ照明器具１０１Ｅの拡散反射板４０Ｅについての他の変形例を示している。本変形例においては、拡散反射板４０Ｅは、基材４０１と高放熱性塗料層４０３によって構成されている。基材４０１は、アルミなどの金属からなる。高放熱性塗料層４０３は、高放熱性塗料を基材４０１に塗布することにより形成された層である。この高放熱性塗料としては、たとえば白色の塗料であって、アルミナなどのセラミックスの微粒子を含むもの、あるいは金属粉末を含むもの、が挙げられる。このような変形例によっても、光源部３０Ｅからの熱を効率よく放散することができる。
【０２９５】
（２Ｅ実施形態）
図５８および図５９は、本バリエーション発明の２Ｅ実施形態に基づくＬＥＤ照明器具を示している。本実施形態のＬＥＤ照明器具１０２Ｅは、支持部２０Ｅ、複数の光源部３０Ｅ、複数の追加の光源部３０Ｅ’、電源部５０、および導光体８０を備えている。ＬＥＤ照明器具１０２Ｅは、図４８に示したＬＥＤ照明器具１０１Ｅと同様に、ｚ方向視において全体として円形状とされている。
【０２９６】
支持部２０Ｅは、たとえばアルミなどの金属製であり、ＬＥＤ照明器具１０２Ｅの土台となっている。支持部２０Ｅは、ｚ方向視においてたとえば正八角形となるように形成されているが、この形状に限定されるものではない。支持部２０Ｅは、正八角形の辺に沿う８つの側板２１Ｅ、および８つの係止部２２Ｅを有している。支持部２０Ｅの中心は、ＬＥＤ照明器具１０１Ｅの中心と一致している。８つの側板２１Ｅは、ｒ方向における一方側である外側と他方側である内側とを隔てている。各側板２１Ｅは、ｚ方向において照射側から設置側に向かうほどｒ方向内側に位置するように傾斜している。支持部２０Ｅは、全体としてｚ方向視リング状となっており、ＬＥＤ照明器具１０１Ｅを天井８００に取り付けた際に、設置部品８０２が入り込むようになっている。係止部２２Ｅは、側板２１Ｅのｚ方向下端から延びており、導光体８０を保持するための部位である。
【０２９７】
複数の光源部３０Ｅは、支持部２０Ｅの側板２１Ｅのｒ方向外側の面に搭載されている。光源部３０Ｅは、複数の基板３１Ｅおよび複数のＬＥＤモジュール３２Ｅを有している。基板３１ＥおよびＬＥＤモジュール３２Ｅの構成は、上述した通りである。
【０２９８】
電源部５０は、たとえば商用の交流１００Ｖ電力を、ＬＥＤチップ３２２Ｅを発光させるのに適した直流電力へと変換するためのものである。電源部５０は、たとえば、トランス、コンデンサ、ＬＥＤドライバなどによって構成されており、支持部２０Ｅによって支持されている。
【０２９９】
導光体８０は、たとえば透明なアクリル樹脂製であり、ｚ方向視円環形に形成されている。導光体８０は、くびれ部８１、屈曲部８２、およびリング板状部８３を有する。くびれ部８１は、導光体８０のうちｒ方向内方にある部位であり、図５９に示すように、凹部８１１、入射面８１２、および底面８１３を有する。底面８１３は、光源部３０Ｅの基板３１Ｅと正対し、基板３１Ｅに接しうる面である。くびれ部８１は、底面８１３から基板３１Ｅが向く方向に向かうほど断面形状が小となる形状とされている。凹部８１１は、底面８１３から凹んでおり、光源部３０ＥのＬＥＤモジュール３２Ｅを収容している。入射面８１２は、凹部８１１の内面の一部であり、ＬＥＤモジュール３２Ｅに正対している。
【０３００】
屈曲部８２は、くびれ部８１に対してｒ方向外方に繋がっており、図５９に示すように屈曲形状とされている。リング板状部８３は、屈曲部８２に対してｒ方向外方に繋がっており、ｚ方向視においてリング状の板状部位である。くびれ部８１に対して屈曲部８２を介して繋がっていることにより、リング板状部８３は、光源部３０Ｅよりもｚ方向設置側に位置している。リング板状部８３のｚ方向設置側には、反射層８４が設けられている。反射層８４は、白色樹脂あるいはアルミからなる。リング板状部８３のｚ方向照射側の面は、出射面８３２とされている。図５８に示すように、リング板状部８３のｒ方向外方端は、遮光部材８７によって覆われている。遮光部材８７は、断面コの字状のリング形状であり、不透明な樹脂あるいは金属からなる。
【０３０１】
図５９に示すように、ＬＥＤモジュール３２Ｅから出射した光は、入射面８１２に入射した後に、くびれ部８１内を屈曲部８２に向けて進行する。屈曲部８２内においては、進行してきた光が全反射されることにより、リング板状部８３へと向かう。リング板状部８３においては、リング板状部８３のｒ方向外方部分へと光が進行する。この最中に反射層８４によって反射された光の一部が、図５８に示すように出射面８３２からｚ方向照射側へと出射される。リング板状部８３のｒ方向外端縁に達した光は、遮光部材８７によってそれ以上にｒ方向外方へと進行することが妨げられる。
【０３０２】
追加の光源部３０Ｅ’は、側板２１Ｅの内側に設けられている。追加の光源部３０Ｅ’は、複数の基板３１Ｅおよび複数のＬＥＤモジュール３２Ｅを備えており、光源部３０Ｅと同様の構成である。
【０３０３】
次に、ＬＥＤ照明器具１０２Ｅの作用について説明する。
【０３０４】
本実施形態によれば、ＬＥＤ照明器具１０２Ｅは、ｒ方向中央寄り部分を除き、導光体８０のリング板状部８３の厚さとほとんど同じ厚さとなり、天井８００に沿ったものとなる。このため、ＬＥＤ照明器具１０２Ｅは、天井８００から突出する印象をほとんど与えない。これは、取り付けられる部屋の印象をスマートなものとするのに適している。
【０３０５】
ＬＥＤモジュール３２Ｅを凹部８１１によって収容することにより、ＬＥＤモジュール３２Ｅからの光が導光体８０から漏れてしまうことを抑制することができる。ＬＥＤモジュール３２Ｅの正面に入射面８１２を設けることにより、ＬＥＤモジュール３２Ｅからの光の多くを入射面８１２に入射させることができる。底面８１３を基板３１Ｅに対向させ、接しうる構成とすることは、導光体８０からの光の漏れを防止するのに適している。
【０３０６】
くびれ部８１は、ＬＥＤモジュール３２Ｅからの光を屈曲部８２に向けて集光する効果を奏する。屈曲部８２は、くびれ部８１から進行してきた光を、リング板状部８３に向けて徐々に反射する効果を奏する。また、屈曲部８２を設けることにより、リング板状部８３を光源部３０Ｅに対してｚ方向設置側に位置させることができる。
【０３０７】
反射層８４は、リング板状部８３内を進行してきた光がｚ方向設置側に漏れてしまうことを抑制するとともに、進行してきた光を出射面８３２に向けて反射することができる。
【０３０８】
図６０は、ＬＥＤ照明器具１０２Ｅの変形例を示している。本変形例のＬＥＤ照明器具１０２Ｅは、透光カバー７５および反射カバー７６を備えている。透光カバー７５は、たとえば乳白色の半透明な樹脂からなり、追加の光源部３０Ｅ’を覆うように、支持部２０Ｅの内側に設けられている。反射カバー７６は、たとえば白色の樹脂あるいはアルミなどからなる。反射カバー７６は、追加の光源部３０Ｅ’に対してｒ方向内側に配置されており、設置部品８０２を覆っている。
【０３０９】
このような変形例によっても、ＬＥＤ照明器具１０２Ｅによってスマートな印象を与えることができる。また、追加の光源部３０Ｅ’を設けることにより、ＬＥＤ照明器具１０２Ｅをｚ方向照射側から観察した場合に、そのほとんど全面を光らせることができる。反射カバー７６を設けることにより、追加の光源部３０Ｅ’からの光を透光カバー７５からより多く出射させることができる。透光カバー７５を備える構成は、均一な発光を実現するのに有利である。
【０３１０】
図６１〜図６４は、ＬＥＤ照明器具１０２Ｅの導光体８０についての種々の変形例を示している。
【０３１１】
図６１に示す変形例においては、リング板状部８３のｚ方向設置側に壁部８６が設けられている。壁部８６は、たとえばスポンジまたは樹脂などからなり、リング板状部８３と天井８００とに接している。また、本変形例においては、壁部８６よりもｒ方向外方には、反射層８４が設けられていない。リング板状部８３のうちｚ方向設置側に露出した面は、出射面８３３とされている。このような変形例によれば、壁部８６によってリング板状部８３のｚ方向設置側に埃などが溜まってしまうことを防止することができる。また、出射面８３３からの光により、天井８００をほのかに照らすことができる。
【０３１２】
図６２に示す変形例においては、リング板状部８３のｚ方向設置側に反射層８４と黒色層８５とが積層されている。反射層８４は、たとえばアルミなどの金属からなる層である。黒色層８５は、たとえば黒色の塗料が塗布された層、あるいは黒色の樹脂シートからなる層である。反射層８４および黒色層８５は、リング板状部８３のｒ方向外端縁付近まで形成されている。このような変形例は、黒色層８５が設けられていることにより、天井８００にＬＥＤ照明器具１０２Ｅの像が写りにくい。これは、ＬＥＤ照明器具１０２Ｅをコンパクトに見せるのに適している。
【０３１３】
図６３に示す変形例においては、反射層８４および黒色層８５が、壁部８６が設けられた位置まで形成されている。リング板状部８３のうちｚ方向設置側に露出した面が出射面８３３とされており、リング板状部８３のｒ方向外端面が出射面８３４とされている。本変形例においては、出射面８３２，８３３，８３４は、いずれも粗面とされている。このような変形例は、ＬＥＤ照明器具１０２Ｅのｒ方向外縁付近を明るく照らす用途に適している。出射面８３２，８３３，８３４を粗面とすることにより、均一な発光を促進することができる。
【０３１４】
図６４に示す変形例においては、リング板状部８３は、外縁傾斜部８３１を有している。外縁傾斜部８３１は、ｒ方向外方に向かうほどｚ方向照射側に位置するように傾斜した部位である。本変形例においては、外縁傾斜部８３１の端面は、ｚ方向照射側を向いている。外縁傾斜部８３１のｒ方向外方の面は、出射面８３３とされている。出射面８３３は、粗面である。このような変形例によっても、ＬＥＤ照明器具１０２Ｅのｒ方向外縁付近を明るく照らすことができる。
【０３１５】
本バリエーション発明に係るＬＥＤ照明器具は、上述した実施形態に限定されるものではない。本バリエーション発明に係るＬＥＤ照明器具の各部の具体的な構成は、種々に設計変更自在である。
【０３１６】
本バリエーション発明のまとめとして、以下に付記として列挙する。
（付記１）
少なくとも１以上のＬＥＤチップを含む光源部と、
上記光源部を支持する支持部と、
少なくとも一部が上記支持部の第１の方向における一方側である照射側に配置され、上記光源部からの光を透過する透光板と、
を備えたＬＥＤ照明器具であって、
上記支持部は、上記第１の方向を軸方向とする径方向に相当する第２の方向における一方側である外側と、他方側である内側とを隔てる複数の側板を有しており、  上記第２の方向における内側は、上記複数の側板に囲まれており、
上記各側板は、上記第１の方向における上記照射側から反対側である設置側に向かうほど、上記第２の方向における外側に位置するように傾斜しており、
上記光源部は、上記複数の側板のいずれかの上記第２の方向における外側に配置されており、
上記透光板は、上記光源部よりも上記第１の方向照射側に配置されたリング板状であることを特徴とする、ＬＥＤ照明器具。
（付記２）
上記透光板は、上記支持部に対して脱着可能とされている、付記１に記載のＬＥＤ照明器具。
（付記３）
上記透光板は、上記第２の方向外側ほど厚さが薄い、付記２に記載のＬＥＤ照明器具。（付記４）
上記透光板を上記支持部に対して取り付ける化粧カバーを備えている、付記２または３に記載のＬＥＤ照明器具。
（付記５）
外部に設けられた給電部に対して取り付けるための設置部品と、
上記給電部に対して取り付けられる第１中間取り付け部、上記設置部品に取り付けられる第２中間取り付け部、上記第１および第２中間取り付け部を連結するケーブル、を具備する延長アダプタと、を備える、付記２ないし４のいずれかに記載のＬＥＤ照明器具。
（付記６）
上記支持部の上記第１の方向設置側に配置され、上記光源部からの光を反射する拡散反射板を備える、付記１ないし５のいずれかに記載のＬＥＤ照明器具。
（付記７）
上記拡散反射板は、上記第２の方向外側寄りに位置し、かつ上記第２の方向外側に向かうほど上記第１の方向照射側に位置する形状とされた外縁部を有する、付記６に記載のＬＥＤ照明器具。
（付記８）
上記外縁部は、波板状とされている、付記７に記載のＬＥＤ照明器具。
（付記９）
上記外縁部は、複数の溝を有する、付記７に記載のＬＥＤ照明器具。
（付記１０）
上記拡散反射板は、表面にアルマイト処理が施されたアルミからなる、付記６ないし９のいずれかに記載のＬＥＤ照明器具。
（付記１１）
上記外縁部には、高放熱性塗料が塗布されている、付記７ないし９のいずれかに記載のＬＥＤ照明器具。
（付記１２）
少なくとも１以上のＬＥＤチップを含む光源部と、
上記光源部を支持する支持部と、を備えたＬＥＤ照明器具であって、
上記支持部は、上記第１の方向を軸方向とする径方向に相当する第２の方向における一方側である外側と、他方側である内側とを隔てる複数の側板を有しており、
上記第２の方向における内側は、上記複数の側板に囲まれており、
上記各側板は、上記第１の方向における上記照射側から反対側である設置側に向かうほど、上記第２の方向における内側に位置するように傾斜しており、
上記光源部は、上記複数の側板のいずれかの上記第２の方向における外側に配置されており、
上記光源部からの光が入射する入射面、上記入射面よりも上記第１の方向設置側に位置しており上記第１の方向照射側の面が出射面とされたリング板状部、を有する導光体を備えることを特徴とする、ＬＥＤ照明器具。（付記１３）
上記導光体には、上記ＬＥＤチップを収容する凹部が形成されており、
上記凹部の内面の一部が、上記入射面とされている、付記１２に記載のＬＥＤ照明器具。
（付記１４）
上記光源部は、上記ＬＥＤチップが搭載された基板を有しており、
上記導光体は、上記基板に正対する底面を有しており、
上記凹部は、上記底面から凹んでいる、付記１３に記載のＬＥＤ照明器具。
（付記１５）
上記導光体は、上記底面から上記基板が向く方向に向かうほど断面形状が小となるくびれ部を有する、付記１４に記載のＬＥＤ照明器具。
（付記１６）
上記導光体は、上記くびれ部と上記リング板状部を繋ぐ屈曲部を有する、付記１５に記載のＬＥＤ照明器具。
（付記１７）
上記支持部は、上記導光体の上記くびれ部の上記第１の方向照射側部分に係止する係止部を有する、付記１５または１６に記載のＬＥＤ照明器具。
（付記１８）
上記リング板状部の外縁を覆う遮光部材を備える、付記１２ないし１７のいずれかに記載のＬＥＤ照明器具。
（付記１９）
上記リング板状部の上記第１の方向設置側を覆う反射層を有する、付記１２ないし１８のいずれかに記載のＬＥＤ照明器具。
（付記２０）
上記反射層の上記第１の方向設置側を覆う黒色層を有する、付記１９に記載のＬＥＤ照明器具。
（付記２１）
上記リング板状部は、上記第２の方向外側に向かうほど上記第１の方向照射側に位置するように傾斜した外縁傾斜部を有する、付記１２ないし２０のいずれかに記載のＬＥＤ照明器具。
（付記２２）
上記リング板状部から上記第１の方向設置側に突出するように設けられた壁部を有する、付記１２ないし２１のいずれかに記載のＬＥＤ照明器具。
（付記２３）
上記側板の内側に搭載された、追加の光源部を有する、付記１２ないし２２のいずれかに記載のＬＥＤ照明器具。
（付記２４）
上記追加の光源部を覆う追加の透光カバーを有する、付記２３に記載のＬＥＤ照明器具。
（付記２５）
上記追加の透光カバーの内方に配置されており、上記追加の光源部からの光を反射する反射カバーを有する、付記２４に記載のＬＥＤ照明器具。
【０３１７】
（１Ｆ実施形態）
図６６〜図７１は、本発明のバリエーションにかかる発明に係るＬＥＤ照明器具の一例を示している。本実施形態のＬＥＤ照明器具１０１Ｆは、支持部２００Ｆ、複数のＬＥＤモジュール３００、電源部４００、受信部５００、およびカバー６００を備えている。ＬＥＤ照明器具１０１Ｆは、たとえば天井８００の給電部８０１に対して設置部品８０２を介して取り付けられることにより、いわゆるシーリングライトとして用いられることが意図されている。なお、図７０においては、理解の便宜上カバー６００のほとんどを省略している。
【０３１８】
支持部２００Ｆは、ＬＥＤ照明器具１０１Ｆの土台をなす部分であり、図６８〜図７０に示すように、センター部材２１０と、支持板２２０と、押さえ部材２３０とを備えている。センター部材２１０は、断面略コの字状の円環形状とされており、たとえば所定の強度を有する樹脂により一体形成されている。
【０３１９】
支持板２２０は、ＬＥＤモジュール３００を支持するためのものであり、たとえば金属板にプレス加工を施すことにより形成されている。支持板２２０は、接続部２２１Ｆと、ＬＥＤ搭載領域２２２Ｆと、外縁部２２３Ｆとを有し、各々が円環形状とされている。接続部２２１Ｆは、センター部材２１０に接続される部分であり、図６９に示すように、センター部材２１０に対して天井８００が存在する図中上側（本バリエーション発明でいう第１方向設置側）に重合する状態にて、ビス止めなどの適宜手段によってセンター部材２１０の上端に固定されている。ＬＥＤ搭載領域２２２Ｆは、図６９および図７０から理解されるように、平面視において接続部２２１Ｆを囲っている。ＬＥＤ搭載領域２２２Ｆは、ＬＥＤモジュール３００を搭載する部分であり、接続部２２１Ｆよりも図６９における図中上側（設置側）に位置する。ＬＥＤ搭載領域２２２Ｆは、外径がたとえば２５０ｍｍ程度の円環形状である。ＬＥＤ搭載領域２２２Ｆは、天井８００とは反対側の図中下側（本バリエーション発明でいう第１方向照射側）を向く下面を有し、この下面は、図中上下方向に垂直な面に沿っている。
【０３２０】
図６９に示すように、ＬＥＤ搭載領域２２２Ｆと接続部２２１Ｆとの間には、段差２２４が設けられている。段差２２４は、ＬＥＤ搭載領域２２２Ｆ寄りの端部が接続部２２１Ｆ寄りの端部よりも図中上側（設置側）に位置しており、図中上下方向に垂直な面内において接続部２２１Ｆからその外側に遠ざかるほど図中上側（設置側）に位置するように傾斜している。
【０３２１】
外縁部２２３Ｆは、ＬＥＤ搭載領域２２２Ｆを囲っており、ＬＥＤ搭載領域２２２Ｆよりも図中下側（照射側）に位置する。ＬＥＤ搭載領域２２２Ｆと外縁部２２３Ｆとの間には、段差２２５が設けられている。段差２２５は、図中上下方向に垂直な面内においてＬＥＤ搭載領域２２２Ｆからその外側に遠ざかるほど図中下側（照射側）に位置するように傾斜している。段差２２５は、本バリエーション発明でいう追加の段差に相当する。
【０３２２】
上記構成の支持板２２０において、段差２２４、ＬＥＤ搭載領域２２２Ｆ、および段差２２５のそれぞれの下面（図６９における図中下側の面）には、白色塗装が施されており、光反射率の高い高反射率面とされている。また、ＬＥＤ搭載領域２２２Ｆ、段差２２５、および外縁部２２３Ｆの上面（支持板２２０の天井８００側の面：図６９における図中上側の面）は、たとえば塗装を施すことによって黒色またはそれに近似する暗灰色とされている。支持板２２０の天井８００側の面には、複数の緩衝材２７０が設けられている。
【０３２３】
押さえ部材２３０は、断面略Ｌ字状の円環形状とされており、たとえば金属板にプレス加工を施すことにより形成されている。押さえ部材２３０の外側の端部は、接続部２２１Ｆに重合する状態にて、ビス止めなどの適宜手段によって接続部２２１Ｆに固定されている。また、押さえ部材２３０の内側の端部は、センター部材２１０に重合する状態にて、ビス止めなどの適宜手段によってセンター部材２１０の下端に固定されている。
【０３２４】
上記説明から理解されるように、センター部材２１０、接続部２２１Ｆ、および押さえ部材２３０は、中空矩形断面を有する環状部を構成している。なお、センター部材２１０、接続部２２１Ｆ、および押さえ部材２３０は、本バリエーション発明でいう取付領域を担う。
【０３２５】
複数のＬＥＤモジュール３００は、ＬＥＤ基板２５０を介してＬＥＤ搭載領域２２２Ｆの下面に搭載されている。ＬＥＤ基板２５０は、たとえばガラスエポキシ樹脂からなる絶縁基板であり、部分円環形状である。ＬＥＤ基板２５０は、複数設けられており、それぞれに複数のＬＥＤモジュール３００が搭載されている。本実施形態においては、４つのＬＥＤ基板２５０が、互いの端部が対向するように配置されることにより、全体として円環形状をなしている。
【０３２６】
各ＬＥＤモジュール３００は、平面視長矩形状とされている。図７１は、ＬＥＤモジュール３００の短手方向に対して直角である平面における断面図を示している。同図に示すようにＬＥＤモジュール３００は、１対のリード３２０Ｆ、ＬＥＤチップ３１０Ｆ、封止樹脂３４０Ｆ、およびケース３３０Ｆを備えている。１対のリード３２０Ｆは、たとえばＣｕ合金からなり、その一方にＬＥＤチップ３１０Ｆが搭載されている。リード３２０ＦのうちＬＥＤチップ３１０Ｆが搭載された面と反対側の面は、ＬＥＤモジュール３００を面実装するために用いられる実装端子３２１Ｆとされている。ＬＥＤチップ３１０Ｆは、ＬＥＤモジュール３００の光源であり、たとえば青色光を発光可能とされている。封止樹脂３４０Ｆは、ＬＥＤチップ３１０Ｆを保護するためのものである。封止樹脂３４０Ｆは、ＬＥＤチップ３１０Ｆからの光によって励起されることにより黄色光を発する蛍光物質を含む透光樹脂を用いて形成されている。これにより、ＬＥＤモジュール３００は、発する光の色温度を適宜設定可能である。上記蛍光物質としては、黄色光を発するものに代えて、赤色光を発するものと緑色光を発するものとを混合して用いてもよい。ケース３３０Ｆはたとえば白色樹脂からなり、ＬＥＤチップ３１０Ｆから側方に発された光を上方に反射するためのものである。なお、ＬＥＤチップ３１０Ｆは、２つのワイヤによって１対のリード３２０Ｆに接続される、いわゆる２ワイヤタイプのものでもよい。
【０３２７】
複数のＬＥＤモジュール３００については、電球色を発するもの、昼白色を発するもの、あるいは、電球色と昼白色のいずれか一方をそれぞれ発するものによって構成することができる。本実施形態においては、複数のＬＥＤモジュール３００として電球色と昼白色のいずれか一方をそれぞれ発するものを採用する場合について説明する。複数のＬＥＤモジュール３００は、電球色を発する電球色ＬＥＤモジュール３０１と、昼白色を発する昼白色ＬＥＤモジュール３０２とに区別される。図７０においては、理解の便宜上、電球色ＬＥＤモジュール３０１が黒色で塗りつぶされている。
【０３２８】
本実施形態においては、ＬＥＤ搭載領域２２２Ｆに搭載された複数のＬＥＤモジュール３００は、平面視において７重の円環形状をなすように配置されている。円環形状をなす複数のＬＥＤモジュール３００については、電球色ＬＥＤモジュール３０１と昼白色ＬＥＤモジュール３０２とが交互に配置される。
【０３２９】
本実施形態では、図６９に示すように、カバー６００の内側には、支持ステー２６０が設けられている。支持ステー２６０は、センター部材２１０に対して、図中下側に配置されている。また、支持ステー２６０の図中下側には、円環状のＬＥＤ基板２６１が設けられており、このＬＥＤ基板２６１上に複数のＬＥＤモジュール３００が円環形状をなすように配置されている。これらのＬＥＤモジュール３００は、いずれも電球色モジュール３０１である。
【０３３０】
電源部４００は、天井８００の給電部８０１から供給されるたとえば交流１００Ｖ電力を、ＬＥＤチップ３１０Ｆを点灯させるのに適した電圧の直流電力に変換し、これを複数のＬＥＤモジュール３００に供給するためのものである。電源部４００は、たとえばトランス、コンデンサ、抵抗器、ダイオード、ＩＣなどを備える。また、電源部４００は、電球色ＬＥＤモジュール３０１と昼白色ＬＥＤモジュール３０２との輝度を独立して制御することが可能である。これにより、ＬＥＤ照明器具１０１Ｆは、電球色から昼白色の間の色温度の光を任意に照射可能である。また、電源部４００は、支持ステー２６０（ＬＥＤ基板２６１）に支持されたＬＥＤモジュール３００のみをその他のＬＥＤモジュール３００とは別に点灯および消灯させることが可能である。本実施形態においては、図６９に示すように、電源部４００は、センター部材２１０、接続部２２１Ｆ、および押さえ部材２３０によって構成された中空状環状部の内部空間に収容されている。
【０３３１】
受信部５００は、図外の送信部から送信された信号を受信するためのものであり、本実施形態においては、ＬＥＤ基板２６１に搭載されている。受信部５００が受信した信号は、電源部４００に送られる。電源部４００は、この信号の指令に基づいて複数のＬＥＤモジュール３００の点灯状態を制御する。
【０３３２】
カバー６００は、ＬＥＤ照明器具１０１Ｆの外観の大半を構成するものであり、主照射部６１０、傾斜部６２０、外枠部６３０、および中央部６４０を有する。主照射部６１０は、たとえば乳白色の半透明の樹脂からなり、ＬＥＤチップ３１０Ｆ（ＬＥＤモジュール３００）から発せられて外部に照射される光の大半が透過する部分である。主照射部６１０は、ＬＥＤ搭載領域２２２Ｆに対応する円環形状とされており、ＬＥＤ搭載領域２２２Ｆを覆っている。図６９に示すように、主照射部６１０は、中央に向かうほど図中下方に位置するように僅かに傾斜している。
【０３３３】
傾斜部６２０は、主照射部６１０の外周につながることによりこの主照射部６１０を外側から囲んでいる。傾斜部６２０は、中央から遠ざかるほど図中上方（設置側）に位置するように傾斜している。また、図６６および図６９から理解されるように、傾斜部６２０は、平面視（第１方向視）においてＬＥＤ搭載領域２２２Ｆに対して外側に位置している。
【０３３４】
外枠部６３０は、傾斜部６２０を外側から囲んでおり、円環形状とされている。外枠部６３０は、たとえば透明の樹脂または乳白色の半透明の樹脂からなり、支持板２２０の外縁部２２３Ｆに重合する状態にて、この外縁部２２３Ｆに固定されている。中央部６４０は、たとえば乳白色の半透明の樹脂からなり、主照射部６１０の内側に配置されている。中央部６４０は、支持ステー２６０を覆っている。
【０３３５】
次に、ＬＥＤ照明器具１０１Ｆの作用について説明する。
【０３３６】
本実施形態によれば、図６９を参照して上述したように、ＬＥＤ搭載領域２２２Ｆと接続部２２１Ｆ（取付領域）との間には段差２２４が設けられており、この段差２２４は、ＬＥＤ搭載領域２２２Ｆ寄りの端部が接続部２２１Ｆ寄りの端部よりも図中上側（設置側）に位置している。これにより、ＬＥＤ搭載領域２２２Ｆが照射側とは反対側の天井８００側（設置側）に後退しており、ＬＥＤ搭載領域２２２Ｆに搭載されたＬＥＤチップ３１０Ｆ（ＬＥＤモジュール３００）からカバー６００（主照射部６１０）に至るまでの光路長として比較的長い距離を確保することができる。ＬＥＤチップ３１０Ｆ（ＬＥＤモジュール３００）から発せられる光は指向性が強いところ、カバー６００に至るまでの光路長が長いことにより、カバー６００から外部への照射される光については輝度ムラが低減される。したがって、ＬＥＤ照明器具１０１Ｆによれば、スマートな外観としつつより均一に屋内を照らすことができる。
【０３３７】
段差２２４，２２５は傾斜しており、これら段差２２４，２２５の下面は、高反射率面とされている。このため、ＬＥＤチップ３１０Ｆ（ＬＥＤモジュール３００）から発せられた光を効率よく照射側に向かわせることができる。このことは、照度を高めつつＬＥＤ照明器具１０１Ｆによって均一に照らすのに適している。
【０３３８】
カバー６００は、主照射部６１０の外側において外周に向かうほど天井８００側に位置する傾斜部６２０を有する。このような傾斜部６２０を備えることにより、ＬＥＤ照明器具１０１Ｆの外観をよりスマートなものとすることができる。また、傾斜部６２０を囲む外枠部６３０と支持板２２０の外縁部２２３Ｆとが重なることにより、ＬＥＤ照明器具１０１Ｆにおける薄状の外周を構成している。天井８００への取り付け前や天井８００に対して取り付け・取り外しを行う場合などにおいて、ＬＥＤ照明器具１０１Ｆを持つ際には、ＬＥＤ照明器具１０１Ｆの外周を掴むところ、外周が薄状であるので、ＬＥＤ照明器具１０１Ｆは、手で持ち運びやすく、また、スマートな印象を与えうるものとなっている。
【０３３９】
ＬＥＤ搭載領域２２２Ｆ、段差２２５、および外縁部２２３Ｆにおける天井側の面（設置側の面）は、黒色またはそれに近似する暗灰色（いわゆる収縮色）とされている。このため、ＬＥＤ照明器具１０１Ｆは、天井８００に取り付けられていない状態においても、スマートな印象を与えうるものとなっている。
【０３４０】
センター部材２１０、接続部２２１Ｆ、および押さえ部材２３０を備えて構成される取付領域は、支持板２２０やカバー６００などのＬＥＤ照明器具１０１Ｆの大部分の重量を支えており、大きな荷重が作用する。本実施形態では、これらセンター部材２１０、接続部２２１Ｆ、および押さえ部材２３０によって中空矩形断面を有する環状部が構成されている。このように取付領域が中空矩形断面の環状部を備える構成は、取付領域の剛性が高められ、強度面において有利である。
【０３４１】
また、支持板２２０に傾斜状の段差２２４を設けることにより、加工硬化による強度の向上を図ることができる。
【０３４２】
電球色ＬＥＤモジュール３０１と昼白色ＬＥＤモジュール３０２とを備えることにより、ＬＥＤ照明器具１０１Ｆから照射される光を、電球色から昼光色まで任意の色温度とすることができる。受信部５００を備えることにより、色温度の調整や点灯および消灯をＬＥＤ照明器具１０１Ｆから離れた場所から適切に行うことができる。電源部４００を、センター部材２１０、接続部２２１Ｆ、および押さえ部材２３０によって構成された中空状環状部の内部空間に配置することにより、ＬＥＤ照明器具１０１Ｆに無駄なスペースが生じることを回避することができる。
【０３４３】
図７２〜図７６は、本バリエーション発明の他の実施形態を示している。なお、これらの図において、上記実施形態と同一または類似の要素には、上記実施形態と同一の符号を付している。
【０３４４】
（２Ｆ実施形態）
図７２〜図７４は、本バリエーション発明の２Ｆ実施形態に基づくＬＥＤ照明器具１０２Ｆを示している。本実施形態のＬＥＤ照明器具１０２Ｆは、主にＬＥＤ搭載領域２２２Ｆの構成が上記実施形態と異なっている。
【０３４５】
図７２および図７３に示すように、本実施形態においては、ＬＥＤ搭載領域２２２Ｆは、図中下側（照射側）に凸状の複数の山形部２２２ａを備えている。各山形部２２２ａは、図中上下方向に垂直な面２２０ａ（第１面）に対して傾斜する２つの面２２２ｂ，２２２ｃ（第２面および第３面）を有する。図７３に示すように、面２２２ｂと面２２２ｃとは、ＬＥＤ搭載領域２２２Ｆの周方向において隣接している。また、図７４に示すように、面２２０ａに対する面２２２ｂの傾斜角度αは、面２２０ａに対する面２２２ｃの傾斜角度βよりも小とされており、比較的緩やかな傾斜面とされている。面２２２ｂの傾斜角度αは、たとえば５°〜２０°の範囲とされる。
【０３４６】
図７３に示すように、本実施形態においては、複数の山形部２２２ａは、ＬＥＤ搭載領域２２２Ｆの周方向に沿って並んでおり、平面視において４重の円環形状をなすように形成される。上記構成の複数の山形部２２２ａは、たとえばプレス加工を施すことにより形成される。
【０３４７】
本実施形態では、ＬＥＤモジュール３００は、フレキシブル基板２９０を介してＬＥＤ搭載領域２２２Ｆに搭載されている。より具体的には、フレキシブル基板２９０は、樹脂層と配線パターン（図示略）を構成する金属層とからなり、ＬＥＤ搭載領域２２２Ｆの周方向に並ぶ山形部２２２ａの面２２２ｂ，２２２ｃを覆うように円環状とされている。複数のＬＥＤモジュール３００は、フレキシブル基板２９０に実装されており、これらＬＥＤモジュール３００は、いずれも面２２２ｂに搭載されている。各面２２２ｂには、電球色ＬＥＤモジュール３０１および昼白色ＬＥＤモジュール３０２がＬＥＤ搭載領域２２２Ｆの周方向に並んで配置されている。これにより、フレキシブル基板２９０に実装された複数のＬＥＤモジュール３００は、ＬＥＤ搭載領域２２２Ｆの周方向において電球色ＬＥＤモジュール３０１および昼白色ＬＥＤモジュール３０２が交互に配置されている。なお、フレキシブル基板２９０については、たとえば白色レジストが施された高反射率のものが好適に用いられる。
【０３４８】
本実施形態のＬＥＤ照明器具１０２Ｆにおいては、ＬＥＤ搭載領域２２２Ｆと接続部２２１Ｆ（取付領域）との間には段差２２４が設けられており、この段差２２４によって、ＬＥＤ搭載領域２２２Ｆは、照射側とは反対側の天井８００側（設置側）に後退している。これにより、ＬＥＤ搭載領域２２２Ｆに搭載されたＬＥＤチップ３１０Ｆ（ＬＥＤモジュール３００）からカバー６００（主照射部６１０）までの光路長として比較的長い距離を確保することができ、カバー６００から外部への照射される光については輝度ムラが低減される。したがって、ＬＥＤ照明器具１０２Ｆによれば、スマートな外観としつつより均一に屋内を照らすことができる。
【０３４９】
複数のＬＥＤモジュール３００は、上下方向に垂直な面２２０ａ（図７４参照）に対して傾斜する面２２２ｂに搭載されている。このような構成によれば、ＬＥＤモジュール３００からカバー６００までの光路長についてより長い距離を確保することが可能となる。このことは、輝度ムラを低減して均一に照らすのに適している。
【０３５０】
ＬＥＤモジュール３００が搭載される面２２２ｂは、緩やかに傾斜しており、各面２２２ｂにおいて、複数（本実施形態では２個）のＬＥＤモジュール３００が搭載されている。このような構成によれば、ＬＥＤモジュール３００を面２２２ｂ上に効率よく配置することができる。また、各山形部２２２ａをなす面２２２ｂ，２２２ｃがＬＥＤ搭載領域２２２Ｆの周方向において隣接しており、この山形部２２２ａが上記周方向に沿って複数並ぶように配置されている。このような構成によれば、複数のＬＥＤモジュール３００は、円環状のフレキシブル基板２９０を用いて面２２２ｂ上に適切に搭載することができる。なお、フレキシブル基板２９０が白色とされているため、ＬＥＤチップ３１０Ｆ（ＬＥＤモジュール３００）からの光のフレキシブル基板２９０における反射によって、ＬＥＤ照明器具１０２Ｆによる照明光の照度を高めることが期待できる。
【０３５１】
各面２２２ｂには、電球色ＬＥＤモジュール３０１および昼白色ＬＥＤモジュール３０２が搭載されており、この対をなす電球色ＬＥＤモジュール３０１および昼白色ＬＥＤモジュール３０２は、近接して配置されている。たとえば電球色のみの照明に調整する場合、昼白色ＬＥＤモジュール３０２はすべて消灯することになる。ここで、対をなす電球色ＬＥＤモジュール３０１および昼白色ＬＥＤモジュール３０２が近接していることにより、電球色ＬＥＤモジュール３０１のみを点灯する場合とすべてのＬＥＤモジュール３００を点灯する場合とで、発光点としてのＬＥＤモジュール３００の分散度合いの変化が小さい。このようなことから理解されるように、上記構成によれば、色温度の調整にともなって輝度ムラが生じることを抑制することができる。
【０３５２】
（３Ｆ実施形態）
図７５および図７６は、本バリエーション発明の３Ｆ実施形態に基づくＬＥＤ照明器具１０３Ｆを示している。本実施形態のＬＥＤ照明器具１０３Ｆは、主にＬＥＤ搭載領域２２２Ｆの構成が上記実施形態と異なっている。
【０３５３】
本実施形態においては、接続部２２１ＦとＬＥＤ搭載領域２２２Ｆとの間に段差が形成されておらず、ＬＥＤ搭載領域２２２Ｆは、接続部２２１Ｆの外周に面一状につながっている。
【０３５４】
本実施形態では、ＬＥＤ搭載領域２２２Ｆは、図中上側（設置側）に凸状の複数の山形部２２２ｄを備えている。各山形部２２２ｄは、図中上下方向に垂直な面２２０ａに対して傾斜する２つの面２２２ｅ，２２２ｆを有する。本実施形態では、山形部２２２ｄの突出する方向が上記したＬＥＤ照明器具１０２Ｆの山形部２２２ａとは反対であるが、面２２２ｅおよび面２２２ｆは、ＬＥＤ照明器具１０２Ｆにおける面２２２ｂおよび面２２２ｃに対応する傾斜面とされている。図示説明は省略するが、面２２２ｅと面２２２ｆとは、ＬＥＤ搭載領域２２２Ｆの周方向において隣接している。また、図７６に示すように、面２２０ａに対する面２２２ｅの傾斜角度αは、面２２０ａに対する面２２２ｆの傾斜角度βよりも小とされており、比較的緩やかな傾斜面とされている。複数の山形部２２２ｄは、ＬＥＤ搭載領域２２２Ｆの周方向に沿って並んでおり、４重の円環形状をなすように形成される。複数のＬＥＤモジュール３００は、フレキシブル基板２９０を介して面２２２ｅに搭載されている。
【０３５５】
本実施形態のＬＥＤ照明器具１０３Ｆにおいて、複数のＬＥＤモジュール３００は、上下方向に垂直な面２２０ａ（図７６参照）に対して傾斜する面２２２ｅに搭載されている。このような構成によれば、ＬＥＤモジュール３００からカバー６００までの光路長についてより長い距離を確保することが可能となる。このことは、輝度ムラを低減して均一に照らすのに適している。
【０３５６】
ＬＥＤモジュール３００が搭載される面２２２ｅに隣接する面２２２ｆについては、この面２２２ｆの傾斜角度βが面２２２ｅの傾斜角度αよりも大とされている。このため、面２２２ｆ（より詳細には、面２２２ｆ上に位置するフレキシブル基板２９０）は、反射面として機能しうる。このことは、照度を高めつつＬＥＤ照明器具１０３Ｆによって均一に照らすのに適している。
【０３５７】
本バリエーション発明に係るＬＥＤ照明器具は、上述した実施形態に限定されるものではない。本バリエーション発明に係るＬＥＤ照明器具の各部の具体的な構成は、種々に設計変更自在である。
【０３５８】
本バリエーション発明のまとめとして、以下に付記として列挙する。
（付記１）
第１方向における一方側である照射側を向く環状のＬＥＤ搭載領域、および、上記第１方向に対して直角でありかつ互いに直角である第２および第３方向において上記ＬＥＤ搭載領域に囲まれ、給電部に取り付けられる取付領域、を有する支持部と、
上記ＬＥＤ搭載領域に搭載された複数のＬＥＤチップと、
上記ＬＥＤ搭載領域に対して上記第１方向照射側に位置し、上記ＬＥＤチップからの光を透過するカバーと、を備え、  上記ＬＥＤ搭載領域と上記取付領域の間には、上記ＬＥＤ搭載領域寄りの端部が上記取付領域寄りの端部よりも上記第１方向他方側である設置側に位置する段差が設けられていることを特徴とする、ＬＥＤ照明器具。
（付記２）
上記段差は、上記第２および第３方向において上記取付領域から遠ざかるほど上記第１方向設置側に位置するように傾斜している、付記１に記載のＬＥＤ照明器具。
（付記３）
上記段差における上記第１方向照射側の面は、光反射率の高い高反射率面とされている、付記１または２に記載のＬＥＤ照明器具。
（付記４）
上記支持部は、上記第２および第３方向において上記ＬＥＤ搭載領域を囲み、かつ上記ＬＥＤ搭載領域よりも上記第１方向照射側に位置する環状の外縁部、およびこの外縁部と上記ＬＥＤ搭載領域との間に位置する追加の段差、を有する、付記１ないし３のいずれかに記載のＬＥＤ照明器具。
（付記５）
上記追加の段差は、上記第２および第３方向において中央から遠ざかるほど上記第１方向照射側に位置するように傾斜している、付記４に記載のＬＥＤ照明器具。
（付記６）
上記ＬＥＤ搭載領域および上記追加の段差における上記第１方向設置側の面は、黒色またはそれに近似する暗灰色とされている、付記４または５に記載のＬＥＤ照明器具。
（付記７）
上記カバーは、上記第１方向視において上記支持部の上記外縁部と重なる環状の外枠部と、この外枠部に囲まれ、上記第２および第３方向において中央から遠ざかるほど上記第１方向設置側に位置する傾斜部と、を有する、付記４ないし６のいずれかに記載のＬＥＤ照明器具。
（付記８）
上記傾斜部は、上記第１方向視において上記ＬＥＤ搭載領域に対して外側に位置する、付記７に記載のＬＥＤ照明器具。
（付記９）
上記取付領域は、中空矩形断面を有する環状部を備えて構成される、付記１ないし８のいずれかに記載のＬＥＤ照明器具。
（付記１０）
上記ＬＥＤ搭載領域は、上記第２および第３方向に沿う第１面に対して傾斜する第２面を有し、
上記複数のＬＥＤチップは、上記第２面に搭載されている、付記１ないし９のいずれかに記載のＬＥＤ照明器具。
（付記１１）
上記ＬＥＤ搭載領域は、各々が上記第２面とこの第２面に隣接する第３面とを有し、上記第１方向照射側または上記第１方向設置側のいずれかに凸である、複数の山形部を備える、付記１０に記載のＬＥＤ照明器具。
（付記１２）
上記複数の山形部のすべてが上記第１方向照射側に凸である、付記１１に記載のＬＥＤ照明器具。
（付記１３）
上記第１面に対する上記第３面の傾斜角度は、上記第１面に対する上記第２面の傾斜角度よりも大である、付記１１または１２に記載のＬＥＤ照明器具。
（付記１４）
上記ＬＥＤ搭載領域は、上記第１方向視において円環形状である、付記１１ないし１３のいずれかに記載のＬＥＤ照明器具。
（付記１５）  上記第２面と上記第３面とは、上記ＬＥＤ搭載領域の周方向において隣接する、付記１４に記載のＬＥＤ照明器具。
（付記１６）
上記各第２面には、複数の上記ＬＥＤチップが搭載されている、付記１４または１５に記載のＬＥＤ照明器具。
（付記１７）
各々が上記ＬＥＤチップと、上記ＬＥＤチップを覆うとともに上記ＬＥＤチップからの光によって励起されることにより上記ＬＥＤチップからの光とは異なる波長の光を発する蛍光材料が混入された封止樹脂と、を有する複数のＬＥＤモジュールを備える、付記１４ないし１６のいずれかに記載のＬＥＤ照明器具。
（付記１８）
上記複数のＬＥＤモジュールは、発する光の色温度が互いに異なる第１および第２色ＬＥＤモジュールを含む、付記１７に記載のＬＥＤ照明器具。
（付記１９）
上記第１色ＬＥＤモジュールが発する光は、電球色であり、上記第２色ＬＥＤモジュールが発する光は、昼白色である、付記１８に記載のＬＥＤ照明器具。
（付記２０）
上記第２面に搭載された複数の上記ＬＥＤモジュールは、上記第１および第２色ＬＥＤモジュールを含んでおり、かつ上記ＬＥＤ搭載領域の周方向において上記第１および第２色ＬＥＤモジュールが交互に配置される、付記１８または１９に記載のＬＥＤ照明器具。（付記２１）
上記第１面に対する上記第２面の傾斜角度は、５°〜２０°の範囲である、付記１０ないし２０のいずれかに記載のＬＥＤ照明器具。
【０３５９】
（１Ｇ実施形態）
図７８〜図８５は、本発明のバリエーションにかかる発明に係るＬＥＤ照明器具の一例を示している。本実施形態のＬＥＤ照明器具１０１Ｇは、支持部２００Ｇ、複数のＬＥＤモジュール３００、電源部４００、受信部５００、およびカバー６００を備えている。ＬＥＤ照明器具１０１Ｇは、たとえば天井８００の給電部８０１に対して設置部品８０２を介して取り付けられることにより、いわゆるシーリングライトとして用いられることが意図されている。なお、図８２においては、理解の便宜上カバー６００のほとんどを省略している。
【０３６０】
支持部２００Ｇは、ＬＥＤ照明器具１０１の土台をなす部分であり、図８０〜図８２に示すように、センター部材２１０と、支持板２２０と、内側隔壁部材２３０Ｇと、外側隔壁部材２４０Ｇを備えている。センター部材２１０は、断面略コの字状の円環形状とされており、たとえば所定の強度を有する樹脂により一体形成されている。
【０３６１】
支持板２２０は、ＬＥＤモジュール３００を支持するためのものであり、たとえば金属板にプレス加工を施すことにより形成されている。支持板２２０は、接続部２２１Ｇと、ＬＥＤ搭載領域２２２Ｇと、外縁部２２３Ｇとを有し、各々が円環形状とされている。接続部２２１Ｇは、センター部材２１０に接続される部分であり、図８１に示すように、センター部材２１０に対して天井８００が存在する図中上側（本バリエーション発明でいう第１方向設置側）に重合する状態にて、ビス止めなどの適宜手段によってセンター部材２１０の上端に固定されている。ＬＥＤ搭載領域２２２Ｇは、図８１および図８２から理解されるように、平面視において接続部２２１Ｇを囲っている。ＬＥＤ搭載領域２２２Ｇは、ＬＥＤモジュール３００を搭載する部分であり、接続部２２１Ｇよりも図８１における図中上側（設置側）に位置する。ＬＥＤ搭載領域２２２Ｇは、天井８００とは反対側の図中下側（本バリエーション発明でいう第１方向照射側）を向く支持面２２２ｄを有し、この支持面２２２ａは、図中上下方向に垂直な面に沿っている。図８１に示すように、ＬＥＤ搭載領域２２２Ｇと接続部２２１Ｇとの間には、段差２２４が設けられている。
【０３６２】
外縁部２２３Ｇは、ＬＥＤ搭載領域２２２Ｇを囲っており、ＬＥＤ搭載領域２２２Ｇよりも図中下側（照射側）に位置する。ＬＥＤ搭載領域２２２Ｇと外縁部２２３Ｇとの間には、段差２２５が設けられている。
【０３６３】
上記構成の支持板２２０において、段差２２４、ＬＥＤ搭載領域２２２Ｇ、および段差２２５のそれぞれの下面（図８１における図中下側の面）には、白色塗装が施されており、光反射率の高い高反射率面とされている。支持板２２０の天井８００側の面には、複数の緩衝材２７０が設けられている。
【０３６４】
ＬＥＤ搭載領域２２２Ｇの支持面２２２ａには、複数のＬＥＤ基板２５０が支持されており、各ＬＥＤ基板２５０に複数のＬＥＤモジュール３００が搭載されている。ＬＥＤ基板２５０は、たとえばガラスエポキシ樹脂からなる絶縁基板であり、部分円環形状である。図８２に示すように、本実施形態においては、６つのＬＥＤ基板２５０が、互いの端部が対向するように配置されることにより、全体として円環形状をなしている。
【０３６５】
ＬＥＤ基板２５０の径方向内方寄りには、コネクタ２５１，２５２，２５３，２５４が設けられている。コネクタ２５１〜２５４は、隣接するＬＥＤ基板２５０の互いの端部寄りにおいて複数の対をなして設けられている。隣り合うＬＥＤ基板２５０の一方にはコネクタ２５１，２５２が設けられ、他方にはコネクタ２５３，２５４が設けられている。本実施形態では、コネクタ２５１，２５４からなる対（第１対）と、コネクタ２５２，２５３からなる対（第２対）とを備える。コネクタ２５２，２５３の各々は、コネクタ２５１，２５４からなる対に対してＬＥＤ基板２５０の周方向における外側に配置されている。
【０３６６】
図８２、図８３に示すように、コネクタ２５１〜２５４のそれぞれには、ＬＥＤ基板２５０の面内方向に沿って配線２５５，２５６の接続用端部２５５ａ，２５６ａが接続される。本実施形態では、配線２５５，２５６の接続用端部２５５ａ，２５６ａは、オス側端子とされており、この接続用端部２５５ａ，２５６ａがコネクタ２５１〜２５４の円筒状のメス側端子に挿入される。接続用端部２５５ａ，２５６ａは、たとえば丸棒状とされており、配線２５５，２５６の導通部を挟み込んだ状態でコネクタ２５１〜２５４に挿入されている。このような構成により、接続用端部２５５ａ，２５６ａ（配線２５５，２５６）は、コネクタ２５１〜２５４への接続時には、コネクタ２５１〜２５４に対して回転しうる状態にある。対をなすコネクタ２５１，２５４に対して配線２５５の一方および他方の接続用端部２５５ａが接続されることにより、配線２５５を介して隣接するＬＥＤ基板２５０が電気的に接続される。これと同様に、対をなすコネクタ２５２，２５３に対して配線２５６の一方および他方の接続用端部２５６ａが接続されることにより、配線２５６を介して隣接するＬＥＤ基板２５０が電気的に接続される。また、上述したように、コネクタ２５２，２５３は、コネクタ２５１，２５４に対して、ＬＥＤ基板２５０の周方向ｎ１における外側に配置されている。これらコネクタ２５１〜２５４の配置に対応して、コネクタ２５２，２５３に接続される配線２５６の長さは、コネクタ２５１，２５４に接続される配線２５５の長さより長くされており、配線２５５と配線２５６とは、その長さについて明瞭な長短の差がつけられている。なお、図８２においては、隣接するＬＥＤ基板２５０の組のうちの一部について配線２５５，２５６が接続された状態を示し、他の隣接するＬＥＤ基板２５０の組についての配線の記載は省略している。
【０３６７】
図８３によく表れているように、コネクタ２５１〜２５４に対して接続用端部２５５ａ，２５６ａを接続する接続方向ｄ１〜ｄ４は、ＬＥＤ基板２５０の周方向ｎ１に対して交差している。本実施形態では、接続方向ｄ１〜ｄ４は、ＬＥＤ基板２５０の径方向に沿っており、各々が上記径方向の内方側から外側へ向かっている。
【０３６８】
本実施形態では、ＬＥＤ基板２５０の外周には切欠き２５７が形成されている。切欠き２５７は、ＬＥＤ基板２５０の径方向内方寄りで、かつ周方向の端部に位置する。一方、支持板２２０の支持面２２２ａには、位置決め部２２６が設けられている。位置決め部２２６は、たとえばシルク印刷によって形成されており、支持面２２２ａの白色塗装よりも少し濃い色とされている。位置決め部２２６は、支持面２２２ａ上にＬＥＤ基板２５０を配置した際に切欠き２５７に対応する位置に配されている。切欠き２５７および位置決め部２２６は、本バリエーション発明でいう位置決め手段を担う。
【０３６９】
図８１から理解されるように、内側および外側隔壁部材２３０Ｇ，２４０Ｇは、断面略Ｌ字状の円環形状とされており、たとえば金属板にプレス加工を施すことにより形成されている。内側および外側隔壁部材２３０Ｇ，２４０Ｇは、図中上下方向に沿う隔壁２３１Ｇ，２４１Ｇを有しており、隔壁２３１Ｇ，２４１Ｇは、ＬＥＤ基板２５０の径方向において離間している。
【０３７０】
図８１および図８４に示すように、隔壁２３１Ｇ，２４１Ｇには、ＬＥＤ基板２５０の径方向に貫通する複数ずつの貫通孔２３２Ｇ，２４２Ｇが形成されている。図８４に示すように、隔壁２３１Ｇに形成された複数の貫通孔２３２Ｇは、ＬＥＤ基板２５０の周方向に沿うように上下２段に配列されており、図中下側（照射側）に位置する複数の貫通孔２３２ａと、図中上側（設置側）に位置する複数の貫通孔２３２ｂとを有する。また、隔壁２４１Ｇに形成された複数の貫通孔２４２Ｇは、ＬＥＤ基板２５０の周方向に沿うように上下２段に配列されており、図中下側（照射側）に位置する複数の貫通孔２４２ａと、図中上側（設置側）に位置する複数の貫通孔２４２ｂとを有する。隔壁２３１Ｇに形成された複数の貫通孔２３２Ｇ（２３２ａ，２３２ｂ）と、隔壁２４１Ｇに形成された複数の貫通孔２４２Ｇ（２４２ａ，２４２ｂ）とは、ＬＥＤ基板２５０の径方向視において互いに重ならない位置に配されている。なお、隔壁２３１Ｇ，２４１Ｇのうち複数の貫通孔２３２Ｇ，２４２Ｇの占める面積比率は、それぞれ３０％以下である。このような面積比率としておくことにより、内側および外側隔壁部材２３０Ｇ，２４０Ｇの強度低下を抑制することができる。
【０３７１】
内側および外側隔壁部材２３０Ｇ，２４０Ｇの上端部は、接続部２２１Ｇに重合する状態にて、ビス止めなどの適宜手段によって接続部２２１Ｇに固定されている。また、内側隔壁部材２３０Ｇの下端部は、外側隔壁部材２４０Ｇの下端部に固定され、外側隔壁部材２４０Ｇの下端部は、センター部材２１０に重合する状態にて、ビス止めなどの適宜手段によってセンター部材２１０の下端に固定されている。
【０３７２】
図８１から理解されるように、センター部材２１０、接続部２２１Ｇ、および隔壁部材２３０Ｇ，２４０Ｇは、中空矩形断面を有する中空状環状部を構成している。詳細は後述するが、上記中空状環状部には、電源部４００および吸着剤７００が配置されている。ＬＥＤ基板２５０が配置されたＬＥＤ収容空間２０１（ＬＥＤ収容部）と、電源部４００が収容された電源収容空間２０２（電源収容部）とは、隔壁２３１Ｇ，２４１Ｇによって区画されている。その一方、ＬＥＤ収容空間２０１と電源収容空間２０２とは、隔壁２３１Ｇ，２４１Ｇに形成された貫通孔２３２Ｇ，２４２Ｇを介して連通している。
【０３７３】
各ＬＥＤモジュール３００は、平面視長矩形状とされている。図８５は、ＬＥＤモジュール３００の短手方向に対して直角である平面における断面図を示している。同図に示すようにＬＥＤモジュール３００は、１対のリード３２０Ｇ、ＬＥＤチップ３１０Ｇ、封止樹脂３４０Ｇ、およびケース３３０Ｇを備えている。１対のリード３２０Ｇは、たとえばＣｕ合金からなり、その一方にＬＥＤチップ３１０Ｇが搭載されている。リード３２０ＧのうちＬＥＤチップ３１０Ｇが搭載された面と反対側の面は、ＬＥＤモジュール３００を面実装するために用いられる実装端子３２１Ｇとされている。ＬＥＤチップ３１０Ｇは、ＬＥＤモジュール３００の光源であり、たとえば青色光を発光可能とされている。封止樹脂３４０Ｇは、ＬＥＤチップ３１０Ｇを保護するためのものである。封止樹脂３４０Ｇは、ＬＥＤチップ３１０Ｇからの光によって励起されることにより黄色光を発する蛍光物質を含む透光樹脂を用いて形成されている。これにより、ＬＥＤモジュール３００は、発する光の色温度を適宜設定可能である。上記蛍光物質としては、黄色光を発するものに代えて、赤色光を発するものと緑色光を発するものとを混合して用いてもよい。ケース３３０Ｇはたとえば白色樹脂からなり、ＬＥＤチップ３１０Ｇから側方に発された光を上方に反射するためのものである。なお、ＬＥＤチップ３１０Ｇは、２つのワイヤによって１対のリード３２０Ｇに接続される、いわゆる２ワイヤタイプのものでもよい。
【０３７４】
複数のＬＥＤモジュール３００については、電球色を発するもの、昼白色を発するもの、あるいは、電球色と昼白色のいずれか一方をそれぞれ発するものによって構成することができる。本実施形態においては、複数のＬＥＤモジュール３００として電球色と昼白色のいずれか一方をそれぞれ発するものを採用する場合について説明する。複数のＬＥＤモジュール３００は、電球色を発する電球色ＬＥＤモジュール３０１と、昼白色を発する昼白色ＬＥＤモジュール３０２とに区別される。図８２においては、理解の便宜上、電球色ＬＥＤモジュール３０１が黒色で塗りつぶされている。
【０３７５】
本実施形態においては、ＬＥＤ搭載領域２２２Ｇに搭載された複数のＬＥＤモジュール３００は、平面視において７重の円環形状をなすように配置されている。円環形状をなす複数のＬＥＤモジュール３００については、電球色を発する電球色ＬＥＤモジュール３０１と昼白色を発する昼白色ＬＥＤモジュール３０２とが交互に配置される。
【０３７６】
本実施形態では、図８１に示すように、カバー６００の内側には、支持ステー２６０が設けられている。支持ステー２６０は、センター部材２１０に対して、図中下側に配置されている。また、支持ステー２６０の図中下側には、円形の基板２６１が設けられており、この基板２６１上に複数のＬＥＤモジュール３００が円環形状をなすように配置されている。これらのＬＥＤモジュール３００は、いずれも電球色ＬＥＤモジュール３０１である。
【０３７７】
電源部４００は、天井８００の給電部８０１から供給されるたとえば交流１００Ｖ電力を、ＬＥＤチップ３１０Ｇを点灯させるのに適した電圧の直流電力に変換し、これを複数のＬＥＤモジュール３００に供給するためのものである。電源部４００は、たとえばトランス、コンデンサ、抵抗器、ダイオード、ＩＣなどを備える。また、電源部４００は、電球色ＬＥＤモジュール３０１と昼白色ＬＥＤモジュール３０２との輝度を独立して制御することが可能である。これにより、ＬＥＤ照明器具１０１Ｇは、電球色から昼白色の間の色温度の光を任意に照射可能である。また、電源部４００は、支持ステー２６０（基板２６１）に支持されたＬＥＤモジュール３００のみをその他のＬＥＤモジュール３００とは別に点灯および消灯させることが可能である。本実施形態においては、図８１に示すように、電源部４００は、センター部材２１０、接続部２２１Ｇ、および隔壁部材２３０Ｇ，２４０Ｇによって構成された中空状環状部の内部の電源収容空間２０２に収容されている。
【０３７８】
受信部５００は、図外の送信部から送信された信号を受信するためのものであり、本実施形態においては、基板２６１に搭載されている。受信部５００が受信した信号は、電源部４００に送られる。電源部４００は、この信号の指令に基づいて複数のＬＥＤモジュール３００の点灯状態を制御する。
【０３７９】
カバー６００は、ＬＥＤ照明器具１０１の外観の大半を構成するものであり、主照射部６１０、外枠部６２０、および中央部６４０を有する。主照射部６１０は、たとえば乳白色の半透明の樹脂からなり、ＬＥＤチップ３１０Ｇ（ＬＥＤモジュール３００）から発せられて外部に照射される光の大半が透過する部分である。主照射部６１０は、ＬＥＤ搭載領域２２２Ｇに対応する円環形状とされており、ＬＥＤ搭載領域２２２Ｇを覆っている。図８１に示すように、主照射部６１０は、中央に向かうほど図中下方に位置するように僅かに傾斜している。
【０３８０】
外枠部６２０は、主照射部６１０を外側から囲んでおり、円環形状とされている。外枠部６２０は、たとえば透明の樹脂または乳白色の半透明の樹脂からなり、支持板２２０の外縁部２２３Ｇに重合する状態にて、この外縁部２２３Ｇに固定されている。外枠部６２０（カバー６００）の外径寸法は、たとえば６００ｍｍ程度とされる。中央部６４０は、たとえば乳白色の半透明の樹脂からなり、主照射部６１０の内側に配置されている。中央部６４０は、支持ステー２６０を覆っている。
【０３８１】
図８１に示すように、電源収容空間２０２内に収容された吸着剤７００は、たとえば、中空容器７１０の内部に充填されており、中空容器７１０には通気孔（図示略）が形成されている。吸着剤７００としては、臭素化合物の吸着性能に優れた多孔質材料が好適に用いられ、たとえば、そのような材料としてゼオライトや木炭粉を挙げることができる。吸着剤７００は、ゼオライトまたは木炭粉の何れか一方あるいは両方を含んで構成される。
【０３８２】
次に、ＬＥＤ照明器具１０１Ｇの作用について説明する。
【０３８３】
本実施形態によれば、図８３を参照して上述したように、コネクタ２５１，２５４およびコネクタ２５２，２５３に対して配線２５５，２５６の接続用端部２５５ａ，２５６ａが接続される接続方向ｄ１，ｄ４および接続方向ｄ２，ｄ３は、ＬＥＤ基板２５０の径方向に沿っている。このため、コネクタ２５１，２５４およびコネクタ２５２，２５３のメス側端子（接続部分）は、それぞれ対面することなく並んでおり、コネクタ２５１，２５４と配線２５５との間、あるいはコネクタ２５２，２５３と配線２５６との間に回転モーメントが作用する場合であっても、配線２５５，２５６が不当に回転することが防止される。これにより、配線２５５，２５６の湾曲部分の意図しない方向への移動によってＬＥＤチップ３１０Ｇ（ＬＥＤモジュール３００）からの光の進行が妨げられるといった事態を回避することができる。したがって、ＬＥＤ照明器具１０１Ｇによれば、より均一に屋内を照らすことができる。
【０３８４】
接続方向ｄ１，ｄ４およびｄ２，ｄ３がＬＥＤ基板２５０の径方向に沿う構成においては、接続方向ｄ１，ｄ４どうしおよび接続方向ｄ２，ｄ３どうしが、それぞれ平行に近い関係にある。これにより、配線２５５，２５６の回転をより適切に防止することができ、ＬＥＤ照明器具１０１Ｇによって均一に照らすのにより適している。また、接続方向ｄ１，ｄ４どうしおよび接続方向ｄ２，ｄ３どうしが平行に近い関係にあると、コネクタ２５１〜２５４に対して配線２５５，２５６（接続用端部２５５ａ，２５６ａ）を接続する際の作業性も良好となる。
【０３８５】
本実施形態においては、互いに隣り合うＬＥＤ基板２５０において、複数の対からなコネクタ２５１，２５４およびコネクタ２５２，２５３が配置されている。このような構成によれば、たとえば電球色ＬＥＤモジュール３０１と昼白色ＬＥＤモジュール３０２などのように、互いの発光色が異なる複数種類のＬＥＤモジュール３００について、その種類毎にコネクタ２５１，２５４およびコネクタ２５２，２５３からなる複数の対をそれぞれ割り当てることができ、異なる種類のＬＥＤモジュール３００を独立して制御するうえで好ましい。
【０３８６】
コネクタ２５２，２５３の各々は、コネクタ２５１，２５４からなる対に対してＬＥＤ基板２５０の周方向における外側に配置されている。このようなコネクタ２５１〜２５４の配置に対応して、内側に位置するコネクタ２５１，２５４に接続される配線２５５と、外側に位置するコネクタ２５２，２５３に接続される配線２５６とは、その長さについて明瞭な差がつけられている。このような構成によれば、コネクタ２５１〜２５４に対して配線２５５，２５６を間違えて接続することは実質的にできないので、配線２５５，２５６の接続ミスを的確に防止することができる。
【０３８７】
ＬＥＤ基板２５０を支持板２２０上に配置する際には、支持板２２０に設けられた位置決め部２２６とＬＥＤ基板２５０に形成された切欠き２５７とを位置合わせして配置することにより、ＬＥＤ基板２５０を所望の位置に正確におくことができる。これにより、隣接するＬＥＤ基板２５０間の距離のバラつきをなくすることができ、コネクタ２５１，２５４およびコネクタ２５２，２５３に接続する配線２５５，２５６の長さについても、上記バラつきを考慮した余分な長さを確保する必要がない。
【０３８８】
ＬＥＤ基板２５０が配置されたＬＥＤ収容空間２０１と、電源部４００が収容された電源収容空間２０２との間を区画する隔壁２３１Ｇ，２４１Ｇには、複数ずつの貫通孔２３２Ｇ，２４２Ｇが形成されている。一般に、電源収容空間２０２が占める体積はＬＥＤ収容空間２０１の体積よりもかなり小さく、電源部４００において発生する熱によって電源収容空間２０２が高温になりやすい。ＬＥＤ照明器具１０１Ｇによれば、貫通孔２３２Ｇ，２４２Ｇを通じて電源収容空間２０２内の空気をＬＥＤ収容空間２０１に導くことが可能であり、電源収容空間２０２が不当に高温となるのを抑制することができる。
【０３８９】
電源部４００の熱により、この電源部４００を構成する部品やその組立等に使われるフラックス中の臭素が電源収容空間２０２に拡散し、臭素化合物として存在する場合がある。臭素化合物は、ＬＥＤモジュール３００を劣化させる原因物質となる場合があり、電源収容空間２０２内の臭素化合物が貫通孔２３２Ｇ，２４２Ｇを通じてＬＥＤ収容空間２０１に導入されうる。本実施形態では、電源収容空間２０２には吸着剤７００が収容されているため、臭素化合物を吸着剤７００によって吸着することにより、臭素化合物がＬＥＤ収容空間２０１側に導入されるのを抑制することができ、ＬＥＤモジュール３００の劣化防止に役立つ。
【０３９０】
隔壁２３１Ｇ，２４１Ｇに形成された複数の貫通孔２３２Ｇ，２４２Ｇは、上下２段に配列された複数ずつの貫通孔２３２ａ，２３２ｂ，２４２ａ，２４２ｂを備えて構成される。このような構成によれば、たとえば電源収容空間２０２がＬＥＤ収容空間２０１よりも高温となった際に、電源収容空間２０２の相対的に高温な空気が上段の貫通孔２３２ｂ，２４２ｂを通じてＬＥＤ収容空間２０１に流れるとともに、ＬＥＤ収容空間２０１の相対的に低温な空気が下段の貫通孔２３２ａ，２４２ａを通じて電源収容空間２０２に流れ、ＬＥＤ収容空間２０１と電源収容空間２０２との間で空気の対流が起こりやすい。このことは、電源収容空間２０２が不当に高温となるのを抑制するうえで好ましい。
【０３９１】
隔壁２３１Ｇに形成された複数の貫通孔２３２Ｇ（２３２ａ，２３２ｂ）と、隔壁２４１Ｇに形成された複数の貫通孔２４２Ｇ（２４２ａ，２４２ｂ）とは、ＬＥＤ基板２５０の径方向視において互いに重ならない位置に配されている。このような構成によれば、ＬＥＤ収容空間２０１においてＬＥＤ基板２５０の径方向内方に向かって進行する光が、径方向の外側に位置する隔壁２４１Ｇの貫通孔２４２Ｇを通過しても、この通過した光は奥方の隔壁２３１Ｇの壁面で反射され、貫通孔２４２Ｇを通じてＬＥＤ収容空間２０１に戻る。したがって、ＬＥＤ収容空間２０１を進行する光が電源収容空間２０２に入るのを抑制することができ、ＬＥＤ照明器具１０１Ｇによって均一に照らすのにより適している。
【０３９２】
センター部材２１０、接続部２２１Ｇ、および隔壁部材２３０Ｇ，２４０Ｇによって構成された部分は、支持板２２０やカバー６００などのＬＥＤ照明器具１０１Ｇの大部分の重量を支えており、大きな荷重が作用する。本実施形態では、これらセンター部材２１０、接続部２２１Ｇ、および隔壁部材２３０Ｇ，２４０Ｇによって中空矩形断面を有する環状部が構成されている。このように中空状環状部を備える構成は、剛性が高められ、強度面において有利である。
【０３９３】
図８１および図８２に示すように、カバー６００の中央部６４０の内側には、ＬＥＤ基板２５０に対してこのＬＥＤ基板２５０の径方向内側において円環状の基板２６１が配置され、この基板２６１上に複数のＬＥＤモジュール３００が円環形状をなすように配置されている。ＬＥＤ照明器具１０１Ｇにおいては、基板２６１上のＬＥＤモジュール３００のみを点灯させることにより、たとえば環状に発光する常夜灯として機能させることができる。
【０３９４】
図８６は、本バリエーション発明の他の実施形態を示している。なお、同図において、上記実施形態と同一または類似の要素には、上記実施形態と同一の符号を付している。
【０３９５】
図８６に示されたＬＥＤ照明器具１０２Ｇは、上記実施形態のＬＥＤ照明器具１０１Ｇにおいては、カバー６００の中央部６４０の内側に環状の発光部（基板２６１上のＬＥＤモジュール３００）を配置していたが、本実施形態のＬＥＤ照明器具１０２Ｇは、カバー６００の外枠部６２０の近傍に環状の発光部を設けており、この点においてに上記実施形態と異なっている。なお、図８６は、本実施形態のＬＥＤ照明器具１０２Ｇにおいて上記実施形態との相違を説明するのに必要な部分のみを示しており、他の部分は省略している。
【０３９６】
本実施形態のＬＥＤ照明器具１０２Ｇは、導光体２８０と、導光体２８０の一部を覆うリフレクタ２８１とを備える。導光体２８０は、たとえば透明なアクリル樹脂製であり、概略円環形の板状に形成されている。導光体２８０は、ＬＥＤ基板２５０の外周付近に設けられたＬＥＤモジュール３００からの光をカバー６００の径方向外方に導くためのものであり、ＬＥＤモジュール３００に対向する入射面２８０ａと、出射面２８０ｂ，２８０ｃとを有している。リフレクタ２８１は、たとえば白色樹脂製である。導光体２８０の径方向内方寄りから径方向中央付近の領域は、リフレクタ２８１と支持板２２０の外縁部２２３Ｇとによって挟まれている。導光体２８０の径方向外方寄りの領域は、リフレクタ２８１および外縁部２２３Ｇから露出している。この露出部分のうち、図中上側（天井８００側）を向く面が出射面２８０ｂを構成し、図中下側を向く面が出射面２８０ｃを構成している。出射面２８０ｂ，２８０ｃは、微細な凹凸が施された粗面とされている。
【０３９７】
導光体２８０の入射面２８０ａに対向するＬＥＤモジュール３００から出射された光は、入射面２８０ａから導光体２８０内に入射し、導光体２８０内で反射しながら、径方向における外方に進行していく。導光体２８０の径方向における内寄りの領域は、リフレクタ２８１と外縁部２２３Ｇに挟まれており、導光体２８０内の光が外部に出射されにくくなっている。導光体２８０の内部を径方向に沿って進行した光は、出射面２８０ｂ，２８０ｃから出射される。なお、入射面２８０ａに対向するＬＥＤモジュール３００は、ＬＥＤ基板２５０上の他のＬＥＤモジュール３００とは別に点灯または消灯させることが可能となっている。
【０３９８】
本実施形態のＬＥＤ照明器具１０２Ｇにおいては、入射面２８０ａに対向するＬＥＤモジュール３００のみを点灯させることにより、ＬＥＤ照明器具１０２Ｇの外周縁部に位置する出射面２８０ｂ，２８０ｃから天井８００側およびその反対側に向けて光が照射され、たとえば環状に発光する常夜灯として機能させることができる。
【０３９９】
本バリエーション発明に係るＬＥＤ照明器具は、上述した実施形態に限定されるものではない。本バリエーション発明に係るＬＥＤ照明器具の各部の具体的な構成は、種々に設計変更自在である。
【０４００】
上記実施形態において、互いに隣り合うＬＥＤ基板において対をなすコネクタ（第１および第２のコネクタ）のそれぞれに対する配線の接続用端部の接続方向（第１および第２の接続方向）がＬＥＤ基板の径方向に沿う場合について説明したが、これに限定されない。第１および第２の接続方向は、ＬＥＤ基板の径方向に対して交差していてもよい。この場合、第１および第２の接続方向は、互いに平行、またはＬＥＤ基板の径方向における内方側から外方側（接続方向前方）に向かうにつれて離間するように、第１および第２のコネクタを配置してもよい。このような構成においても、第１および第２のコネクタに接続された配線が不当に回転するのを防止することができる。図８７は、第１および第２の接続方向が接続方向前方に向かうにつれて互いに離間する場合の一例を示し、図８３におけるコネクタ２５１，２５４、配線２５５、およびその周辺に対応する要素を抽出し、これら対応する要素に図８３と同一の符号を付して表した。図８７に示すように、コネクタ２５１に対する接続用端部２５５ａの接続方向ｄ１と、コネクタ２５４に対する接続用端部２５５ａの接続方向ｄ４とのなす角αは、９０°以下とするのが好ましい。上記角αが９０°であれば、コネクタ２５１に対する配線２５５の回転方向とコネクタ２５４に対する配線２５５の回転方向とが直角となり、コネクタ２５１，２５４に対する配線２５５の回転が適切に防止される。また、このようなことから理解されるように、接続方向ｄ１，ｄ４のなす角αが９０°より小さい場合には、角αが９０°の場合よりも配線２５５は回転しにくくなるので、コネクタ２５１，２５４に対する配線２５５の回転が適切に防止される。
【０４０１】
上記実施形態では、第１および第２のコネクタがＬＥＤ基板の径方向における内方寄りに配置された場合を例に挙げたが、第１および第２のコネクタは、ＬＥＤ基板の径方向における外方寄りに配置してもよい。また、第１および第２のコネクタからなる対を複数設ける場合においては、これら複数の対について、ＬＥＤ基板の径方向における内方寄りに配置するものと、ＬＥＤ基板の径方向における外方寄りに配置するものとを設けてもよい。
【０４０２】
本バリエーション発明のまとめとして、以下に付記として列挙する。
（付記１）
第１方向における一方側である照射側を向く支持面を有する支持板と、
上記支持面に支持され、互いの端部が対向するように配置されることにより、全体として環状をなす複数のＬＥＤ基板と、
上記各ＬＥＤ基板に搭載される複数のＬＥＤチップと、
上記ＬＥＤ基板に対して上記第１方向照射側に位置し、上記ＬＥＤチップからの光を透過するカバーと、
互いに隣り合う上記ＬＥＤ基板の一方および他方に設けられた第１および第２のコネクタと、
一方が上記第１のコネクタに接続され、他方が上記第２のコネクタに接続される一対の接続用端部を有する配線と、を備え、
上記第１および第２のコネクタのそれぞれに対して配線の接続用端部を接続する第１および第２の接続方向が、上記複数のＬＥＤ基板の周方向に対して交差していることを特徴とする、ＬＥＤ照明器具。
（付記２）
上記第１および第２のコネクタは、上記周方向において隣接する上記ＬＥＤ基板の端部寄りに配置されている、付記１に記載のＬＥＤ照明器具。（付記３）
上記第１および第２の接続方向は、各々が上記複数のＬＥＤ基板の径方向における内方側から外方側に向かう、付記１または２に記載のＬＥＤ照明器具。
（付記４）
上記第１および第２のコネクタは、上記ＬＥＤ基板における上記径方向の内方寄りに配置されている、付記３に記載のＬＥＤ照明器具。
（付記５）
上記第１および第２の接続方向は、各々が上記径方向における外方側から内方側に向かう、付記１または２に記載のＬＥＤ照明器具。
（付記６）
上記第１および第２のコネクタは、上記ＬＥＤ基板における上記径方向の外方寄りに配置されている、付記５に記載のＬＥＤ照明器具。
（付記７）
上記第１および第２の接続方向は、上記径方向に沿っている、付記２ないし６のいずれかに記載のＬＥＤ照明器具。
（付記８）
上記第１および第２の接続方向は、互いに平行または接続方向前方に向かうにつれて互いに離間する、付記２ないし６のいずれかに記載のＬＥＤ照明器具。
（付記９）
上記第１の接続方向と上記第２の接続方向とのなす角が９０°以下である、付記８に記載のＬＥＤ照明器具。
（付記１０）
上記周方向において隣接する上記ＬＥＤ基板の端部寄りにおいて、上記第１および第２のコネクタからなる対が複数設けられている、付記１ないし９のいずれかに記載のＬＥＤ照明器具。
（付記１１）
上記第１および第２のコネクタからなる複数の対は、第１対と、この第１対に対して上記第１および第２のコネクタの各々が上記周方向における外側に配置された第２対と、を含む、付記１０に記載のＬＥＤ照明器具。
（付記１２）
上記第１および第２のコネクタからなる複数の対は、上記径方向外方寄りに配置された第３対と、上記径方向の内方寄りに配置された第４対とを含む、付記１０または１１に記載のＬＥＤ照明器具。
（付記１３）
上記支持面および上記複数のＬＥＤ基板の少なくとも一方には、上記支持面に対する上記各ＬＥＤ基板の取付位置を規定する位置決め手段が設けられている、付記１ないし１２のいずれかに記載のＬＥＤ照明器具。
（付記１４）
上記位置決め手段は、上記各ＬＥＤ基板の外周に形成された切欠きと、上記支持面に設けられ、上記切欠きに対応する位置に配された位置決め部と、を含んで構成される、付記１３に記載のＬＥＤ照明器具。
（付記１５）
上記複数のＬＥＤ基板が配置されるＬＥＤ収容部と、
上記ＬＥＤ収容部に対して上記径方向の内方に位置し、上記複数のＬＥＤチップへ電力を供給するための電源部が収容された電源収容部と、
上記ＬＥＤ収容部と上記電源収容部との間を区画する隔壁とを備え、
上記隔壁には、上記ＬＥＤ収容部と上記電源収容部との間を連通させる複数の貫通孔が形成されている、付記１ないし１４のいずれかに記載のＬＥＤ照明器具。
（付記１６）
上記隔壁は、上記径方向において離間する第１隔壁および第２隔壁を含み、  上記複数の貫通孔は、上記第１隔壁に形成された複数の第１貫通孔と、上記第２隔壁に形成された複数の第２貫通孔と、を含み、
上記複数の第１貫通孔と上記複数の第２貫通孔とは、上記径方向視において互いに重ならない位置に配されている、付記１５に記載のＬＥＤ照明器具。
（付記１７）
上記複数の貫通孔は、上記第１方向照射側に位置し、上記周方向に沿って配列された複数の照射側貫通孔と、
上記第１方向照射側とは反対側の設置側に位置し、上記周方向に沿って配列された複数の設置側貫通孔と、を含む、付記１５または１６に記載のＬＥＤ照明器具。
（付記１８）
上記隔壁のうち上記複数の貫通孔の占める面積比率は、３０％以下である、付記１５ないし１７のいずれかに記載のＬＥＤ照明器具。
（付記１９）
上記隔壁を一部に有する中空状環状部を備え、上記電源部は、上記中空状環状部の内部に配置されている、付記１５ないし１８のいずれかに記載のＬＥＤ照明器具。
（付記２０）
上記電源収容部内には、吸着剤が配置されている、付記１５ないし１９のいずれかに記載のＬＥＤ照明器具。
（付記２１）
上記吸着剤は、ゼオライトまたは木炭粉の少なくともいずれか一方を含む、付記２０に記載のＬＥＤ照明器具。
（付記２２）
上記複数のＬＥＤ基板に対して上記径方向の内側または外側に配置され、ＬＥＤチップからの光を発光させる環状発光部を備える、付記１ないし２１のいずれかに記載のＬＥＤ照明器具。
（付記２３）
上記環状発光部は、上記ＬＥＤチップからの光を透過させて外部に出射させる環状の導光体を有する、付記２２に記載のＬＥＤ照明器具。
【符号の説明】
【０４０３】
１１，１１ａ  主電源
１２  制御回路
１３，１３０  ＡＣ／ＤＣコンバータ
１４  トランス
１５，１５０  ＤＣ／ＤＣコンバータ
１６  信号処理回路
１７  リモコン受信部
１８  スイッチ駆動回路
１９  パワースイッチ
２１  昼白色光源ドライバ
２２  電球色光源ドライバ
２３  昼光色光源ドライバ
２４  白色光源ドライバ
２５  温白色光源ドライバ
３１  第１光源部
３２  第２光源部
３３  第３光源部
３４  第４光源部
３５  第５光源部
４０  チョッパー回路４２  電源電圧供給線
１００，２００，８００，９００，１０００  照明装置
１６１，１６２，１６３，１６４，１６５  信号供給線
１６１ａ，１６２ａ，１６３ａ，１６４ａ  信号供給線
３１０  第１ＬＥＤ照明部
３１１  第１定電流回路
３１２  第１ＬＥＤ回路
３２０  第２ＬＥＤ照明部
３２１  第２定電流回路
３２２  第２ＬＥＤ回路
３３０  第３ＬＥＤ照明部
３３１  第３定電流回路
３３２  第３ＬＥＤ回路
Ｃ１  平滑コンデンサ
Ｃ２  コンデンサ
Ｄ１，Ｄ２，Ｄ３，Ｄ４  整流ダイオード
Ｄ５，Ｄ６，Ｄ７  ダイオード
Ｌ１  コイル
ＬＥＤ１，ＬＥＤ２，ＬＥＤ３，ＬＥＤ４，ＬＥＤ５，ＬＥＤ６  発光ダイオード
Ｒ１  電流検出抵抗
Ｒ２，Ｒ３，Ｒ４，Ｒ５，Ｒ６，Ｒ７  抵抗
ＴＲ１  スイッチングトランジスタ
ＴＲ２，ＴＲ３，ＴＲ４，ＴＲ５  トランジスタ
【図１】
0006310588.tif 000002
【図２】
0006310588.tif 000003
【図３】
0006310588.tif 000004
【図４】
0006310588.tif 000005
【図５】
0006310588.tif 000006
【図６】
0006310588.tif 000007
【図７】
0006310588.tif 000008
【図８】
0006310588.tif 000009
【図９】
0006310588.tif 000010
【図１０】
0006310588.tif 000011
【図１１】
0006310588.tif 000012
【図１２】
0006310588.tif 000013
【図１３】
0006310588.tif 000014
【図１４】
0006310588.tif 000015
【図１５】
0006310588.tif 000016
【図１６】
0006310588.tif 000017
【図１７】
0006310588.tif 000018
【図１８】
0006310588.tif 000019
【図１９】
0006310588.tif 000020
【図２０】
0006310588.tif 000021
【図２１】
0006310588.tif 000022
【図２２】
0006310588.tif 000023
【図２３】
0006310588.tif 000024
【図２４】
0006310588.tif 000025
【図２５】
0006310588.tif 000026
【図２６】
0006310588.tif 000027
【図２７】
0006310588.tif 000028
【図２８】
0006310588.tif 000029
【図２９】
0006310588.tif 000030
【図３０】
0006310588.tif 000031
【図３１】
0006310588.tif 000032
【図３２】
0006310588.tif 000033
【図３３】
0006310588.tif 000034
【図３４】
0006310588.tif 000035
【図３５】
0006310588.tif 000036
【図３６】
0006310588.tif 000037
【図３７】
0006310588.tif 000038
【図３８】
0006310588.tif 000039
【図３９】
0006310588.tif 000040
【図４０】
0006310588.tif 000041
【図４１】
0006310588.tif 000042
【図４２】
0006310588.tif 000043
【図４３】
0006310588.tif 000044
【図４４】
0006310588.tif 000045
【図４５】
0006310588.tif 000046
【図４６】
0006310588.tif 000047
【図４７】
0006310588.tif 000048
【図４８】
0006310588.tif 000049
【図４９】
0006310588.tif 000050
【図５０】
0006310588.tif 000051
【図５１】
0006310588.tif 000052
【図５２】
0006310588.tif 000053
【図５３】
0006310588.tif 000054
【図５４】
0006310588.tif 000055
【図５５】
0006310588.tif 000056
【図５６】
0006310588.tif 000057
【図５７】
0006310588.tif 000058
【図５８】
0006310588.tif 000059
【図５９】
0006310588.tif 000060
【図６０】
0006310588.tif 000061
【図６１】
0006310588.tif 000062
【図６２】
0006310588.tif 000063
【図６３】
0006310588.tif 000064
【図６４】
0006310588.tif 000065
【図６５】
0006310588.tif 000066
【図６６】
0006310588.tif 000067
【図６７】
0006310588.tif 000068
【図６８】
0006310588.tif 000069
【図６９】
0006310588.tif 000070
【図７０】
0006310588.tif 000071
【図７１】
0006310588.tif 000072
【図７２】
0006310588.tif 000073
【図７３】
0006310588.tif 000074
【図７４】
0006310588.tif 000075
【図７５】
0006310588.tif 000076
【図７６】
0006310588.tif 000077
【図７７】
0006310588.tif 000078
【図７８】
0006310588.tif 000079
【図７９】
0006310588.tif 000080
【図８０】
0006310588.tif 000081
【図８１】
0006310588.tif 000082
【図８２】
0006310588.tif 000083
【図８３】
0006310588.tif 000084
【図８４】
0006310588.tif 000085
【図８５】
0006310588.tif 000086
【図８６】
0006310588.tif 000087
【図８７】
0006310588.tif 000088
【図８８】
0006310588.tif 000089